(57)【要約】  トラフィックセッションからページングモードへ直接移行することがモバイルデバイスにとって安全であるかどうかを決定し、固定式のＭ２Ｍデバイスにおけるネットワーク再同期手順を回避するための技法が開示される。呼前ネットワークパラメータと呼中ネットワークパラメータが一致する場合、モバイルデバイスは直接の移行に対して安全であり得る。安全である場合、モバイルデバイスは、ページングチャネルの監視を直ちに開始するために、トラフィックセッションからページングモードへ直接移行することができる。固定式のＭ２Ｍデバイスでは、ページング情報がトラフィックセッションの前に記憶され、トラフィックセッションが完了すると、Ｍ２Ｍデバイスは、記憶されているページング情報に基づいて、ページングメッセージングを受信するために構成され得る。Ｍ２Ｍデバイスはまた、システムアクセス情報を記憶し、スリープ状態に戻る前に、情報の有効性を確認することができる。固定式のＭ２Ｍデバイスは、ネットワーク再同期手順を回避する。他の態様、実施形態、および特徴も請求され、説明される。
2016517667.tif 000002
【特許請求の範囲】
【請求項１】
固定式のマシンーツマシン（Ｍ２Ｍ）デバイスによって実行されるワイヤレス通信の方法であって、
ワイヤレス通信ネットワークの基地局とのトラフィックセッションの開始の前に、前記基地局と関連付けられるページング情報を記憶することと、
前記トラフィックセッションの終了時に、前記記憶されているページング情報に従って前記基地局からページングメッセージングを受信するために前記Ｍ２Ｍデバイスを構成することとを備える、上記方法。
【請求項２】
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
前記トラフィックセッションの終了時に、前記記憶されているシステムアクセス情報が有効なままであると決定することと、
前記記憶されているシステムアクセス情報が有効なままであると前記決定したことに基づいて、スリープ状態へ直接移行することとをさらに備える、請求項１に記載の方法。
【請求項３】
前記スリープ状態へ直接移行することが、
前記記憶されているシステムアクセス情報が有効なままであるとの前記決定に基づいて、前記複数のアクセス構成メッセージの１つまたは複数の受信を不可能にすることを備える、請求項２に記載の方法。
【請求項４】
前記記憶されているシステムアクセス情報が有効なままであると前記決定することが、前記記憶されているシステムアクセス情報と関連付けられるオーバーヘッドタイマーに基づいている、請求項３に記載の方法。
【請求項５】
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
前記トラフィックセッションの終了時に、前記記憶されているシステムアクセス情報が期限切れになっていると決定することと、
スリープ状態へ移行する前に、前記記憶されているシステムアクセス情報を検証することとをさらに備える、請求項１に記載の方法。
【請求項６】
前記記憶されているシステムアクセス情報を検証することが、
前記複数のアクセス構成メッセージの１つを受信することと、
前記記憶されているシステムアクセス情報と関連付けられる構成シーケンス番号を、前記複数のアクセス構成メッセージの前記受信された１つと関連付けられる構成シーケンス番号と比較することとを備える、請求項５に記載の方法。
【請求項７】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にすることをさらに備える、請求項６に記載の方法。
【請求項８】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にすることをさらに備える、請求項６に記載の方法。
【請求項９】
前記複数のアクセス構成メッセージが、チャネルリストメッセージ、近隣リストメッセージ、アクセスパラメータメッセージ、又はシステムパラメータメッセージまたはの１つまたは複数を備える、請求項５に記載の方法。
【請求項１０】
前記基地局からページングメッセージングを受信するために前記Ｍ２Ｍデバイスを前記構成することが、
パイロット取得または同期信号の復号の１つまたは複数を実行することなく、前記基地局からページングメッセージングを受信するために前記Ｍ２Ｍデバイスを構成することを備える、請求項１に記載の方法。
【請求項１１】
前記記憶されているページング情報がページングチャネルレートを備え、
ここにおいて、前記方法がさらに、
前記ページングチャネルレートを利用して、前記基地局によって送信されたページングシグナリングを復号することをさらに備える、請求項１に記載の方法。
【請求項１２】
前記記憶されているページング情報がページングスロット周期を備え、および
ここにおいて、前記方法がさらに、
前記ページングスロット周期を利用して、前記基地局によって送信されたページングシグナリングを復号することをさらに備える、請求項１に記載の方法。
【請求項１３】
前記記憶されているページング情報が高速ページングチャネルを復号するためのパラメータを備え、および、ここにおいて、前記復号することが、
前記記憶されているページング情報を利用して、前記高速ページングチャネル上で前記基地局によって送信されたページングシグナリングを復号することを備える、請求項１に記載の方法。
【請求項１４】
前記トラフィックセッションの間に、前記基地局との同期のためのタイミング情報を受信することと、ここにおいて、さらに前記タイミング情報に少なくとも一部基づいて前記基地局によって送信されたページングメッセージングを受信するために前記Ｍ２Ｍデバイスを構成すること、
を備える、請求項１に記載の方法。
【請求項１５】
固定式のマシンーツーマシン（Ｍ２Ｍ）デバイスによるネットワーク再同期手順を回避するように構成されるワイヤレス通信システムであって、
ワイヤレス通信ネットワークの基地局とのトラフィックセッションの開始の前に、前記基地局と関連付けられるページング情報を、記憶するための手段と、および
前記トラフィックセッションの終了時に、前記記憶されているページング情報に従って前記基地局からページングメッセージングを受信するために前記Ｍ２Ｍデバイスを構成するための手段とを備える、ワイヤレス通信システム。
【請求項１６】
前記トラフィックセッションの開始の前に、前記基地局と関連付けられるシステムアクセス情報を受信するための手段と、前記システムアクセス情報は、複数のアクセス構成メッセージの中で前記基地局によって送信される、
前記受信されたシステムアクセス情報を記憶するための手段と、
前記トラフィックセッションの終了時に、前記記憶されているシステムアクセス情報が有効なままであると決定するための手段と、
前記記憶されているシステムアクセス情報が有効なままであると前記決定したことに基づいてスリープ状態へ直接移行するための手段と、
をさらに備える、請求項１５に記載のワイヤレス通信システム。
【請求項１７】
前記スリープ状態へ直接移行するための前記手段がさらに、
前記記憶されているシステムアクセス情報が有効なままであるという前記決定に基づいて、前記複数のアクセス構成メッセージの１つまたは複数の受信を不可能にするための手段を備える、請求項１６に記載のワイヤレス通信システム。
【請求項１８】
前記記憶されているシステムアクセス情報が有効なままであると前記決定することが、前記記憶されているシステムアクセス情報と関連付けられるオーバーヘッドタイマーに基づいている、請求項１６に記載のワイヤレス通信システム。
【請求項１９】
前記トラフィックセッションの開始の前に、前記基地局と関連付けられるシステムアクセス情報を受信するための手段と、前記システムアクセス情報は、複数のアクセス構成メッセージの中で前記基地局によって送信される、
前記受信されたシステムアクセス情報を記憶するための手段と、
前記トラフィックセッションの終了時に、前記記憶されているシステムアクセス情報が期限切れになっていると決定するための手段と、
スリープ状態へ移行する前に、前記記憶されているシステムアクセス情報を検証するための手段とをさらに備える、請求項１５に記載のワイヤレス通信システム。
【請求項２０】
前記記憶されているシステムアクセス情報を検証するための前記手段が、
前記複数のアクセス構成メッセージの１つを受信するための手段と、
前記記憶されているシステムアクセス情報と関連付けられる構成シーケンス番号を、前記複数のアクセス構成メッセージの前記受信された１つと関連付けられる構成シーケンス番号と比較するための手段とを備える、請求項１５に記載のワイヤレス通信システム。
【請求項２１】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするための手段をさらに備える、請求項２０に記載のワイヤレス通信システム。
【請求項２２】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするための手段をさらに備える、請求項２０に記載のワイヤレス通信システム。
【請求項２３】
前記複数のアクセス構成メッセージが、チャネルリストメッセージ、近隣リストメッセージ、アクセスパラメータメッセージ、またはシステムパラメータメッセージの１つまたは複数を備える、請求項１９に記載のワイヤレス通信システム。
【請求項２４】
前記基地局からページングメッセージングを受信するために前記Ｍ２Ｍデバイスを構成するための前記手段はさらに、
パイロット取得または同期信号の復号の１つまたは複数を実行することなく、前記基地局からページングメッセージングを受信するために前記Ｍ２Ｍデバイスを構成するための手段をさらに備える、請求項１５に記載のワイヤレス通信システム。
【請求項２５】
前記記憶されているページング情報がページングチャネルレートを備え、
前記ページングチャネルレートを利用して、前記基地局によって送信されたページングシグナリングを復号するための手段をさらに備える、請求項１５に記載のワイヤレス通信システム。
【請求項２６】
前記記憶されているページング情報がページングスロット周期を備え、
前記ページングスロット周期を利用して、前記基地局によって送信されたページングシグナリングを復号するための手段をさらに備える、請求項１５に記載のワイヤレス通信システム。
【請求項２７】
前記記憶されているページング情報が高速ページングチャネルを復号するためのパラメータを備え、
前記記憶されているページング情報を利用して、前記高速ページングチャネルを通じて、前記基地局によって送信されたページングシグナリングを復号するための手段、をさらに備える、請求項１５に記載のワイヤレス通信システム。
【請求項２８】
前記トラフィックセッションの間に、前記基地局との同期のためのタイミング情報を受信するための手段と、
前記タイミング情報に少なくとも一部基づいて前記基地局によって送信されたページングメッセージングを受信するように前記Ｍ２Ｍデバイスを構成するための手段とをさらに備える、請求項１５に記載のワイヤレス通信システム。
【請求項２９】
固定式のマシンーツーマシン（Ｍ２Ｍ）デバイスによるワイヤレス通信のためのコンピュータプログラム製品であって、
ワイヤレス通信ネットワークの基地局とのトラフィックセッションの開始の前に、前記基地局と関連付けられるページング情報を記憶するためのコードと、
前記トラフィックセッションの終了時に、前記記憶されているページング情報に従って前記基地局からページングメッセージングを受信するために前記Ｍ２Ｍデバイスを構成するためのコードと
を備える、非一時的コンピュータ可読媒体を備える、コンピュータプログラム製品。
【請求項３０】
前記非一時的コンピュータ可読媒体がさらに、
前記トラフィックセッションの開始の前に、前記基地局と関連付けられるシステムアクセス情報を受信するためのコードと、前記システムアクセス情報は、複数のアクセス構成メッセージの中で前記基地局によって送信される、
前記受信されたシステムアクセス情報を記憶するためのコードと、
前記トラフィックセッションの終了時に、前記記憶されているシステムアクセス情報が有効なままであると決定するためのコードと、
前記記憶されているシステムアクセス情報が有効なままであると前記決定したことに基づいて、スリープ状態へ直接移行するためのコードとを備える、
請求項２９に記載のコンピュータプログラム製品。
【請求項３１】
前記非一時的コンピュータ可読媒体がさらに、
前記記憶されているシステムアクセス情報が有効なままであるという前記決定に基づいて、前記複数のアクセス構成メッセージの１つまたは複数の受信を不可能にするためのコードを備える、請求項３０に記載のコンピュータプログラム製品。
【請求項３２】
前記記憶されているシステムアクセス情報が有効なままであると決定することが、前記記憶されているシステムアクセス情報と関連付けられるオーバーヘッドタイマーに基づく、請求項３０に記載のコンピュータプログラム製品。
【請求項３３】
前記非一時的コンピュータ可読媒体がさらに、
前記トラフィックセッションの開始の前に、前記基地局と関連付けられるシステムアクセス情報を受信するためのコードと、前記システムアクセス情報は、複数のアクセス構成メッセージの中で前記基地局によって送信され、前記受信されたシステムアクセス情報を記憶するためのコードと、
前記トラフィックセッションの終了時に、前記記憶されているシステムアクセス情報が期限切れになっていると決定するためのコードと、
スリープ状態へ移行する前に、前記記憶されているシステムアクセス情報を検証するためのコードとを備える、請求項２９に記載のコンピュータプログラム製品。
【請求項３４】
前記非一時的コンピュータ可読媒体がさらに、
前記複数のアクセス構成メッセージの１つを受信するためのコードと、
前記記憶されているシステムアクセス情報と関連付けられる構成シーケンス番号を、前記複数のアクセス構成メッセージの前記受信された１つと関連付けられる構成シーケンス番号と比較するためのコードとを備える、請求項３３に記載のコンピュータプログラム製品。
【請求項３５】
前記非一時的コンピュータ可読媒体がさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするためのコードを備える、請求項３４に記載のコンピュータプログラム製品。
【請求項３６】
前記非一時的コンピュータ可読媒体がさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするためのコードを備える、請求項３４に記載のコンピュータプログラム製品。
【請求項３７】
前記複数のアクセス構成メッセージが、チャネルリストメッセージ、近隣リストメッセージ、アクセスパラメータメッセージ、またはシステムパラメータメッセージの１つまたは複数を備える、請求項３３に記載のコンピュータプログラム製品。
【請求項３８】
前記非一時的コンピュータ可読媒体がさらに、
パイロット取得または同期信号の復号の１つまたは複数を実行することなく、前記基地局からページングメッセージングを受信するために前記Ｍ２Ｍデバイスを構成するためのコードを備える、請求項２９に記載のコンピュータプログラム製品。
【請求項３９】
前記記憶されているページング情報がページングチャネルレートを備え、および、ここにおいて前記非一時的コンピュータ可読媒体がさらに、
前記ページングチャネルレートを利用して前記基地局によって送信されたページングシグナリングを復号するためのコードを備える、請求項２９に記載のコンピュータプログラム製品。
【請求項４０】
前記記憶されているページング情報がページングスロット周期を備え、および、ここにおいて前記非一時的コンピュータ可読媒体がさらに、
前記ページングスロット周期を利用して前記基地局によって送信されたページングシグナリングを復号するためのコードを備える、請求項２９に記載のコンピュータプログラム製品。
【請求項４１】
前記記憶されているページング情報が高速ページングチャネルを復号するためのパラメータを備え、およびここにおいて前記非一時的コンピュータ可読媒体がさらに、
前記記憶されているページング情報を利用して前記高速ページングチャネル上で前記基地局によって送信されたページングシグナリングを復号するためのコードを備える、請求項２９に記載のコンピュータプログラム製品。
【請求項４２】
前記非一時的コンピュータ可読媒体がさらに、
前記トラフィックセッションの間に、前記基地局との同期のためのタイミング情報を受信するためのコードと、
前記タイミング情報に少なくとも一部基づいて前記基地局によって送信されたページングメッセージングを受信するように前記Ｍ２Ｍデバイスを構成するためのコードとを備える、請求項２９に記載のコンピュータプログラム製品。
【請求項４３】
ネットワーク再同期を回避するように構成される固定式のマシンーツーマシン（Ｍ２Ｍ）デバイス、該デバイスは、
ワイヤレス通信ネットワークの基地局とのトラフィックセッションの開始の前に、前記基地局と関連付けられるページング情報を記憶し、
前記トラフィックセッションの終了時に、前記記憶されているページング情報に従って前記基地局からページングメッセージングを受信するために前記Ｍ２Ｍデバイスを構成する、
ように構成される少なくとも１つのコントローラを備える。
【請求項４４】
前記少なくとも１つのコントローラがさらに、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
前記トラフィックセッションの終了時に、前記記憶されているシステムアクセス情報が有効なままであると決定し、
前記記憶されているシステムアクセス情報が有効なままであると前記決定したことに基づいて、スリープ状態へ直接移行する、
ように構成される、請求項４３に記載の固定式のＭ２Ｍデバイス。
【請求項４５】
前記少なくとも１つのコントローラがさらに、
前記記憶されているシステムアクセス情報が有効なままであるとの前記決定に基づいて、前記複数のアクセス構成メッセージの１つまたは複数の受信を不可能にするように構成される、請求項４４に記載の固定式のＭ２Ｍデバイス。
【請求項４６】
前記記憶されているシステムアクセス情報が有効なままであると前記決定することが、前記記憶されているシステムアクセス情報と関連付けられるオーバーヘッドタイマーに基づいている、請求項４４に記載の固定式のＭ２Ｍデバイス。
【請求項４７】
前記少なくとも１つのコントローラがさらに、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
前記トラフィックセッションの終了時に、前記記憶されているシステムアクセス情報が期限切れになっていると決定し、および
スリープ状態へ移行する前に、前記記憶されているシステムアクセス情報を検証する、
ように構成される、請求項４３に記載の固定式のＭ２Ｍデバイス。
【請求項４８】
前記少なくとも１つのコントローラがさらに、
前記複数のアクセス構成メッセージの１つを受信し、
前記記憶されているシステムアクセス情報と関連付けられる構成シーケンス番号を、前記複数のアクセス構成メッセージの前記受信された１つと関連付けられる構成シーケンス番号と比較する、
ように構成される、請求項４７に記載の固定式のＭ２Ｍデバイス。
【請求項４９】
前記少なくとも１つのコントローラがさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするように構成される、請求項４８に記載の固定式のＭ２Ｍデバイス。
【請求項５０】
前記少なくとも１つのコントローラがさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするために構成される、請求項４８に記載の固定式のＭ２Ｍデバイス。    
【請求項５１】
前記複数のアクセス構成メッセージが、チャネルリストメッセージ、近隣リストメッセージ、、アクセスパラメータメッセージまたはシステムパラメータメッセージの１つまたは複数を備える、請求項４７に記載の固定式のＭ２Ｍデバイス。
【請求項５２】
前記少なくとも１つのコントローラがさらに、
パイロット取得または同期信号の復号の１つまたは複数を実行することなく前記基地局からページングメッセージングを受信するために前記Ｍ２Ｍデバイスを構成するように、
構成される、請求項４７に記載の固定式のＭ２Ｍデバイス。
【請求項５３】
前記記憶されているページング情報がページングチャネルレートを備え、およびここにおいて前記少なくとも１つのコントローラがさらに、
前記ページングチャネルレートを利用して前記基地局によって送信されたページングシグナリングを復号する、
ように構成される、請求項４７に記載の固定式のＭ２Ｍデバイス。
【請求項５４】
前記記憶されているページング情報がページングスロット周期を備え、およびここにおいて前記少なくとも１つのコントローラがさらに、
前記ページングスロット周期を利用して前記基地局によって送信されたページングシグナリングを復号する、
ように構成される、請求項４７に記載の固定式のＭ２Ｍデバイス。
【請求項５５】
前記記憶されているページング情報が高速ページングチャネルを復号するためのパラメータを備え、およびここにおいて前記少なくとも１つのコントローラがさらに、
前記記憶されているページング情報を利用して前記高速ページングチャネル上を前記基地局によって送信されたページングシグナリングを復号するように構成される、
請求項４７に記載の固定式のＭ２Ｍデバイス。
【請求項５６】
前記少なくとも１つのコントローラがさらに、
前記トラフィックセッションの間に、前記基地局との同期のためのタイミング情報を受信するように構成され、
ここにおいて前記コントローラが、
前記タイミング情報に少なくとも一部基づいて前記基地局によって送信されたページングメッセージングを受信するために前記Ｍ２Ｍデバイスを構成するように構成される、
請求項４７に記載の固定式のＭ２Ｍデバイス。
【発明の詳細な説明】
【技術分野】
【０００１】
優先権主張
[0001]本出願は、以下で完全にすべての適用可能な目的のために述べられるかのように参照により本明細書に組み込まれる、２０１３年３月１５日に出願された米国仮出願第６１／７９９，４７５号の優先権と利益とを主張する。
【０００２】
[0002]以下で論じられる技術は全般にワイヤレス通信に関し、より具体的には、トラフィックセッションからページングモードへの高速な移行のために、および、固定式のマシンーツーマシン（Ｍ２Ｍ）デバイスのためのネットワーク再同期手順を回避するためにも構成される、方法、システム、およびデバイスに関する。
【背景技術】
【０００３】
[0003]ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多重接続システムであり得る。
【０００４】
[0004]１つまたは複数の通信デバイス（たとえば、ユーザ機器、マシンーツーマシン（Ｍ２Ｍ）デバイス、移動局、タブレットデバイス、ラップトップなど）は、ワイヤレス通信システムを通じて互いに、または他のエンティティと通信するように、ワイヤレス通信システム上で動作可能であり得る。一般に、通信デバイスは、ワイヤレス通信システムの基地局に登録し、次いで、ページングチャネル（ＰＣＨ）を監視するページングモードまたはスリープモードに入る。通信デバイスが（たとえば、音声呼を開始または受信するために、データを送信または受信するために、など）ワイヤレス通信システムを通じて通信する必要があるとき、デバイスは、ページングモードからアクティブモードへ移行し、アクティブモードにおいて、デバイスは、トラフィックセッションに入り、ワイヤレス通信システム上でトラフィックチャネル（ＴＣＨ）を介して通信する。
【０００５】
[0005]通信デバイスがトラフィックセッションを完了するとき、デバイスは一般に、ＰＣＨを監視するページングモードに戻る。トラフィックセッションからページングモードに戻るために、通信デバイスは一般に、パイロット取得とＳＹＮＣメッセージ復号とを伴う再同期プロセスを完了する。パイロット取得およびＳＹＮＣメッセージ復号のプロセスは、基地局からのメッセージの受信と復号とを伴い、これは、通信デバイスが完了するのに時間を要する。この再同期時間の間、通信デバイスはＰＣＨを監視することができず、たとえば、通信デバイスに対する着信呼を示す着信ページング信号を逃すことがある。さらに、パイロット取得およびＳＹＮＣメッセージ復号のプロセスは、再同期メッセージを受信し、復号し、記憶するなどするために、通信デバイス上のハードウェアコンポーネントを利用する。通信デバイス上のハードウェアを動作させることは、デバイスの電力効率を下げる。
【発明の概要】
【０００６】
[0006]説明される特徴は全般に、固定式のＭ２Ｍデバイスにおいてトラフィックセッションからページングモードへと直接移行することによってネットワーク再同期手順を回避するための、１つまたは複数の改善されたシステム、方法、および／または装置に関する。説明される技法は、たとえば、トラフィックセッションの終了時に、記憶されているページング情報に従って基地局からページングメッセージングを受信するためにＭ２Ｍデバイスを構成するために、Ｍ２Ｍデバイスによって使用され得る。いくつかの態様によれば、Ｍ２Ｍデバイスは、トラフィックセッションの開始の前にページング情報を記憶し、トラフィックセッションの終了時に、記憶されているページング情報に従ってページングメッセージングを受信するためにＭ２Ｍデバイスを構成することができる。他の態様によれば、Ｍ２Ｍデバイスは、システムアクセス情報（たとえば、システムオーバーヘッド情報）を記憶し、システムアクセス情報が期限切れになっていなければ、ページングメッセージングを受信するためにＭ２Ｍデバイスを構成する。システムアクセス情報は、関連付けられるオーバーヘッドタイマーが周期を完了すると期限切れになり得る。システムアクセス情報が期限切れになっている（たとえば、オーバーヘッドタイマーが周期を完了している）場合、態様は、ページングメッセージングを受信するためにページングモードへ移行するためにＭ２Ｍデバイスを構成する前に、システムアクセス情報を検証し(validating)、必要であれば更新することを規定する。
【０００７】
[0007]いくつかの実施形態によれば、固定式のマシンーツーマシン（Ｍ２Ｍ）デバイスによって実行されるワイヤレス通信の方法が提供される。方法は、ワイヤレス通信ネットワークの基地局とのトラフィックセッションの開始の前に、基地局と関連付けられるページング情報を記憶することを含み得る。方法はまた、トラフィックセッションの終了時に、記憶されているページング情報に従って基地局からページングメッセージングを受信するためにＭ２Ｍデバイスを構成することを含み得る。ページング情報はページングチャネルレートを含んでよく、このとき方法は、ページングチャネルレートを利用して基地局によって送信されるページングシグナリングを復号することを含む。ページング情報はページングスロット周期を含んでよく、このとき方法は、ページングスロット周期を利用して基地局によって送信されるページングシグナリングを復号することを含む。ページング情報は、高速ページングチャネルを復号するためのパラメータを含んでよく、このとき方法は、記憶されているページング情報を利用して高速ページングチャネルを通じて基地局によって送信されるページングシグナリングを復号することを含む。基地局からページングメッセージングを受信するためにＭ２Ｍデバイスを構成することは、パイロット取得または同期信号復号の１つまたは複数を実行することなく、基地局からページングメッセージングを受信するためにＭ２Ｍデバイスを構成することを含み得る。
【０００８】
[0008]いくつかの態様は、トラフィックセッションの開始の前に、基地局と関連付けられるシステムアクセス情報を受信することを含むために、方法を規定し得る。システムアクセス情報は、複数のアクセス構成メッセージの中で基地局によって送信され得る。方法は、受信されたシステムアクセス情報を記憶することと、トラフィックセッションの終了時に、記憶されているシステムアクセス情報が有効なままであると決定することとを含み得る。方法は、記憶されているシステムアクセス情報が有効なままであると決定したことに基づいて、スリープ状態へ直接移行することを含み得る。方法は、記憶されているシステムアクセス情報が有効なままであるという決定に基づいて、複数のアクセス構成メッセージの１つまたは複数の受信を不能にすることを含み得る。アクセス構成メッセージは、システムパラメータメッセージ、アクセスパラメータメッセージ、近隣リストメッセージ、またはチャネルリストメッセージの１つまたは複数を含み得る。記憶されているシステムアクセス情報が有効なままであると決定することは、記憶されているシステムアクセス情報と関連付けられるオーバーヘッドタイマーに基づき得る。
【０００９】
[0009]いくつかの態様によれば、方法は、トラフィックセッションの開始の前に、基地局と関連付けられるシステムアクセス情報を受信することを含み、システムアクセス情報は、複数のアクセス構成メッセージの中で基地局によって送信される。方法は、受信されたシステムアクセス情報を記憶し、トラフィックセッションの終了時に、記憶されているシステムアクセス情報が期限切れになっていると決定することができる。期限切れになっている場合、方法は、スリープ状態へ移行する前に、記憶されているシステムアクセス情報を検証することができる。記憶されているシステムアクセス情報を検証することは、複数のアクセス構成メッセージの１つを受信することと、記憶されているシステムアクセス情報と関連付けられる構成シーケンス番号を、複数のアクセス構成メッセージの受信された１つと関連付けられる構成シーケンス番号と比較することとを含み得る。
【００１０】
[0010]他の実施形態によれば、方法は、記憶されているシステムアクセス情報と関連付けられる構成シーケンス番号と、複数のアクセス構成メッセージの受信された１つと関連付けられる構成シーケンス番号とが、同じ構成シーケンス番号であると決定したことに基づいて、複数のアクセス構成メッセージの１つまたは複数の受信を不能にすることを含み得る。方法は、記憶されているシステムアクセス情報と関連付けられる構成シーケンス番号が、複数のアクセス構成メッセージの受信された１つと関連付けられる構成シーケンス番号と異なると決定したことに基づいて、複数のアクセス構成メッセージの受信を可能にすることを含み得る。方法は、トラフィックセッションの間に、基地局との同期のためのタイミング情報を受信することを含んでよく、基地局によって送信されるページングメッセージングを受信するためにＭ２Ｍデバイスを構成することは、タイミング情報に少なくとも一部基づく。
【００１１】
[0011]他の実施形態によれば、固定式のマシンーツマシン（Ｍ２Ｍ）デバイスによるネットワーク再同期手順を回避するために構成されるワイヤレス通信システムが提供される。システムは、ワイヤレス通信ネットワークの基地局とのトラフィックセッションの開始の前に、基地局と関連付けられるページング情報を記憶するための手段と、トラフィックセッションの終了時に、記憶されているページング情報に従って基地局からページングメッセージングを受信するためにＭ２Ｍデバイスを構成するための手段とを含み得る。システムはまた、トラフィックセッションの開始の前に、基地局と関連付けられるシステムアクセス情報を受信するための手段と、システムアクセス情報は複数のアクセス構成メッセージの中で基地局によって送信される、受信されたシステムアクセス情報を記憶するための手段と、トラフィックセッションの終了時に、記憶されているシステムアクセス情報が有効なままであると決定するための手段と、記憶されているシステムアクセス情報が有効なままであると決定したことに基づいて、スリープ状態へ直接移行するための手段とを含み得る。
【００１２】
[0012]いくつかの態様によれば、スリープ状態へ直接移行するための手段はさらに、記憶されているシステムアクセス情報が有効なままであるという決定に基づいて、複数のアクセス構成メッセージの１つまたは複数の受信を不能にするための手段を含む。記憶されているシステムアクセス情報が有効なままであると決定することは、記憶されているシステムアクセス情報と関連付けられるオーバーヘッドタイマーに基づき得る。システムはまた、トラフィックセッションの開始の前に、基地局と関連付けられるシステムアクセス情報を受信するための手段と、システムアクセス情報は複数のアクセス構成メッセージの中で基地局によって送信される、受信されたシステムアクセス情報を記憶するための手段と、トラフィックセッションの終了時に、記憶されているシステムアクセス情報が期限切れになっていると決定するための手段と、スリープ状態へ移行する前に記憶されているシステムアクセス情報を検証するための手段とを含み得る。記憶されているシステムアクセス情報を検証するための手段は、複数のアクセス構成メッセージの１つを受信するための手段と、記憶されているシステムアクセス情報と関連付けられる構成シーケンス番号を、複数のアクセス構成メッセージの受信された１つと関連付けられる構成シーケンス番号と比較するための手段とを含み得る。
【００１３】
[0013]いくつかの態様によれば、システムはまた、記憶されているシステムアクセス情報と関連付けられる構成シーケンス番号と、複数のアクセス構成メッセージの受信された１つと関連付けられる構成シーケンス番号とが、同じ構成シーケンス番号であると決定したことに基づいて、複数のアクセス構成メッセージの１つまたは複数の受信を不能にするための手段を含む。システムは、記憶されているシステムアクセス情報と関連付けられる構成シーケンス番号が、複数のアクセス構成メッセージの受信された１つと関連付けられる構成シーケンス番号と異なると決定したことに基づいて、複数のアクセス構成メッセージの受信を可能にするための手段を含み得る。複数のアクセス構成メッセージは、システムパラメータメッセージ、アクセスパラメータメッセージ、近隣リストメッセージ、またはチャネルリストメッセージの１つまたは複数を含み得る。
【００１４】
[0014]基地局からページングメッセージングを受信するためにＭ２Ｍデバイスを構成するための手段は、パイロット取得または同期信号復号の１つまたは複数を実行することなく、基地局からページングメッセージングを受信するためにＭ２Ｍデバイスを構成するための手段を含み得る。記憶されているページング情報がページングチャネルレートを含むとき、システムはさらに、ページングチャネルレートを利用して基地局によって送信されるページングシグナリングを復号するための手段を含み得る。記憶されているページング情報がページングスロット周期を含むとき、システムはさらに、ページングスロット周期を利用して基地局によって送信されるページングシグナリングを復号するための手段を含み得る。記憶されているページング情報が高速ページングチャネルを復号するためのパラメータを含むとき、システムはさらに、記憶されているページング情報を利用して高速ページングチャネルを通じて基地局によって送信されるページングシグナリングを復号するための手段を含むことができる。いくつかの態様によれば、システムは、トラフィックセッションの間に、基地局との同期のためのタイミング情報を受信するための手段を含み得る。したがって、システムは、前記タイミング情報に少なくとも一部基づいて基地局によって送信されたページングメッセージングを受信するために前記Ｍ２Ｍデバイスを構成するための手段を含み得る。
【００１５】
[0015]他の実施形態によれば、固定式のマシンーツーマシン（Ｍ２Ｍ）デバイスによるワイヤレス通信のためのコンピュータプログラム製品が提供される。プログラムは、ワイヤレス通信ネットワークの基地局とのトラフィックセッションの開始の前に、基地局と関連付けられるページング情報を記憶するためのコードと、トラフィックセッションの終了時に、記憶されているページング情報に従って基地局からページングメッセージングを受信するためにＭ２Ｍデバイスを構成するためのコードとを含む、非一時的コンピュータ可読媒体を含み得る。プログラムはまた、トラフィックセッションの開始の前に、基地局と関連付けられるシステムアクセス情報を受信するためのコードと、システムアクセス情報は複数のアクセス構成メッセージの中で基地局によって送信される、受信されたシステムアクセス情報を記憶するためのコードと、トラフィックセッションの終了時に、記憶されているシステムアクセス情報が有効なままであると決定するためのコードと、記憶されているシステムアクセス情報が有効なままであると決定したことに基づいて、スリープ状態へ直接移行するためのコードとを含み得る。
【００１６】
[0016]他の態様によれば、スリープ状態へ直接移行するためのコードはさらに、記憶されているシステムアクセス情報が有効なままであるという決定に基づいて、複数のアクセス構成メッセージの１つまたは複数の受信を不能にするためのコードを含む。記憶されているシステムアクセス情報が有効なままであると決定するためのコードは、記憶されているシステムアクセス情報と関連付けられるオーバーヘッドタイマーに基づき得る。プログラムは、トラフィックセッションの開始の前に、基地局と関連付けられるシステムアクセス情報を受信するためのコードと、システムアクセス情報は複数のアクセス構成メッセージの中で基地局によって送信される、受信されたシステムアクセス情報を記憶するためのコードと、トラフィックセッションの終了時に、記憶されているシステムアクセス情報が期限切れになっていると決定するためのコードと、スリープ状態へ移行する前に記憶されているシステムアクセス情報を検証するためのコードとを含み得る。
【００１７】
[0017]記憶されているシステムアクセス情報を検証するためのコードはさらに、複数のアクセス構成メッセージの１つを受信するためのコードと、記憶されているシステムアクセス情報と関連付けられる構成シーケンス番号を、複数のアクセス構成メッセージの受信された１つと関連付けられる構成シーケンス番号と比較するためのコードとを含み得る。プログラムはまた、記憶されているシステムアクセス情報と関連付けられる構成シーケンス番号と、複数のアクセス構成メッセージの受信された１つと関連付けられる構成シーケンス番号とが、同じ構成シーケンス番号であると決定したことに基づいて、複数のアクセス構成メッセージの１つまたは複数の受信を不能にするためのコードを含み得る。
【００１８】
[0018]いくつかの態様によれば、プログラムは、記憶されているシステムアクセス情報と関連付けられる構成シーケンス番号が、複数のアクセス構成メッセージの受信された１つと関連付けられる構成シーケンス番号と異なると決定したことに基づいて、複数のアクセス構成メッセージの受信を有効にするためのコードを含み得る。複数のアクセス構成メッセージは、システムパラメータメッセージ、アクセスパラメータメッセージ、近隣リストメッセージ、またはチャネルリストメッセージの１つまたは複数を含み得る。基地局からページングメッセージングを受信するためにＭ２Ｍデバイスを構成するためのコードはまた、パイロット取得または同期信号復号の１つまたは複数を実行することなく、基地局からページングメッセージングを受信するためにＭ２Ｍデバイスを構成するためのコードを含み得る。記憶されているページング情報がページングチャネルレートを含むとき、プログラムはさらに、ページングチャネルレートを利用して基地局によって送信されるページングシグナリングを復号するためのコードを含む。
【００１９】
[0019]他の態様によれば、記憶されているページング情報がページングスロット周期を含むとき、プログラムはまた、ページングスロット周期を利用して基地局によって送信されるページングシグナリングを復号するためのコードを含む。記憶されているページング情報が高速ページングチャネルを復号するためのパラメータを含むとき、プログラムは、記憶されているページング情報を利用して高速ページングチャネルを通じて基地局によって送信されるページングシグナリングを復号するためのコードを含み得る。プログラムはまた、トラフィックセッションの間に、基地局との同期のためのタイミング情報を受信するためのコードを含み得る。したがって、基地局によって送信されたページングメッセージングを受信するためにＭ２Ｍデバイスを構成するためのコードは、タイミング情報に少なくとも一部基づき得る。
【００２０】
[0020]またさらなる実施形態によれば、ネットワーク再同期を回避するために構成される固定式のマシンーツーマシン（Ｍ２Ｍ）デバイスが提供される。デバイスは少なくとも１つのコントローラを含み得る。コントローラは、ワイヤレス通信ネットワークの基地局とのトラフィックセッションの開始の前に、基地局と関連付けられるページング情報を記憶し、トラフィックセッションの終了時に、記憶されているページング情報に従って基地局からページングメッセージングを受信するためにＭ２Ｍデバイスを構成するために構成され得る。コントローラはまた、トラフィックセッションの開始の前に、基地局と関連付けられるシステムアクセス情報を受信し、システムアクセス情報は複数のアクセス構成メッセージの中で基地局によって送信される、受信されたシステムアクセス情報を記憶し、トラフィックセッションの終了時に、記憶されているシステムアクセス情報が有効なままであると決定し、記憶されているシステムアクセス情報が有効なままであると決定したことに基づいて、スリープ状態へ直接移行するために構成され得る。コントローラはさらに、記憶されているシステムアクセス情報が有効なままであるという決定に基づいて、複数のアクセス構成メッセージの１つまたは複数の受信を不能にするために構成され得る。
【００２１】
[0021]いくつかの態様によれば、記憶されているシステムアクセス情報が有効なままであると決定することは、記憶されているシステムアクセス情報と関連付けられるオーバーヘッドタイマーに基づく。コントローラはさらに、トラフィックセッションの開始の前に、基地局と関連付けられるシステムアクセス情報を受信し、システムアクセス情報は複数のアクセス構成メッセージの中で基地局によって送信される、受信されたシステムアクセス情報を記憶し、トラフィックセッションの終了時に、記憶されているシステムアクセス情報が期限切れになっていると決定し、スリープ状態へ移行する前に記憶されているシステムアクセス情報を検証するために構成され得る。
【００２２】
[0022]いくつかの態様によれば、記憶されているシステムアクセス情報を検証するために構成されるコントローラはまた、複数のアクセス構成メッセージの１つを受信し、記憶されているシステムアクセス情報と関連付けられる構成シーケンス番号を、複数のアクセス構成メッセージの受信された１つと関連付けられる構成シーケンス番号と比較するために構成される。コントローラはさらに、記憶されているシステムアクセス情報と関連付けられる構成シーケンス番号と、複数のアクセス構成メッセージの受信された１つと関連付けられる構成シーケンス番号とが、同じ構成シーケンス番号であると決定したことに基づいて、複数のアクセス構成メッセージの１つまたは複数の受信を不能にするために構成され得る。コントローラはさらに、記憶されているシステムアクセス情報と関連付けられる構成シーケンス番号が、複数のアクセス構成メッセージの受信された１つと関連付けられる構成シーケンス番号と異なると決定したことに基づいて、複数のアクセス構成メッセージの受信を可能にするために構成され得る。
【００２３】
[0023]さらなる態様によれば、複数のアクセス構成メッセージは、システムパラメータメッセージ、アクセスパラメータメッセージ、近隣リストメッセージ、またはチャネルリストメッセージの１つまたは複数を含む。基地局からページングメッセージングを受信するためにＭ２Ｍデバイスを構成するために構成されるコントローラはまた、パイロット取得または同期信号復号の１つまたは複数を実行することなく、基地局からページングメッセージングを受信するためにＭ２Ｍデバイスを構成するためにさらに構成されるコントローラを含む。記憶されているページング情報がページングチャネルレートを含むとき、コントローラは、ページングチャネルレートを利用して基地局によって送信されるページングシグナリングを復号するために構成され得る。記憶されているページング情報がページングスロット周期を含むとき、コントローラは、ページングスロット周期を利用して基地局によって送信されるページングシグナリングを復号するために構成され得る。記憶されているページング情報が高速ページングチャネルを復号するためのパラメータを含むとき、コントローラは、記憶されているページング情報を利用して高速ページングチャネルを通じて基地局によって送信されるページングシグナリングを復号するために構成され得る。さらなる態様によれば、コントローラが、トラフィックセッションの間に、基地局との同期のためのタイミング情報を受信するために構成されるとき、コントローラはまた、タイミング情報に少なくとも一部基づいて、基地局によって送信されるページングメッセージングを受信するためにＭ２Ｍデバイスを構成するために構成される。
【００２４】
[0024]説明される方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２５】
[0025]本発明の性質および利点のさらなる理解は、以下の図面を参照して実現され得る。添付の図において、同様のコンポーネントまたは特徴は同じ参照ラベルを有し得る。さらに、同じタイプの様々なコンポーネントは、参照ラベルの後に、ダッシュと、それらの同様のコンポーネントを区別する第２のラベルとを続けることによって区別され得る。第１の参照ラベルのみが明細書において使用される場合、その説明は、第２の参照ラベルにかかわらず、同じ第１の参照ラベルを有する同様のコンポーネントのうちのいずれにも適用可能である。
【図面の簡単な説明】
【００２６】
【図１】[0026]ワイヤレス通信システムの例を示す図。
【図２】[0027]ワイヤレス通信システムの例を示す図。
【図３】[0028]通信デバイスとワイヤレス通信システムの基地局との間の例示的な通信フローを示す図。
【図４】[0029]ハンドオーバー手順に従った、通信デバイスとワイヤレス通信システムの２つの基地局との間の通信フローを示す別の図。
【図５】[0030]トラフィックセッションから、ページングチャネルが監視されるページングモードへの移行を示すプロセス図。
【図６】[0031]トラフィックセッションからページングモードへ直接移行することが安全かどうかを決定するための例示的な階層的フローをより詳細に示す別のプロセス図。
【図７】[0032]トラフィックセッションからページングモードへの直接の移行のための例示的なデバイスの態様を示すブロック図。
【図８】[0033]トラフィックセッションからページングモードへの直接の移行のためさらに別の例示的なデバイスの態様を示すブロック図。
【図９】[0034]通信デバイスの例のブロック図。
【図１０】[0035]トラフィックセッションからページングモードへの高速な移行のための方法のフローチャート。
【図１１】[0036]トラフィックセッションからページングモードへの高速な移行のための別の方法のフローチャート。
【図１２】[0037]トラフィックセッションからページングモードへの高速な移行のためのさらに別の方法のフローチャート。
【図１３】[0038]Ｍ２Ｍデバイスと基地局との間の例示的な通信フローを示す図。
【図１４】[0039]Ｍ２Ｍデバイスと基地局との間の別の例示的な通信フローを示す図。
【図１５】[0040]Ｍ２Ｍデバイスにおけるトラフィックセッションからページングモードへの移行を示すプロセス図。
【図１６】[0041]Ｍ２Ｍデバイスにおけるトラフィックセッションからページングモードへの移行を示す別のプロセス図。
【図１７】[0042]デバイスのブロック図。
【図１８】[0043]別のデバイスのブロック図。
【図１９】[0044]Ｍ２Ｍデバイスの例のブロック図。
【図２０】[0045]Ｍ２Ｍデバイスにおいてトラフィックセッションからページングモードへ移行するための方法のフローチャート。
【図２１】[0046]Ｍ２Ｍデバイスにおいてトラフィックセッションからページングモードへ移行するための別の方法のフローチャート。
【図２２】[0047]Ｍ２Ｍデバイスにおいてトラフィックセッションからページングモードへ移行するためのさらに別の方法のフローチャート。
【発明を実施するための形態】
【００２７】
[0048]トラフィックセッションからページングモードへの高速な移動のための方法、システム、およびデバイスが説明される。トラフィックセッションが終了する（たとえば、呼が解放される）と、トラフィックセッションからページングモードへの直接の移行が安全かどうかについての決定が行われる。トラフィックセッションからページングモードへの直接の移行は、パイロット信号の検出および取得、同期チャネルの受信および復号などを実行することなく、トラフィックセッションのためのトラフィックチャネルを通じた通信からページングチャネルを介してページング情報を受信することへと直接移行することを含み得る。安全であると決定される場合、態様は、ページングチャネルを介してページング情報の受信のためのパラメータを決定することを規定する。たとえば、ページングチャネルを介してページングメッセージを受信し復号するために、ページングチャネル情報が決定され得る。代替的に、ページングチャネルのための１つまたは複数の最新の良好なパラメータに基づいて、ブラインド検出方式が利用され得る。
【００２８】
[0049]いくつかの態様によれば、呼前ネットワークパラメータが、トラフィックセッションの開始の前に記憶され得る。呼前ネットワークパラメータは、モバイルデバイスがページングモード（たとえば、アイドルモードまたはスリープモード）にありページングチャネルを監視している間に記憶され得る。代替的に、呼前ネットワークパラメータは、モバイルデバイスが、ページングモードから、トラフィックチャネルを介して通信するトラフィックセッションへ移行するときに、呼設定プロセスの一部として記憶され得る。トラフィックセッションの間に、または呼解放手順の一部として、呼中ネットワークパラメータが記憶され得る。トラフィックセッションの終了時に、モバイルデバイスは、ページングモードへの安全な直接の移行が許されるかどうかを、呼前ネットワークパラメータおよび呼中ネットワークパラメータに基づいて決定することができる。たとえば、モバイルデバイスは、階層的フローを使用して、呼前ネットワークパラメータと呼中ネットワークパラメータとを比較することができる。モバイルデバイスは、トラフィックセッションからページングモードへの直接の移行のために使用される同期情報を決定することができる。
【００２９】
[0050]いくつかの実施形態では、モバイルデバイスは、２つの独立に調整可能な受信機を有し得る。第１の受信機は、トラフィックセッションの間はトラフィックチャネルを介して通信するように調整され得るが、第２の受信機は、トラフィックセッションの間はページングチャネルを介してページング情報を受信するように調整され得る。モバイルデバイスは、第２の受信機を介して現在のページング情報を受信することができ、トラフィックセッションの終了時に、トラフィックセッションからページングモードへ直接安全に移行することができる。
【００３０】
[0051]他の実施形態によれば、固定式のＭ２Ｍデバイスのためのネットワーク再同期手順を回避するための、方法、システム、およびデバイスが説明される。説明される特徴は、トラフィックセッションの終了時に、ネットワーク再同期手順を回避し、ページングモードへ直接移行するために、Ｍ２Ｍデバイスを構成することを規定する。Ｍ２Ｍデバイスは、トラフィックセッションの開始の前に、基地局と関連付けられるページング情報を記憶することができる。トラフィックセッションの終了時に、Ｍ２Ｍデバイスは、記憶されているページング情報に基づいて基地局からページングメッセージングを受信するために構成され得る。システムアクセス情報（たとえば、ネットワークオーバーヘッド情報）も記憶されてよく、Ｍ２Ｍデバイスは、記憶されているシステムアクセス情報が期限切れになっているかどうかを決定することができる。一例では、オーバーヘッドタイマーがシステムアクセス情報と関連付けられ、システムアクセス情報が記憶されるときに開始されてよい。オーバーヘッドタイマーが周期を完了していない限り、システムアクセス情報は最新であると見なされ得る。タイマーが期限切れになっている場合、Ｍ２Ｍデバイスは、システムアクセス情報を検証し、必要であれば更新することができる。
【００３１】
[0052]他の態様によれば、説明される特徴は、システムアクセス情報が最新および／または有効であるときに、固定式のＭ２Ｍデバイスが、いくつかのアクセス構成メッセージを受信し復号する必要性を回避することを可能にし得る。システムアクセス情報は、１つまたは複数のアクセス構成メッセージにおいて基地局から受信され得る。アクセス構成メッセージは、ワイヤレス通信システムのためのネットワークパラメータ（たとえば、ネットワークオーバーヘッドパラメータ）のセットと関連付けられ得る構成シーケンス番号を含み得る。固定式のＭ２Ｍデバイスは、１つまたは複数のアクセス構成メッセージからの構成シーケンス番号を、Ｍ２Ｍデバイスに現在記憶されているシステムアクセス情報と関連付けられる構成シーケンス番号と比較することができる。構成シーケンス番号が一致する場合、Ｍ２Ｍデバイスは、記憶されているシステムアクセス情報が有効であると決定することができ、追加のアクセス構成メッセージの受信を不能にすることができる。代替的に、構成シーケンス番号が一致しない場合、Ｍ２Ｍデバイスは、記憶されているシステムアクセス情報を更新するために、１つまたは複数の後続のシステムアクセスメッセージの受信を可能にすることができる。
【００３２】
[0053]本明細書で説明される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムのような、様々なワイヤレス通信システムのために使用され得る。「システム」と「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の技術のような、ワイヤレスシステムにおける多重接続のための様々な無線通信技術を使用し得る。一般に、ワイヤレス通信は、無線アクセス技術（ＲＡＴ）と呼ばれる１つまたは複数の無線通信技術の標準化された実装形態に従って実行される。無線アクセス技術を実装するワイヤレス通信システムまたはネットワークは、無線アクセスネットワーク（ＲＡＮ）と呼ばれ得る。
【００３３】
[0054]ＣＤＭＡ技法を採用するＲＡＴの例は、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などを含む。ＣＤＭＡ２０００は、ＩＳ−２０００、ＩＳ−９５およびＩＳ−８５６規格を包含する。ＩＳ−２０００  Ｒｅｌｅａｓｅ  ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムの例はＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））の様々な実装形態を含む。ＦＤＭＡおよび／またはＯＦＤＭＡを採用するＲＡＴの例は、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどを含む。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる組織からの文書に記載されている。ＣＤＭＡ２０００およびＵＭＢは、「第３世代パートナーシッププロジェクト２」（３ＧＰＰ２）と呼ばれる組織からの文書に記載されている。本明細書で説明される技法は、上記のシステムおよび無線技術、ならびに他のシステムおよび無線技術に使用され得る。
【００３４】
[0055]したがって、以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な実施形態は、必要に応じて様々な手順またはコンポーネントを省略し、置換し、または追加することができる。たとえば、説明される方法は、説明される順序と異なる順序で実行されてよく、様々なステップが追加され、省略され、または組み合わせられてよい。また、いくつかの実施形態に関して説明される特徴は、他の実施形態において組み合わせられ得る。
【００３５】
[0056]最初に図１を参照すると、ブロック図は、ワイヤレス通信システム１００の一例を示す。システム１００は、基地局１０５（またはセル）と、モバイルデバイス１１５と、コントローラ１３０と、コアネットワーク１４０とを含む（コントローラ１３０はコアネットワーク１４０に組み込まれることがある）。一例では、コントローラ１３０は、１組の基地局１０５に結合され、これらの基地局１０５の調整と制御とを行い得る。コントローラ１３０は、ワイヤレスバックホールまたは有線バックホールを介して基地局１０５と通信し得る。基地局１０５はまた、直接もしくは間接的に、および／または、ワイヤレスバックホールもしくは有線バックホールを介して、互いに通信し得る。コアネットワーク１４０は、モバイル交換センター（ＭＳＣ）、サービングゲートウェイ、パケットデータサービングノード、パケットデータネットワークゲートウェイ、モビリティ管理エンティティ、ホームロケーションレジスタ（ＨＬＲ）、ビジターロケーションレジスタ（ＶＬＲ）などのようなネットワークエンティティを含み得る。
【００３６】
[0057]システム１００は、複数のキャリア（異なる周波数の波形信号）上での動作をサポートすることができる。マルチキャリア送信機は、複数のキャリア上で同時に被変調信号を送信し得る。たとえば、各被変調信号は、上で説明された様々な無線技術に従って変調されたマルチキャリアチャネルであり得る。各被変調信号は、異なるキャリア上で送られてよく、制御情報（たとえば、パイロット信号、制御チャネルなど）、オーバーヘッド情報、データなどを搬送してよい。システム１００は、重複するカバレッジエリアまたは重複しないカバレッジエリアを伴う、複数のＲＡＮを含み得る。
【００３７】
[0058]基地局１０５は、基地局アンテナ（図示されず）を介してモバイルデバイス１１５とワイヤレスに通信し得る。基地局１０５は、複数のキャリアを介してコントローラ１３０の制御下でデバイス１１５と通信し得る。基地局１０５の各々は、それぞれの地理的エリアに通信カバレッジを与えることができる。いくつかの実施形態では、基地局１０５は、基地局装置（ＢＴＳ）、無線基地局、アクセスポイント、無線送受信機、基本サービスセット（ＢＳＳ）、拡張サービスセット（ＥＳＳ）、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、またはいくつかの他の好適な用語で呼ばれることがある。コントローラ１３０は、基地局コントローラ（ＢＳＣ）、無線ネットワークコントローラ（ＲＮＣ）などと呼ばれ得る。ここでは、各基地局１０５に対するカバレッジエリアは、１１０−ａ、１１０−ｂまたは１１０−ｃとして識別される。基地局に対するカバレッジエリアは、セクタ（たとえば、セクタ１１２−ｂ−１、１１２−ｂ−２、１１２−ｂ−３など）に分割され得る。システム１００は、異なるタイプの基地局１０５（たとえば、マクロ基地局、ピコ基地局、および／またはフェムト基地局）を含み得る。マクロ基地局は比較的大きい地理的エリア（たとえば、半径３５ｋｍ）に通信カバレッジを与えることができる。ピコ基地局は比較的小さい地理的エリア（たとえば、半径２ｋｍ）にカバレッジを与えることができ、フェムト基地局は比較的より小さい地理的エリア（たとえば、半径５０ｍ）に通信カバレッジを与えることができる。異なる技術のための重複するカバレッジエリアがあり得る。
【００３８】
[0059]デバイス１１５はカバレッジエリア１１０全体にわたって分散され得る。各デバイス１１５は、固定式または移動式であり得る。一構成では、デバイス１１５は、リンク１２５を介して、限定はされないが、マクロ基地局、ピコ基地局、およびフェムト基地局のような、異なるタイプの基地局と通信することが可能であり得る。
【００３９】
[0060]一般に、モバイルデバイス１１５は、どのネットワークおよび／または基地局１０５が最良のダウンリンクチャネル状態および／またはアップリンクチャネル状態を提供し得るかを決定するために、基地局１０５からの１つまたは複数のパイロット信号を監視する。モバイルデバイス１１５は次いで、通信のためにＲＡＮおよび／または特定の基地局１０５を選択し、基地局と同期し、ネットワークに登録または「居座る」ことができる。ネットワークへのデバイスの登録は、ネットワークアタッチメントとも呼ばれ得る。同期は、同期チャネルからシステム基準時間を取得することと、システム識別情報とシステムパラメータ情報とを受信することとを伴い得る。登録および／またはアタッチメントは、デバイスからＲＡＮにアタッチ要求を送ることを含んでよく、ＲＡＮは、登録されるデバイスのデバイス識別子（たとえば、一時モバイル加入者識別情報（ＴＭＳＩ）など）を割り振り得る。登録はまた、ネットワーク上でのデバイスの認証、デバイスおよびネットワークにおけるベアラコンテキストの設定、および／またはネットワークによるモビリティ管理を含み得る。
【００４０】
[0061]モビリティ管理は、呼、ショートメッセージングサービス（ＳＭＳ）、および／またはモバイル終端（ＭＴ）通信を必要とし得る他のサービスのようなＭＴ通信のために、ネットワークが加入者を位置特定できるように、登録されたデバイスを追跡することと関連付けられる機能を提供する。モバイルデバイスを位置特定するために、ネットワークはネットワーク位置エリアに分割され得る。各ネットワーク位置エリアは、基地局１０５のグループと関連付けられ得る。各基地局が複数のセルまたはセクタをサポートする場合、各ネットワーク位置エリアは、複数の基地局からの複数のセルまたはセクタから構成され得る。
【００４１】
[0062]特定のネットワークまたは基地局に「居座る」間、モバイルデバイス１１５は、ネットワークオーバーヘッドとネットワークのためのページングメッセージングとを監視し、定期的に、またはデバイスもしくはネットワークパラメータに対する変更に基づいて、ネットワーク登録を更新することができる。ネットワークオーバーヘッドメッセージングは、特定のネットワークと通信するために使用される様々な情報を含み得る。たとえば、ネットワークオーバーヘッドメッセージングは、システムパラメータ、アクセスパラメータ、近隣リスト、チャネルリストなどを含み得る。システムパラメータは、たとえば、ページングチャネル情報、デバイス登録に関するパラメータ、および／またはパイロット取得を支援するためのパラメータを含み得る。アクセスパラメータは、たとえば、アクセスチャネルの構成に関するパラメータ（たとえば、プリアンブルサイズ、最大サイズなど）、および／またはアクセスチャネルを安定化するために使用される制御パラメータを含み得る。近隣リストは、パイロットの時間オフセットと、近隣アクセスポイントのための基本構成とを含み得る。チャネルリストパラメータは、ページングチャネル、アクセスチャネル、および／またはトラフィックチャネルに対する周波数の割当てを含み得る。ネットワークオーバーヘッドメッセージングは、たとえば、ネットワークの同期チャネル、ページングチャネル（ＰＣＨ）、共通制御チャネル（ＣＣＨ）、および／またはブロードキャスト制御チャネル（ＢＣＣＨ）で送信され得る。
【００４２】
[0063]一般に、（たとえば、音声呼などを介して）アクティブに通信していない間、モバイルデバイス１１５は、電力を節約してページング情報を受信するための短い時間の期間での受信を可能にする、ページングモードにあり得る。モバイルデバイス１１５は、モバイル発信（ＭＯ）トラフィックセッションまたはモバイル終端（ＭＴ）トラフィックセッションであり得るトラフィックセッションにおいて、ネットワークと通信することができる。トラフィックセッションの終了時に、モバイルデバイス１１５は、ページングモードに戻る前に再同期プロセスを完了する。この再同期プロセスは、パイロット信号の検出と、また、１つまたは複数のＳＹＮＣメッセージの受信と復号（たとえば、同期チャネルを通じた）とを伴い得る。この再同期プロセスの間、モバイルデバイス１１５はＰＣＨを監視することができず、基地局１０５からの着信ページングメッセージ（たとえば、呼設定メッセージ）を逃すことがある。加えて、モバイルデバイス１１５は、再同期プロセスの間に、新たなトラフィックセッション（たとえば、呼、ＳＭＳなど）を発信することができない。トラフィックセッションとページング情報の受信との間の遅延時間は、ユーザが短い呼および／またはメッセージを送信および／または受信しているときは特に、知覚されるユーザ体験を下げ得る。
【００４３】
[0064]システム１００は人を伴うワイヤレス通信のために主に設計され得るが、システム１００は、様々な機能を実行し、情報を捕捉し、および／または、限られた人の介入で、もしくはそれをほとんど伴わずに情報を通信する、Ｍ２Ｍデバイス１２０をサポートすることができる。たとえば、Ｍ２Ｍデバイス１２０は、他のデバイス、環境条件などを監視および／または追跡するためのセンサおよび／または計器を含み得る。Ｍ２Ｍデバイス１２０は、限定はされないが、遠隔監視、測定および状態記録、フリート管理および資産追跡、インフィールド（in-field）データ収集、配信、物理的アクセス制御、および／または記憶などのような、様々な用途に使用され得る。
【００４４】
[0065]Ｍ２Ｍデバイス１２０は、スタンドアロンデバイスであってよく、または、実施形態では、Ｍ２Ｍデバイス１２０は、他のデバイスに組み込まれるモジュールであってよい。たとえば、スマートフォン、携帯電話、およびワイヤレス通信デバイス、携帯情報端末（ＰＤＡ）、タブレット、他のハンドヘルドデバイス、ネットブック、ウルトラブック、スマートブック、ノートブックコンピュータ、監視カメラ、ハンドル付き医療用走査デバイス、家庭用電気機器などのようなデバイス（たとえば、ユーザ機器、移動局など）が、１つまたは複数のＭ２Ｍデバイスモジュール１２０を含み得る。次の説明では、ネットワークと１つまたは複数のＭ２Ｍデバイスとを含むシステムのための通信および処理に適用されるものとして、様々な技法が説明される。説明される技法は、Ｍ２Ｍモジュールを組み込んだもののような他のデバイス、および／または、他のワイヤレス通信デバイスに有利に適用され得ることを理解されたい。
【００４５】
[0066]Ｍ２Ｍデバイス１２０によって収集された情報は、サーバのようなバックエンドシステムへ、システム１００のコンポーネントを含むネットワーク上で送信され得る。Ｍ２Ｍデバイス１２０への／からのデータの送信は、基地局１０５を通ってルーティングされ得る。基地局１０５は、Ｍ２Ｍデバイス１２０へシグナリングおよび／または情報を送信するための順方向リンク、ならびに、Ｍ２Ｍデバイス１２０からシグナリングおよび／または情報を受信するための逆方向リンク上で、Ｍ２Ｍデバイス１２０と通信し得る。
【００４６】
[0067]Ｍ２Ｍデバイス１２０の様々な態様は、人を伴う従来のワイヤレス通信とは異なる課題を、ワイヤレス通信ネットワークに課し得る。たとえば、Ｍ２Ｍデバイス１２０は、モビリティおよび電力効率に関して、従来のワイヤレスデバイスとは異なる様相を有し得る。たとえば、いくつかのＭ２Ｍデバイス１２０は、静的な位置に永続的に設置されることがあり、または、位置が静的であり得る時間の期間に続いて移動の時間の期間を有することがある。加えて、いくつかのＭ２Ｍデバイス１２０は電力効率が高い必要があり得る。たとえば、一部のＭ２Ｍデバイスは容易に入手可能な電源を有さないことがあり、要求されるサービスおよび整備を減らすために、長いバッテリー駆動時間が重要であり得る。
【００４７】
[0068]いくつかの実施形態では、システム１００は、モバイルデバイス１１５および／またはＭ２Ｍデバイス１２０における、トラフィックセッションからページングモードへの高速な移行のために構成される。説明される技法は、たとえば、トラフィックセッションから、ＰＣＨが監視されるページングモード（たとえば、アイドル状態またはスリープ状態など）へ直接移行するために、モバイルデバイス１１５によって使用され得る。一般に、本技法は、呼の前に記憶されているいくつかのネットワークパラメータ（たとえば、呼前ネットワークパラメータ）を、呼の間（たとえば、ＴＣＨ上にある間のトラフィックセッションの間）に取得されるネットワークパラメータと比較することに基づいて、呼が終了した後にトラフィックセッション（たとえば、ＴＣＨを使用すること）からページングモード（たとえば、ＰＣＨを監視すること）への直接の移行を実行することが安全であるかどうかを決定することができる。呼の終了時に、ネットワークパラメータが比較され、ＴＣＨからページング（またはアイドル）モードへ直接移行することが安全かどうかが決定され得る。
【００４８】
[0069]いくつかの態様によれば、トラフィックセッションからページングモードへの直接の移行は、呼の前、または呼設定の間に、モバイルデバイス１１５がネットワークパラメータを記憶することを伴い得る。例示的な呼前ネットワークパラメータは、モバイルデバイス１１５がどのネットワークで動作しているか、バンドクラス（たとえば、８００ＭＨｚ、１９００ＭＨｚなど）、周波数、および／またはパイロット擬似ノイズ（ＰＮ）オフセットシーケンスを識別する、システム識別情報／ネットワーク識別情報（ＳＩＤ／ＮＩＤ）を含み得る。他のネットワークパラメータは任意選択で、チャネル割当てメッセージ（ＣＡＭ）または拡張チャネル割当てメッセージ（ＥＣＡＭ）において、ネットワークから受信される割り当てられた周波数を含み得る。呼の前または呼設定プロセスの間に記憶されている呼前ネットワークパラメータは、いくつかの例では、ネットワークパラメータの第１のセットと呼ばれ得る。
【００４９】
[0070]他の態様は、トラフィックセッション中でありＴＣＨ上で通信している間に、モバイルデバイス１１５がネットワークパラメータを記憶することを規定し得る。これらの呼中ネットワークパラメータは、トラフィックセッションの一部として、またはトラフィックセッション終了プロセスの一部として（たとえば、モバイルデバイス１１５が呼を解放するとき）、受信および／または記憶され得る。これらのネットワークパラメータはまた、呼の間のネットワークと関連付けられる、ＳＩＤ／ＮＩＤと、バンドクラスと、周波数と、パイロットＰＮオフセットシーケンスとを含み得る。これらのトラフィック中ネットワークパラメータは、いくつかの例では、ネットワークパラメータの第２のセットと呼ばれ得る。呼中ネットワークパラメータは、様々な理由で呼前ネットワークパラメータと異なり得る。たとえば、ネットワークパラメータを変化させ得る状況は、ネットワーク内またはネットワーク間でのハンドオフ、異なるアクティブセットへのハンドオフ、および／または、ネットワーク負荷もしくは変化する信号伝播特性による周波数もしくはバンドクラスの変化を含む。これらの状況において、モバイルデバイス１１５は、従来の再同期プロセス（たとえば、パイロット信号の検出および取得とＳＹＮＣメッセージの受信および復号）がトラフィックセッションの後にＰＣＨを正しく監視するために要求されると、決定することができる。
【００５０】
[0071]他の実施形態では、システム１００は、固定式のＭ２Ｍデバイスのためのネットワーク再同期手順を回避するために構成される。説明される技法は、たとえば、トラフィックセッションの終了時に、再同期またはページング情報の取得を伴わずに、ページングメッセージングを受信するためにデバイス１２０を構成するために、固定式のＭ２Ｍデバイス１２０によって使用され得る。トラフィックセッションの開始の前に、Ｍ２Ｍデバイス１２０は、一例として、基地局１０５−ｂと関連付けられるページング情報を記憶することができる。ページング情報は、基地局１０５−ｂのＰＣＨと関連付けられ、デバイス（たとえば、デバイス１１５および／または１２０）がＰＣＨを通じて基地局１０５−ｂからページングメッセージを受信することを可能にする、情報を含み得る。Ｍ２Ｍデバイス１２０は、基地局１０５−ｂと関連付けられるＴＣＨを介して情報またはデータを交換するために、基地局１０５−ｂとのトラフィックセッションに入ることができる。トラフィックセッションの終了時に、Ｍ２Ｍデバイス１２０は、記憶されているページング情報に従って、基地局１０５−ｂからページングメッセージングを受信するために構成され得る。
【００５１】
[0072]いくつかの態様によれば、Ｍ２Ｍデバイス１２０は、トラフィックセッションの前に、基地局１０５−ｂと関連付けられるシステムアクセス情報を受信し記憶することができる。トラフィックセッションの終了時に、Ｍ２Ｍデバイス１２０は、記憶されているシステムアクセス情報が期限切れになっているかどうかを決定することができる。たとえば、記憶されているシステムアクセス情報は、関連付けられるオーバーヘッドタイマーが周期を完了していない場合、最新であると見なされ得る。オーバーヘッドタイマーが周期を完了している場合、Ｍ２Ｍデバイス１２０は、記憶されているシステムアクセス情報を検証することができる。
【００５２】
[0073]記憶されているシステムアクセス情報は、記憶されているシステムアクセス情報と関連付けられる構成シーケンス番号を現在の構成シーケンス番号と比較することに基づいて、検証され得る。現在の構成シーケンス番号は、１つまたは複数のアクセス構成メッセージにおいて、基地局１０５−ｂによって送信され得る。たとえば、Ｍ２Ｍデバイス１２０は、現在の構成シーケンス番号を含む１つまたは複数のアクセス構成メッセージを受信し、現在の構成シーケンス番号を記憶されているシステムアクセス情報の構成シーケンス番号と比較することができる。比較された構成シーケンス番号が一致する場合、Ｍ２Ｍデバイス１２０は、記憶されているシステムアクセス情報が有効であると決定することができるので、更新される必要はない。したがって、Ｍ２Ｍデバイス１２０は、１つまたは複数の後続のアクセス構成メッセージの受信を不能にし得る。
【００５３】
[0074]図２は、様々な実施形態による、トラフィックセッションからページングモードへの高速な移行のために構成されるワイヤレス通信ネットワーク２００を示す。ワイヤレス通信ネットワーク２００は、たとえば、ワイヤレス通信ネットワーク１００の態様を示し得る。ワイヤレス通信ネットワーク２００は、モバイルデバイス１１５−ａと、基地局１０５−ｄと、基地局１０５−ｅと、基地局１０５−ｆと、基地局１０５−ｇとを含み得る。基地局１０５−ｄ、１０５−ｅ、１０５−ｆ、および１０５−ｇは、バックホールリンク２３２を介してコアネットワーク１４０−ａに接続され得る（わかりやすくするためにバックホールリンク２３２のうちの２つのみが示されている）。基地局１０５−ｄ、１０５−ｅ、１０５−ｆ、および１０５−ｇは、バックホールリンク２３４を介して互いに接続され得る（わかりやすくするためにバックホールリンク２３４のうちの３つのみが示されている）。
【００５４】
[0075]図２において、モバイルデバイス１１５−ａは、基地局１０５−ｄ、１０５−ｅ、１０５−ｆ、および１０５−ｇからそれぞれパイロット信号２３５−ｄ、２３５−ｅ、２３５−ｆ、および２３５−ｇを受信できる位置に配置され得る。モバイルデバイス１１５−ａは、最強のパイロット信号を決定し、ネットワークへの登録のために、最強のパイロット信号と関連付けられる基地局１０５と通信することができる。たとえば、モバイルデバイス１１５−ａは、パイロット信号２３５−ｅが最強のパイロット信号であると決定し、基地局１０５−ｅに登録することができる。
【００５５】
[0076]登録されると、モバイルデバイス１１５−ａは、基地局１０５−ｅからＰＣＨを介して様々なネットワークパラメータを受信することができる。たとえば、モバイルデバイス１１５−ａは、システムパラメータメッセージ（ＳＰＭ）、ＰＣＨアクティブセットＰＮメッセージ、および／またはＥＣＡＭメッセージを、基地局１０５−ｅからＰＣＨ上で受信することができる。ＳＰＭは、ＳＩＤ／ＮＩＤと、バンドクラスと、ネットワークパラメータの周波数成分とを含み得る。ＰＣＨアクティブセットＰＮは、アクティブセットと、候補セットと、近隣セットと、残存セットとを含み得る。アクティブセットは、最強のパイロット信号を有する基地局を含み得る。候補セットは、通信のために十分強いパイロットを伴うがアクティブセットに列挙されていない基地局を含み得る。近隣セットは、アクティブセットまたは候補セットの中にないがハンドオフの候補である可能性が高い基地局を含み得る。残存セットは、別のセットの中にないネットワーク中の他の基地局を含み得る。図２に示される例では、モバイルデバイス１１５−ａのための基地局のアクティブセットは、基地局１０５−ｄ、１０５−ｅ、および１０５−ｇであり得るが、基地局１０５−ｆは候補セットに列挙され得る。モバイルデバイス１１５−ａは、呼前ネットワークパラメータ（たとえば、ＳＩＤ／ＮＩＤ、バンドクラス、周波数など）のいくつかまたはすべてを記憶することができる。
【００５６】
[0077]トラフィックセッションの間、モバイルデバイス１１５−ａは、アクティブセットにおいて定義される基地局とＴＣＨを介して（たとえば、基地局１０５−ｄ、１０５−ｅ、および１０５−ｇとそれぞれ、リンク１２５−ｄ、１２５−ｅ、および／または１２５−ｇを介して）通信することができる。モバイルデバイス１１５−ａは、トラフィックセッションの間に、これらの基地局から、ＴＣＨと関連付けられる呼中ネットワークパラメータを受信し記憶することができる。たとえば、モバイルデバイス１１５−ａは、ＳＩＤ／ＮＩＤ、バンドクラス、周波数、およびアクティブセットＰＮと関連付けられるネットワークパラメータを受信し記憶することができる。
【００５７】
[0078]様々なネットワークパラメータが、トラフィックセッションの間に変化し得る。たとえば、モバイルデバイス１１５−ａは、基地局１０５−ｆにより近い新たな位置へと動き得るので、パイロット２３５−ｆがパイロット２３５−ｄ、２３５−ｅ、および／または２３５−ｇの１つよりも強くなる。したがって、コアネットワーク１４０−ａは、モバイルデバイス１１５−ａに割り当てられたアクティブセットを変更することができる。同様に、他の基地局が、トラフィックセッションの間にモバイルデバイス１１５−ａに割り当てられたアクティブセットに追加され、もしくはそれから削除されることがあり、または、モバイルデバイス１１５−ａが異なるアクティブセットにハンドオフされることがある。加えて、アクティブセットは、ネットワーク負荷または他の要因で、モバイルデバイス１１５−ａと通信するために使用される様々なパラメータを修正し得る。アクティブセットが変化し、および／またはモバイルデバイスが初期アクティブセットの外側の基地局へハンドオフされるにつれて、モバイルデバイス１１５−ａのバンドクラスおよび／または周波数が変化し得る。したがって、呼中ネットワークパラメータは、モバイルデバイス１１５−ａによって記憶されている呼前ネットワークパラメータと異なり得る。
【００５８】
[0079]変化するネットワークパラメータの一例として、基地局１０５−ｄ、１０５−ｅ、１０５−ｆ、および／または１０５−ｇのいずれかが、同じまたは異なるネットワークパラメータを有し得る。たとえば、基地局１０５−ｅおよび１０５−ｆは、異なるＳＩＤ／ＮＩＤ、バンドクラス、周波数などで動作し得る。その状況では、モバイルデバイス１１５−ａは、呼前ネットワークパラメータ（すなわち、呼の前およびＰＣＨを監視している間に基地局１０５−ｅと関連付けられるネットワークパラメータ）を呼中ネットワークパラメータ（すなわち、トラフィックセッションの間に基地局１０５−ｆと関連付けられるネットワークパラメータ）と比較し、ＴＣＨから、基地局１０５−ｆのＰＣＨが監視されるページングモードへ直接移行することが安全ではないと決定することができる。その例では、従来の再同期手順が守られ得る。別の例によれば、基地局１０５−ｅおよび基地局１０５−ｆのネットワークパラメータは同じであり得る。その状況では、モバイルデバイス１１５−ａは、ネットワークパラメータの第１のセットと第２のセットとを比較し、ＴＣＨからページングモードへの直接の移行が安全であると決定することができる。その例では、モバイルデバイス１１５−ａは、ＴＣＨからページングモードへ直接移行することができる。
【００５９】
[0080]ワイヤレス通信ネットワーク２００はまた、固定式のＭ２Ｍデバイス１２０−ａを含み得る。Ｍ２Ｍデバイス１２０−ａは、パイロット２３５−ｆが最強の受信されたパイロットとなるように位置することがあり、結果として、Ｍ２Ｍデバイス１２０−ａは基地局１０５−ｆに登録し得る。基地局１０５−ｆに登録されている間、Ｍ２Ｍデバイス１２０−ａは一般に、Ｍ２Ｍデバイス１２０−ａが低電力モードにあり区切られたページング周期に基づいてページング情報の受信を可能にする、スリープ状態またはページングモードにあり得る。情報を送信または受信するために、Ｍ２Ｍデバイス１２０−ａは基地局１０５−ｆとのトラフィックセッションに入り、次いで、トラフィックセッションが完了すると、スリープ状態に戻ることができる。いくつかの態様によれば、Ｍ２Ｍデバイス１２０−ａは、トラフィックセッションの前に、基地局１０５−ｆと関連付けられるページング情報を記憶し、次いで、トラフィックセッションが完了するときに、記憶されているページング情報に基づいてトラフィックセッションからページングモードへ直接移行することができる。したがって、固定式のＭ２Ｍデバイス１２０−ａは、トラフィックセッションからスリープ状態へ移行することと通常は関連付けられるネットワーク再同期手順を回避することができる。したがって、Ｍ２Ｍデバイス１２０−ａは、スリープ状態へより高速に戻り、たとえば電力を節約することができる。
【００６０】
[0081]様々な態様はまた、Ｍ２Ｍデバイス１２０−ａが基地局１０５−ｆと関連付けられるシステムアクセス情報を記憶することを規定し得る。システムアクセス情報は、様々なネットワークパラメータ（たとえば、ＳＩＤ／ＮＩＤ、バンドクラス、アクティブセットＰＮオフセットシーケンス）を示す情報、および／または、基地局１０５−ｆと関連付けられるアクセスチャネル（たとえば、プリアンブルサイズ、最大サイズ、安定化パラメータなど）の構成に関する情報を含み得る。システムアクセス情報は、システムアクセス情報の部分を各々含むある数（たとえば、通常は７個または８個）のアクセス構成メッセージの中で、基地局１０５によって送信され得る。まとめると、アクセス構成メッセージ中の情報は、基地局１０５−ｆとの通信を開始するためのアクセス手順のために、Ｍ２Ｍデバイス１２０−ａによって使用され得る。アクセス構成メッセージは、ネットワークパラメータのセットと関連付けられる構成シーケンス番号を含み得る。一例として、Ｍ２Ｍデバイス１２０−ａは、受信された構成シーケンス番号に基づいて、基地局１０５−ｆと関連付けられる適用可能なネットワークパラメータを決定するために、参照テーブルを利用することができる。
【００６１】
[0082]Ｍ２Ｍデバイス１２０−ａは、システムアクセス情報を記憶し、記憶されているシステムアクセス情報をオーバーヘッドタイマーと関連付けることができる。記憶されているシステムアクセス情報は、オーバーヘッドタイマー周期の期間は最新であると見なされ、タイマーが周期を完了すると期限切れであると見なされ得る。いくつかの態様によれば、Ｍ２Ｍデバイス１２０−ａは、トラフィックセッションが終了した後に、記憶されているシステムアクセス情報が期限切れになっているかどうかを決定するために構成され得る。最新である場合、Ｍ２Ｍデバイス１２０−ａは、１つまたは複数のアクセス構成メッセージの受信を不能にするために構成され得る。期限切れになっている（たとえば、オーバーヘッドタイマーが周期を完了している）場合、Ｍ２Ｍデバイス１２０−ａは、記憶されているシステムアクセス情報を検証し、必要であれば更新することができる。Ｍ２Ｍデバイス１２０−ａは、記憶されているシステムアクセス情報の構成シーケンス番号を現在の構成シーケンス番号と比較することによって、記憶されているシステムアクセス情報を検証することができる。
【００６２】
[0083]図３は、様々な実施形態による、トラフィックセッションからページングモードへの直接の移行のための通信フロー３００を示す図である。通信フロー３００は、たとえば、トラフィックセッションからページングモードへの直接の移行のために、図１および／または図２のモバイルデバイス１１５によって使用され得る。
【００６３】
[0084]３０５において、モバイルデバイス１１５−ｂは、基地局１０５−ｈからのＰＣＨを監視するページングモード（たとえば、モバイルデバイス１１５−ｂが基地局１０５−ｈと関連付けられるページング情報および／またはオーバーヘッド情報のためにページングチャネルを監視するスリープ状態またはアイドル状態）にある。モバイルデバイス１１５−ｂは、基地局１０５−ｈと関連付けられるページング情報（たとえば、ページングチャネルレート、ページングスロット周期など）に従って、ＰＣＨを監視することができる。モバイルデバイス１１５−ｂは、３１０において、ページングモードにある間に、呼前ＰＣＨネットワークパラメータを記憶することができる。モバイルデバイス１１５−ｂは、ページングモードにある間に、ＰＣＨを通じて呼前ネットワークパラメータを受信することができる。３１５において、モバイルデバイス１１５−ｂと基地局１０５−ｈとの間でトラフィックセッションが開始される。トラフィックセッションは、モバイルデバイス１１５−ｂによって、または基地局１０５−ｈによって開始され得る。トラフィックセッションを開始するための呼設定手順の一部として、モバイルデバイス１１５−ｂは、代替的に、呼前ネットワークパラメータを受信し記憶することができる。
【００６４】
[0085]３２０において、モバイルデバイス１１５−ｂおよび基地局１０５−ｈは、トラフィックセッションによって決定されるような、音声情報および／またはデータ情報を交換する。３２０でトラフィックセッションにおいて音声情報および／またはデータ情報を交換する間、モバイルデバイス１１５−ｂは、モバイルデバイス１１５−ｂの通信リンクへの変更に基づいて（たとえば、アクティブセットが変化し得る、ハンドオーバーが発生し得るなど）、トラフィックセッションに関するネットワークパラメータを受信することができる。３２５において、トラフィックセッションの間の、ＴＣＨと関連付けられる受信される呼中ネットワークパラメータが記憶される。トラフィックセッションは３３０において終了し、ここで、モバイルデバイス１１５−ｂおよび基地局１０５−ｈは呼解放手順を完了する。追加で、または代替的に、モバイルデバイス１１５−ｂは、呼解放手順の一部として呼中ネットワークパラメータを受信し記憶することができる。
【００６５】
[0086]ブロック３３５において、モバイルデバイス１１５−ｂは、トラフィックセッションからページングモードへの直接の移行が安全であるかどうかを決定することができる。この決定は、３１０および３２５においてそれぞれ記憶された呼前ネットワークパラメータと呼中ネットワークパラメータを比較することに基づき得る。たとえば、いくつかの呼前ネットワークパラメータおよび呼中ネットワークパラメータが実質的に一致する場合、モバイルデバイス１１５−ｂは、トラフィックセッションからページングモードへの直接の移行が安全であると決定することができる。以下でより詳細に論じられるように、呼前ネットワークパラメータおよび呼中ネットワークパラメータは、階層的フローにおいて比較され得る。
【００６６】
[0087]３３５において安全であると決定されると、記憶されているネットワークパラメータに基づくページングチャネル情報が、３４５におけるトラフィックセッションからページングモードへと戻る直接の移行のために３４０において使用されてよく、ＰＣＨは、従来の再同期手順を完了するのではなく、直ちに監視され得る。実施形態では、モバイルデバイス１１５−ｂは、ネットワークの支援を伴わずに、ページングモードへの直接の移行を実行する。たとえば、モバイルデバイス１１５−ｂは、直接の移行のためにページングチャネル情報を更新することと特に関連するメッセージを受信することなく、トラフィックセッションの前およびトラフィックセッションにおいて受信されたパラメータに基づいてページングチャネルを監視するために、ページングチャネル情報（同期情報、ページングチャネルレート、ページングスロット周期など）を決定することができる。
【００６７】
[0088]図４は、様々な実施形態による、トラフィックセッションからページングモードへの直接の移行のための別の例示的な通信フロー４００を示す図である。通信フロー４００は、たとえば、トラフィックセッションからページングモードへの直接の移行のために、図１および／または図２のモバイルデバイス１１５によって使用され得る。
【００６８】
[0089]４０５において、モバイルデバイス１１５−ｃは、基地局１０５−ｉに登録され、または「居座り」、基地局１０５−ｉからのＰＣＨを監視するページングモード（たとえば、モバイルデバイス１１５−ｃが基地局１０５−ｉと関連付けられるページング情報および／またはオーバーヘッド情報を受信するためにページングチャネルを監視するスリープ状態またはアイドル状態）にある。モバイルデバイス１１５−ｃは、基地局１０５−ｉと関連付けられるページング情報（たとえば、ページングチャネルレート、ページングスロット周期など）に従って、ＰＣＨを監視することができる。モバイルデバイス１１５−ｃは、４１０において、ページングモードにある間に、これらの呼前ＰＣＨネットワークパラメータを記憶することができる。４１５において、モバイルデバイス１１５−ｃと基地局１０５−ｉとの間でトラフィックセッションが開始される。トラフィックセッションは、モバイルデバイス１１５−ｃによって、または基地局１０５−ｉによって開始され得る。トラフィックセッションを開始するための呼設定手順の一部として、モバイルデバイス１１５−ｃは、代替的に、呼前ネットワークパラメータを受信し記憶することができる。呼前ネットワークパラメータは、基地局１０５−ｉと関連付けられる、ＳＩＤ／ＮＩＤ、バンドクラス、周波数チャネル、またはパイロットＰＮシーケンスを含み得る。
【００６９】
[0090]４２０において、モバイルデバイス１１５−ｃおよび基地局１０５−ｉは、トラフィックセッションの間に、音声情報および／またはデータ情報を交換する。トラフィックセッション４２０において音声情報および／またはデータ情報を交換する間、モバイルデバイス１１５−ｃは、基地局１０５−ｉの通信リンクに基づいて、トラフィックセッションに関する呼中ネットワークパラメータを受信し記憶することができる。呼中ネットワークパラメータは、基地局１０５−ｉと関連付けられる、ＳＩＤ／ＮＩＤ、バンドクラス、周波数チャネル、および／またはパイロットＰＮシーケンスを含み得る。４２５において、モバイルデバイス１１５−ｃは、基地局１０５−ｉから基地局１０５−ｊにハンドオーバーされる。論じられるように、種々の状況がハンドオーバーを必要とし得る。ハンドオーバープロセスが完了すると、モバイルデバイス１１５−ｃは基地局１０５−ｊに登録されるので、基地局１０５−ｊは、４３０において、モバイルデバイス１１５−ｃとのトラフィックセッションを続ける。ハンドオーバープロセスの一部として、またはモバイルデバイス１１５−ｃが基地局１０５−ｊに登録されトラフィックセッション４３０中になると、モバイルデバイス１１５−ｃは、基地局１０５−ｊと関連付けられるネットワークパラメータを反映するために、４３５において呼中ネットワークパラメータを受信し記憶する（たとえば、更新する）。すなわち、モバイルデバイス１１５−ｃは、基地局１０５−ｉとのトラフィックセッション４２０の間に受信され記憶される呼中ネットワークパラメータを、基地局１０５−ｊと関連付けられる呼中ネットワークパラメータで置き換えることができる。モバイルデバイス１１５−ｃは、基地局１０５−ｊのＴＣＨを通じて、基地局１０５−ｊと関連付けられる呼中ネットワークパラメータを受信することができる。トラフィックセッションは４４０において終了し、ここで、モバイルデバイス１１５−ｃおよび基地局１０５−ｊは呼解放手順を完了する。追加で、または代替的に、モバイルデバイス１１５−ｃは、呼解放手順の一部として呼中ネットワークパラメータを受信し記憶することができる。
【００７０】
[0091]４４５において、モバイルデバイス１１５−ｃは、トラフィックセッションからページングモードへの直接の移行が安全であるかどうかを決定することができる。この決定は、４１０および４３５においてそれぞれ記憶された呼前ネットワークパラメータと呼中ネットワークパラメータとを比較することに基づき得る。たとえば、いくつかの呼前ネットワークパラメータおよび呼中ネットワークパラメータが実質的に一致する場合、モバイルデバイス１１５−ｃは、トラフィックセッションからページングモードへの直接の移行が安全であると決定することができる。以下でより詳細に説明されるように、呼前ネットワークパラメータおよび呼中ネットワークパラメータは、階層的フローにおいて比較され得る。
【００７１】
[0092]図５は、本開示の態様による、トラフィックセッションからページングモードへの直接の移行のための例示的なプロセス５００を示すプロセス図である。プロセス５００は、たとえば、ワイヤレス通信ネットワーク１００および／または２００、さらには、通信フロー３００および／または４００の態様を実施することができる。５０５において、プロセス５００は、ページングモードのモバイルデバイスとともに開始する。たとえば、モバイルデバイス１１５のいずれかが、基地局に登録されてよく、基地局と関連付けられるページング情報に従ってデバイスがＰＣＨを監視するページングモードにあってよい。呼前ネットワークパラメータは、５０５においてページングモードにある間に、ＰＣＨを通じて受信され、および／または記憶され得る。ブロック５１０において、モバイルデバイスは、トラフィックセッションが開始されるべきかどうかを決定するが作られる。トラフィックセッションは、モバイルデバイスによって、または基地局によって開始され得る。トラフィックセッションが開始されない場合、プロセスはページングモード５０５に戻り、ページングモード５０５において、モバイルデバイスはページング情報および／またはオーバーヘッド情報のためにＰＣＨを監視し続ける。トラフィックセッションが開始される場合、プロセスは５１５に移り、５１５において、モバイルデバイスおよび基地局はトラフィックセッションに入る。５１５におけるトラフィックセッションの間に、トラフィックセッションの性質に応じて、音声情報および／またはデータ情報が交換される。音声情報および／またはデータ情報は、トラフィックセッションの間にＴＣＨを介して交換され得る。
【００７２】
[0093]呼中ネットワークパラメータは、トラフィックセッション５１５の間に受信および／または記憶され得る。呼中ネットワークパラメータは、トラフィックセッションと関連付けられる通信リンクに関し得る。５２０において、トラフィックセッションが完了するかどうかについての決定がモバイルデバイスによって行われる。トラフィックセッションが完了していない場合、プロセス５００は５１５に移り、５１５において、モバイルデバイスおよび基地局はトラフィックセッション５１５を続け得る。呼中ネットワークパラメータは、トラフィックセッションにある間、受信および／または記憶され続ける。したがって、トラフィックセッションと関連付けられる通信リンクにおける変化は、記憶されている呼中ネットワークパラメータ（たとえば、ハンドオフに関する変化、変動するネットワーク負荷など）において反映される。
【００７３】
[0094]トラフィックセッションが完了している場合、プロセス５００は５２５に移り、５２５において、モバイルデバイスは、トラフィックセッションからページングモードへの直接の移行が安全かどうかを決定する。この決定は、呼前ネットワークパラメータと呼中ネットワークパラメータとを比較することに基づき得る。たとえば、いくつかの呼前ネットワークパラメータおよび呼中ネットワークパラメータが実質的に一致する場合、モバイルデバイスは、トラフィックセッションからページングモードへの直接の移行が安全であると決定することができる。呼前ネットワークパラメータおよび呼中ネットワークパラメータは、階層的フローにおいて比較され得る。トラフィックセッションからページングモードへの直接の移行が安全であるとモバイルデバイスが決定する場合、モバイルデバイスは、５３０において、ＰＣＨが直ちに監視され得るページングモードへ直接移行する。トラフィックセッションからページングモードへの直接の移行が安全ではないとモバイルデバイスが決定する場合、プロセス５００は５３５に移り、５３５において、モバイルデバイスはパイロット取得および同期復号という従来の再同期手順を完了する。
【００７４】
[0095]図６は、本開示の態様による、トラフィックセッションからページングモードへの直接の移行のための例示的なプロセス６００を示すプロセス図である。より具体的には、図６に示されるプロセス６００は、トラフィックセッションからページングモードへ直接移行することが安全かどうかを決定するための例示的な階層的フローを示す。プロセス６００は、たとえば、ワイヤレス通信ネットワーク１００または２００、通信フロー３００または４００の態様、さらには、プロセス５００の態様を実施することができる。プロセス６００は６０５において開始し、６０５において、モバイルデバイスと基地局との間のトラフィックセッションが終了する。上で論じられたように、呼前ネットワークパラメータおよび呼中ネットワークパラメータは、それぞれ、ＰＣＨおよびＴＣＨを通じて受信されており、モバイルデバイスによって後で記憶される。呼前ネットワークパラメータおよび呼中ネットワークパラメータは、たとえば、ＳＩＤ／ＮＩＤ、バンドクラス、周波数チャネル、アクティブセットＰＮオフセットシーケンス、および／または他のパラメータを含み得る。
【００７５】
[0096]トラフィックセッションが６０５において終了すると、プロセス６００は６１０に移り、６１０において、モバイルデバイスは、呼前ネットワークパラメータと関連付けられるＳＩＤ／ＮＩＤを、呼中ネットワークパラメータと関連付けられるＳＩＤ／ＮＩＤと比較することができる。ＳＩＤ／ＮＩＤパラメータが一致しない場合、このことは、モバイルデバイスがトラフィックセッションの間に異なるネットワークに切り替わったことを示し、トラフィックセッションからページングモードへ直接移行するのは安全ではない。この状況では、プロセス６００は６５５に移り、６５５において、モバイルデバイスは、従来のパイロット取得およびＳＹＮＣメッセージ復号の再同期手順を完了する。
【００７６】
[0097]ＳＩＤ／ＮＩＤが一致する場合、プロセス６００は６１５に移り、６１５において、モバイルデバイスは、呼前ネットワークパラメータと関連付けられるバンドクラスを、呼中ネットワークパラメータと関連付けられるバンドクラスと比較する。これらのネットワークパラメータが一致しない場合、モバイルデバイスは、６２５において、トラフィック中バンドクラスが周波数チャネルリストに列挙されているかどうかを確認することができる。バンドクラスネットワークパラメータが一致する場合、モバイルデバイスは、６２０において、呼前ネットワークパラメータと関連付けられる周波数が呼中ネットワークパラメータと関連付けられる周波数と一致するかどうかを確認することができる。同様に、周波数ネットワークパラメータが一致しない場合、モバイルデバイスはやはり、６２５において、トラフィック中周波数が周波数チャネルリストに列挙されているかどうかを確認することができる。６１５および／または６２０において、バンドクラスと周波数のいずれかが変化し、６２５において周波数チャネルリストに列挙されていない場合、モバイルデバイスは、トラフィックセッションからページングモードへ直接移行するのは安全ではないと決定する。この状況では、プロセス６００は６５５に移り、６５５において、モバイルデバイスは、パイロット取得およびＳＹＮＣメッセージ復号の再同期手順を完了する。
【００７７】
[0098]呼中バンドクラスおよび周波数が周波数チャネルリストに列挙されている場合、モバイルデバイスは、トラフィックセッションからページングモードへの直接の移行が安全であると決定することができる。実施形態では、バンドクラスおよび／または周波数が変化した（しかし呼中バンドクラスおよび／または呼中周波数がチャネルリスト中にある）とき、モバイルデバイスは、６４５において、ブラインドＰＣＨ復号を使用して、トラフィックセッションからページングモードへ直接移行することができる。ブラインドＰＣＨ復号は、たとえば、モバイルデバイスが、最新の良好な復号方式および／または所定の一連のページングチャネルレートを使用して、ＰＣＨ上でトラフィックを復号することを試みることを指す。
【００７８】
[0099]バンドクラスおよび周波数ネットワークパラメータが６１５および６２０において一致する場合、プロセス６００は６３０に移り、６３０において、モバイルデバイスはアクティブセットＰＮオフセットシーケンスネットワークパラメータを比較する。これらのネットワークパラメータが一致する場合、モバイルデバイスは、６３５において、トラフィックセッションからページングモードへ直接移行するのが安全であると決定することができる。アクティブセットＰＮオフセットシーケンスが一致しない場合、モバイルデバイスは、上で論じられたように、６４５において、ブラインド復号方式を使用してページングモードへ移行するのが安全であると決定する。
【００７９】
[0100]またさらなる態様によれば、モバイルデバイスは、記憶されているページングチャネル情報に基づいてページングチャネルを取得するための理にかなった長さの時間を管理するために、タイマー（たとえば、移行タイマー）を利用することができる。タイマーは、呼終了プロセスの一部として開始されてよく、期限切れになると、６４０における標準的な再同期プロセスに戻るようにモバイルデバイスを自動的にトリガすることができる。たとえば、モバイルデバイスが６３５においてページングモードに移行すると、モバイルデバイスは、タイマーが期限切れになる前に、ＰＣＨに正しく同期し復号することが可能かどうかを決定することができる。６４０において、モバイルデバイスがＰＣＨを正しく同期および／または復号する前にタイマーが期限切れになった場合、プロセス６００は６５０に移り、６５０において、モバイルデバイスは、パイロット取得および同期メッセージ復号の再同期手順を完了する。タイマーの期限切れの前にモバイルデバイスが正しくＰＣＨを同期し復号する場合、プロセス６００は６５５において終了する。
【００８０】
[0101]図７は、様々な実施形態による、トラフィックセッションからページングモードへの直接の移行のためのデバイス７０５のブロック図７００である。デバイス７０５は、図１〜図４のモバイルデバイス１１５の態様および／またはコンポーネントを実装することができ、さらには、フロー３００および／もしくは４００ならびに／またはプロセス５００および／もしくは６００の態様を実装することができる。デバイス７０５は、トラフィックセッションが完了すると、トラフィックセッションからページングモードへ直接、安全に移行するために構成され得る。デバイス７０５はプロセッサであり得る。
【００８１】
[0102]デバイス７０５は、受信機７１０と、ネットワークパラメータモジュール７１５と、直接移行検証モジュール７２０と、モード移行モジュール７２５と、送信機７３０とを含み、これらは各々、互いに、直接または間接的に通信していてよい。受信機７１０は、デバイス７０５がページングモードにある間、または呼設定手順の一部として、基地局１０５から（たとえば、ＰＣＨを介して）ネットワークパラメータを受信することができる。ネットワークパラメータモジュール７１５は、これらの呼前ネットワークパラメータを記憶するために構成される。基地局１０５とデバイス７０５との間でトラフィックセッションが開始され得る。トラフィックセッションの間、受信機７１０は、様々な呼中ネットワークパラメータを（たとえば、ＴＣＨを介して）受信することができる。呼中ネットワークパラメータは、トラフィックセッションの間を通じて変化し得る、基地局のアクティブセットの１つまたは複数の基地局から受信され得る。ネットワークパラメータモジュール７１５は、これらの呼中ネットワークパラメータを記憶することができる。例示的な呼前ネットワークパラメータおよび呼中ネットワークパラメータは、限定はされないが、ＳＩＤ／ＮＩＤ、バンドクラス、周波数などを含む。他の態様によれば、ネットワークパラメータモジュール７１５はさらに、たとえば、メモリモジュール（たとえば、モバイルデバイス１１５−ｄのメモリ９４０）から、記憶されているネットワークパラメータを取り出すために構成され得る。ネットワークパラメータモジュール７１５は、記憶されているネットワークパラメータを直接移行検証モジュール７２０に提供するために構成され得る。
【００８２】
[0103]トラフィックセッションの終了時に、直接移行検証モジュール７２０は、記憶されている呼前ネットワークパラメータおよび呼中ネットワークパラメータに基づいて、トラフィックセッションからページングモードへの直接の移行が安全であるかどうかを決定することができる。直接移行検証モジュール７２０は、ネットワークからの支援を伴わずに、たとえば、ネットワークが追加のページングチャネル情報を決定し、パッケージングし、および／またはデバイス７０５へ送信する必要なく、トラフィックセッションからページングモードへの直接の移行が安全であると決定することができる。いくつかの態様によれば、安全な移行の決定は、階層的フローを使用して呼前ネットワークパラメータおよび呼中ネットワークパラメータのいくつかまたはすべてを比較することに基づいて行われる。たとえば、この決定は、図６を参照して上で説明された階層的フローをたどることによって行われ得る。
【００８３】
[0104]上で論じられたように、様々な状況により、呼前ネットワークパラメータが呼中ネットワークパラメータとは異なるようになり得る。一例として、デバイス７０５は、ソース基地局のカバレッジエリアからターゲット基地局のカバレッジエリアに移動し得る（図２およびその関連する説明を参照されたい）。ソース基地局と関連付けられるネットワークパラメータは、ターゲット基地局と関連付けられるネットワークパラメータと同じであることがあり、または異なることがある。ネットワークパラメータの少なくともいくつかが同じである例では、直接移行検証モジュール(the direct transition dvaluation module)７２０は、トラフィックセッションからページングモードへの直接の移行が安全であると決定することができる。ネットワークパラメータのいくつかまたはすべてが異なる例では、直接移行検証モジュール７２０は、トラフィックセッションからページングモードへの直接の移行が安全ではないと決定することができる。この例では、デバイス７０５は、従来の再同期手順を実行し、パイロット取得および同期メッセージ復号へと進むために構成され得る。
【００８４】
[0105]いくつかの態様によれば、直接移行検証モジュール７２０は、直接の移行を実行することが安全であるかどうかをモード移行モジュール７２５に伝えることができる。直接の移行が安全であると決定された場合、モード移行モジュール７２５は、デバイス７０５がＴＣＨ上で（たとえば、受信機７１０、送信機７３０などを介して）通信しているトラフィックセッションから、デバイス７０５がページング情報を受信するためにＰＣＨを直ちに監視するページングモードへと、デバイス７０５の動作モードを変更するために構成され得る。直接の移行が安全ではないと決定された場合、モード移行モジュール７２５は、トラフィックセッションモードから、デバイス７０５がパイロットの取得ならびにＳＹＮＣメッセージの受信および復号という手順を完了し得る再同期モードへと、デバイス７０５のモードを変更するために構成され得る。
【００８５】
[0106]図８は、様々な実施形態による、トラフィックセッションからページングモードへの直接の移行のための別の例示的なデバイス８０５のブロック図８００である。デバイス８０５は、図１〜図４のモバイルデバイス１１５、図７のデバイス７０５の態様および／またはコンポーネント、さらには、フロー３００および／もしくは４００ならびに／またはプロセス５００および／もしくは６００の態様を実装することができる。デバイス８０５はプロセッサであり得る。デバイス８０５は、第１の受信機モジュール８１０と、第２の受信機モジュール８１５と、ページング情報モジュール８２０と、モード移行モジュール７２５−ａと、送信機８３０とを含む。これらのモジュールは、互いに、直接または間接的に通信していてよい。一実施形態では、デバイス８０５の機能は、図９のモバイルデバイス１１５−ｄの１つまたは複数のコンポーネント（たとえば、プロセッサモジュール９２５、ページング情報モジュール８２０−ａ、モード移行モジュール７２５−ｂなど）として実装され得る。
【００８６】
[0107]デバイス８０５は、トラフィックセッションからページングモードへ直接移行するために構成され得る。第１の受信機モジュール８１０および第２の受信機モジュール８１５はそれぞれ、異なる周波数および／またはチャネルで情報を受信するように、各々が独立に調整可能であり得る。トラフィックセッションの前に、デバイス８０５は、第１の受信機モジュール８１０または第２の受信機８１５が基地局１０５のＰＣＨを監視し得るページングモードにあり得る。基地局１０５とデバイス７０５との間のトラフィックセッションが開始すると、第１の受信機モジュール８１０はＴＣＨを介して通信するように調整され得る一方で、第２の受信機モジュール８１５はＰＣＨを介してページング情報を受信するように調整され得るか、またはこの逆であり得る。したがって、デバイス８０５は、ページング情報を受信し続けながら、ＴＣＨを介して基地局とのトラフィックセッションのデータと情報とを通信することが可能であり得る。ページング情報モジュール８２０は、第１の受信機モジュール８１０および／または第２の受信機モジュール８１５から、現在のページング情報および／またはネットワークパラメータを受信することができる。ページング情報モジュール８２０は、トラフィックセッションの間に、基地局１０５と関連付けられる現在のページング情報を維持することができる。
【００８７】
[0108]トラフィックセッションの終了時に、モード移行モジュール７２５−ａは、トラフィックセッションからページングモードへの直接の移行を実行するために構成され得る。モード移行モジュール７２５−ａは、ページング情報モジュール８２０からのページング情報に基づいて、直接の移行を実行することができる。直接の移行は、パイロット取得および同期メッセージ復号のような、従来の再同期手順を回避することができる。
【００８８】
[0109]図９は、トラフィックセッションからページングモードへの直接の移行のために構成された例示的なモバイルデバイス１１５−ｄのブロック図９００である。モバイルデバイス１１５−ｄは、たとえば、図１〜図４のモバイルデバイス１１５の態様、図７〜図８のデバイス７０５および／または８０５の態様、さらには、プロセス５００および／または６００の態様を示し得る。実施形態では、デバイス７０５および／または８０５の機能は、モバイルデバイス１１５−ｄ（たとえば、プロセッサモジュール９２５、ネットワークパラメータモジュール７１５−ａ、直接移行検証モジュール７２０−ａ、モード移行モジュール７２５−ｂ、ページング情報モジュール８２０−ａなど）の１つまたは複数のコンポーネントとして実装され得る。モバイルデバイス１１５−ｄは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット家電機器、ゲームコンソール、電子リーダーなどのような、様々な構成のいずれかを有し得る。モバイルデバイス１１５−ｄは、モバイル動作を容易にするために、小型バッテリーのような内部電源（図示されず）を有し得る。
【００８９】
[0110]モバイルデバイス１１５−ｄは、アンテナ９０５と、送受信機モジュール９１０と、メモリ９４０と、プロセッサモジュール９２５とを含み、これらの各々は、（たとえば、１つまたは複数のバスを介して）互いに、直接または間接的に通信していてよい。送受信機モジュール９１０は、上で説明されたように、アンテナ９０５および／または１つもしくは複数の有線リンクもしくはワイヤレスリンクを介して、１つまたは複数のネットワークと双方向に通信するために構成される。たとえば、送受信機モジュール９１０は、基地局１０５と双方向に通信するために構成され得る。送受信機モジュール９１０は、パケットを変調し、変調されたパケットを送信のためにアンテナ９０５に提供し、アンテナ９０５から受信されたパケットを復調するために構成された、モデムを含み得る。モバイルデバイス１１５−ｄは単一のアンテナを含み得るが、モバイルデバイス１１５−ｄは通常、複数のリンクのための複数のアンテナ９０５を含む。送受信機モジュールは、複数のチャネルおよび／または周波数を通じて同時に情報を送信および／または受信するための、複数の送信機および／または受信機を有し得る。たとえば、送受信機モジュール９１０は、図８の受信機８１０と８１５とを含み得る。
【００９０】
[0111]メモリ９４０は、ランダムアクセスメモリ（ＲＡＭ）と読取り専用メモリ（ＲＯＭ）とを含み得る。メモリ９４０は、実行されると、プロセッサモジュール９２５に本明細書で説明される様々な機能（たとえば、トラフィックセッションからページングモードへの直接の移行）を実行させるために構成された命令を含む、コンピュータ可読のコンピュータ実行可能ソフトウェアコード９２０を記憶し得る。代替的に、ソフトウェア９２０は、プロセッサモジュール９２５によって直接実行可能ではないことがあるが、（たとえば、コンパイルされ実行されるとき）コンピュータに本明細書で説明される機能を実行させるために構成され得る。プロセッサモジュール９２５は、インテリジェントハードウェアデバイス、たとえば、中央処理ユニット（ＣＰＵ）、マイクロコントローラ、特定用途向け集積回路（ＡＳＩＣ）などを含み得る。
【００９１】
[0112]図９のアーキテクチャによれば、モバイルデバイス１１５−ｄはさらに、通信管理モジュール９３０、ネットワークパラメータモジュール７１５−ａ、直接移行検証モジュール７２０−ａ、モード移行モジュール７２５−ｂ、および／またはページング情報モジュール８２０−ａを含み得る。例として、これらのモジュールは、モバイルデバイス１１５−ｄの他のコンポーネントの一部またはすべてとバスを介して通信している、モバイルデバイス１１５−ｄのコンポーネントであり得る。代替的に、これらのモジュールの機能は、送受信機モジュール９１０のコンポーネントとして、コンピュータプログラム製品として、および／またはプロセッサモジュール９２５の１つまたは複数のコントローラ要素として実装され得る。通信管理モジュール９３０は、基地局１０５および／または他のモバイルデバイスとの通信を管理し得る。
【００９２】
[0113]モード移行モジュール７２５−ｂは、現在のデバイス状態を制御し得る。いくつかの実施形態では、モード移行モジュール７２５−ｂは、デバイス１１５−ｄがトラフィックセッション中であるアクティブ状態とページングモードとの間の移行を制御するために構成される、ハードウェア、コード、命令などを含み得る。モード移行モジュール７２５−ｂは、トラフィックセッションが完了すると、トラフィックセッションからページングモードへ直接、安全にモバイルデバイス１１５−ｄを移行するために構成され得る。モード移行モジュール７２５−ｂは、図７および／または図８のデバイス７０５および／または８０５のモード移行モジュール７２５の機能を実装することができる。
【００９３】
[0114]いくつかの実施形態では、モバイルデバイス１１５−ｄは、ネットワークパラメータモジュール７１５−ａと直接移行検証モジュール７２０−ａとを含む。ネットワークパラメータモジュール７１５−ａは、ネットワークパラメータを受信し記憶することができる。たとえば、ネットワークパラメータモジュール７１５−ａは、ページングモードにある間に、または呼設定手順の一部として、基地局１０５からＰＣＨを介して様々な呼前ネットワークパラメータを受信することができる。ネットワークパラメータモジュール７１５−ａはさらに、トラフィックセッションにあるときに、ＴＣＨと関連付けられる呼中ネットワークパラメータを受信し記憶することができる。トラフィックセッションの間に、ネットワークパラメータモジュール７１５−ａは、トラフィックセッションの間に変化し得る基地局のアクティブセットの一部であり得る、いくつかの基地局１０５から呼中ネットワークパラメータを受信することができる。追加で、または代替的に、ネットワークパラメータモジュール７１５−ａは、呼解放手順の一部として呼中ネットワークパラメータを記憶することができる。例示的な呼前ネットワークパラメータおよび呼中ネットワークパラメータは、限定はされないが、ＳＩＤ／ＮＩＤ、バンドクラス、周波数などを含む。トラフィックセッションの終了時に、直接移行検証モジュール７２０−ａは、記憶されているネットワークパラメータに基づいて、トラフィックセッションからページングモードへの直接の移行が安全であるかどうかを決定することができる。直接移行検証モジュール７２０−ａは、ネットワークからの支援を伴わずに、たとえば、ネットワークが追加のページングチャネル情報を決定し、パッケージングし、モバイルデバイス１１５−ｄへ送信することを必要とすることなく、トラフィックセッションからページングモードへの移行が安全であると決定することができる。いくつかの態様によれば、安全な移行の決定は、階層的フローを使用して、呼前ネットワークパラメータおよび呼中ネットワークパラメータの一部またはすべてを比較することに基づいて行われる。たとえば、この決定は、図６を参照して上で説明された階層的フローをたどることによって行われ得る。
【００９４】
[0115]いくつかの実施形態では、モバイルデバイス１１５−ｄはページング情報モジュール８２０−ａを含む。ページング情報モジュール８２０−ａは、送受信機９１０の１つの受信機から現在のページング情報および／またはネットワークパラメータを受信するために構成され得るが、モバイルデバイス１１５−ｄは、送受信機９１０の第２の受信機を使用して、トラフィックセッションにおいて通信する。ページング情報モジュール８２０−ａは、トラフィックセッションの間に、基地局１０５と関連付けられる現在のページング情報を維持することができる。トラフィックセッションの終了時に、モード移行モジュール７２５−ｂは、トラフィックセッションからページングモードへの直接の移行を実行するために構成され得る。モード移行モジュール７２５−ｂは、ページング情報モジュール８２０−ａからのページング情報に基づいて、直接の移行を実行することができる。直接の移行は、パイロット取得および同期メッセージ復号のような、従来の再同期手順を回避することができる。
【００９５】
[0116]デバイス７０５および／もしくは８０５、ならび／またはモバイルデバイス１１５−ｄのコンポーネントは、個別にまたは集合的に、ハードウェア中の適用可能な機能の一部またはすべてを実行するように適合された１つまたは複数の特定用途向け集積回路（ＡＳＩＣ）によって実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。述べられたモジュールの各々は、デバイス７０５および／もしくは８０５ならびに／またはモバイルデバイス１１５−ｄの動作に関する１つまたは複数の機能を実行するための手段であり得る。
【００９６】
[0117]図１０は、本開示の態様による、トラフィックセッションからページングモードへ安全に移行するための方法１０００のフローチャートである。方法１０００は、図７および／もしくは図８のデバイス７０５および／もしくは８０５、ならびに／または、図１〜図４および／もしくは図９のモバイルデバイス１１５の、１つまたは複数によって実行され得る。同様に、方法１０００は、フロー３００および／または４００と、プロセス５００および／または６００との態様を実施することができる。一実装形態では、図９のモバイルデバイス１１５−ｄのプロセッサモジュール９２５は、以下で説明される機能を実行するようにモバイルデバイス１１５−ｄの機能的要素を制御するように、コードもしくはコンピュータ実行可能命令の１つまたは複数のセットを実行することができる。ブロック１００５において、方法１０００が開始し、方法１０００で、モバイルデバイスは、ワイヤレス通信ネットワークとのトラフィックセッションの開始の前に、呼前ネットワークパラメータ（ネットワークパラメータの第１のセットとも呼ばれる）を記憶することができる。ブロック１０１０において、モバイルデバイスは、トラフィックセッションの間に、呼中ネットワークパラメータ（ネットワークパラメータの第２のセットとも呼ばれる）を記憶することができる。例示的なネットワークパラメータは、限定はされないが、ＳＩＤ／ＮＩＤ、バンドクラス、周波数、およびアクティブセットＰＮオフセットシーケンスを含み得る。
【００９７】
[0118]ブロック１０１５において、モバイルデバイスは、トラフィックセッションの終了時に、トラフィックセッションからページングモードへの直接の移行のための同期情報を決定する。同期情報は、記憶されているネットワークパラメータに基づき得る。一実装形態によれば、呼前ネットワークパラメータおよび呼中ネットワークパラメータが、階層的フローを使用して比較される。したがって、呼前ネットワークパラメータのいくつかが呼中ネットワークパラメータと一致する場合、モバイルデバイスは、トラフィックセッションからページングモードへの直接の移行が安全であると決定することができる。いくつかの態様では、モバイルデバイスは、トラフィックセッションの終了時に、ブラインドＰＣＨ方式を使用して（たとえば、最新の良好なページング情報を使用して）、ページングモードへ直接移行することが安全であると決定することができる。直接の移行が安全であることを同期情報が示す場合、方法は、ブロック１０２０へと続くことができ、ブロック１０２０において、モバイルデバイスはトラフィックセッションからページングモードへ直接移行する。たとえば、モバイルデバイスは、パイロット信号の検出および取得ならびに／または同期チャネルの受信および復号を実行することなく、トラフィックセッションのためのトラフィックチャネル（ＴＣＨ）を通じた通信からページングチャネル（ＰＣＨ）を介してページング情報を受信することへと直接移行することができる。
【００９８】
[0119]図１１は、本開示の態様による、トラフィックセッションからページングモードへ安全に移行するための方法１１００のフローチャートである。方法１１００は、図７および／もしくは図８のデバイス７０５および／もしくは８０５、ならびに／または、図１〜図４および／もしくは図９のモバイルデバイス１１５によって実行され得る。同様に、方法１１００は、フロー３００および／または４００と、プロセス５００および／または６００との態様を実施することができる。一実装形態では、図９のモバイルデバイス１１５−ｄのプロセッサモジュール９２５は、以下で説明される機能を実行するようにモバイルデバイス１１５−ｄの機能的要素を制御するように、コードの１つまたは複数のセットを実行することができる。ブロック１１０５において、方法１１００が開始し、方法１１００において、モバイルデバイスは、ワイヤレス通信ネットワークとのトラフィックセッションの開始の前に、呼前ネットワークパラメータを記憶することができる。ブロック１１１０において、モバイルデバイスは、トラフィックセッションの間に、呼中ネットワークパラメータを記憶することができる。ブロック１１１５において、モバイルデバイスは、トラフィックセッションの終了時に、同期情報を決定する。同期情報は、トラフィックセッションからページングモードへの直接の移行のためのものであってよく、記憶されているネットワークパラメータに基づいてよい。
【００９９】
[0120]いくつかの態様によれば、モバイルデバイスは、ブロック１１２０において、呼前ネットワークパラメータと呼中ネットワークパラメータを比較する。したがって、モバイルデバイスは、ページングチャネルを監視することと関連付けられる呼前ネットワークパラメータが、ＴＣＨを介して通信することと関連付けられる呼中ネットワークパラメータと異なるかどうかを決定することができる。記憶されているネットワークパラメータが実質的に一致する場合、方法１１００はブロック１１２５に移ってよく、ブロック１１２５において、モバイルデバイスは、決定および比較に基づいて、トラフィックセッションから、ＰＣＨが着信するページング情報のために監視され得るページングモードへと、直接移行することができる。
【０１００】
[0121]図１２は、トラフィックセッションからページングモードへ安全に移行するための方法１２００のフローチャートである。方法１２００は、図７および／もしくは図８のデバイス７０５および／もしくは８０５、ならびに／または、図１〜図４および／もしくは図９のモバイルデバイス１１５によって実行され得る。同様に、方法１２００は、フロー３００および／または４００と、プロセス５００および／または６００との態様を実施することができる。一実装形態では、図９のモバイルデバイス１１５−ｄのプロセッサモジュール９２５は、以下で説明される機能を実行するようにモバイルデバイス１１５−ｄの機能的要素を制御するように、コードの１つまたは複数のセットを実行することができる。ブロック１２０５において、方法１２００が開始し、方法１２００において、モバイルデバイスは、モバイルデバイスの第１の受信機によって、トラフィックセッションと関連付けられるデータシグナリングを受信することができる。ブロック１２１０において、モバイルデバイスは、モバイルデバイスの第２の受信機によって、ページングシグナリングを受信することができる。ページングシグナリングは、パイロットシーケンスまたは同期シグナリングの１つまたは複数を含み得る。したがって、モバイルデバイスは、ＰＣＨと関連付けられる最新のページング情報を常に有し得る。
【０１０１】
[0122]ブロック１２１５において、モバイルデバイスは、トラフィックセッションの終了時に、トラフィックセッションからページングモードへの直接の移行のための同期情報を決定することができる。同期情報は、第２の受信機からの受信されたページングシグナリングに基づき得る。ブロック１２２０において、モバイルデバイスは、決定に基づいて、トラフィックセッションから、ＰＣＨが直ちに監視され得るページングモードへと、直接移行することができる。
【０１０２】
[0123]ここで図１３〜図２２に移ると、固定式のＭ２Ｍデバイスのためのネットワーク再同期手順を回避するために構成される、方法、システム、およびデバイスが説明される。図１３は、固定式のＭ２Ｍデバイスにおけるネットワーク再同期手順を回避するための、例示的な通信フロー１３００を示す図である。通信フロー１３００において、Ｍ２Ｍデバイス１２０−ｂは、図１〜図２のＭ２Ｍデバイス１２０のいずれかであり得る。１３０５において、Ｍ２Ｍデバイス１２０−ｂは、ページング情報および／またはオーバーヘッド情報を受信するために基地局１０５−ｋと関連付けられるＰＣＨを監視する、スリープ状態にある。１３１０において、Ｍ２Ｍデバイス１２０−ｂはページング情報を記憶する。ページング情報は、基地局１０５−ｋと関連付けられ得る（たとえば、ページングチャネルレート、ページングスロット周期など）。１３１５において、Ｍ２Ｍデバイス１２０−ｂと基地局１０５−ｋとの間でトラフィックセッションが開始される。トラフィックセッションは、Ｍ２Ｍデバイス１２０−ｂによって、または基地局１０５−ｋによって開始され得る。
【０１０３】
[0124]１３２０において、Ｍ２Ｍデバイス１２０−ｂおよび基地局１０５−ｋは、トラフィックセッションによって決定されるように、ＴＣＨを介して情報を交換する。トラフィックセッションは１３２５において終了する。１３３０において、Ｍ２Ｍデバイス１２０−ｂはページングメッセージングを受信するために構成される。Ｍ２Ｍデバイス１２０−ｂは、１３１０において記憶されたページング情報に基づいて、ページングメッセージングを受信するために構成され得る。いくつかの態様によれば、Ｍ２Ｍデバイス１２０−ｂは、基地局１０５−ｋからページングメッセージングを受信するためにいくつかのハードウェア要素を構成し、たとえば、基地局１０５−ｋのＰＣＨを介してページング情報を監視し受信するためにハードウェア要素を構成する。１３３５において、Ｍ２Ｍデバイス１２０−ｂは、ページングチャネルが１３４５において監視されるページングモードへの、直接の移行を実行する。
【０１０４】
[0125]図１４は、Ｍ２Ｍデバイス１２０−ｃと基地局１０５−ｌとの間の通信フロー１４００を示す図であり、Ｍ２Ｍデバイス１２０−ｃは、トラフィックセッションが終了したときにネットワーク再同期手順を回避するために構成される。１４０５において、Ｍ２Ｍデバイス１２０−ｃは、ページング情報および／またはシステムアクセス（たとえば、オーバーヘッド）情報を受信するために基地局１０５−ｌと関連付けられるＰＣＨを監視する、スリープ状態にある。１４１０において、Ｍ２Ｍデバイス１２０−ｃは、ページング情報とシステムアクセス情報とを記憶する。基地局１０５−ｌと関連付けられる例示的なページング情報は、限定はされないが、ページングチャネルレート、ページングスロット周期などを含む。システムアクセス情報は、基地局１０５−ｌと通信することと関連付けられる様々なネットワークパラメータ、たとえばネットワークオーバーヘッド情報を含む。１４１５において、Ｍ２Ｍデバイス１２０−ｃと基地局１０５−ｌとの間でトラフィックセッションが開始される。トラフィックセッションは、Ｍ２Ｍデバイス１２０−ｃによって、または基地局１０５−ｌによって開始され得る。
【０１０５】
[0126]１４２０において、Ｍ２Ｍデバイス１２０−ｃおよび基地局１０５−ｌは、トラフィックセッションによって決定されるように、ＴＣＨを介してデータおよび／または情報を交換する。トラフィックセッションは１４２５において終了する。１４４０において、Ｍ２Ｍデバイス１２０−ｃは、システムアクセス情報が期限切れになっているかどうかを決定する。いくつかの態様によれば、システムアクセス情報は、定められた時間期間に記憶される。したがって、オーバーヘッドタイマーは、Ｍ２Ｍデバイス１２０−ｃが１４１０において最初にシステムアクセス情報を記憶するときに開始され得る。Ｍ２Ｍデバイス１２０−ｃは、関連付けられるオーバーヘッドタイマーが周期を完了したかどうかを決定することによって、システムアクセス情報が期限切れになったかどうかを決定することができる。システムアクセス情報が１４４０において期限切れになっている場合、方法は１４４５に移り、Ｍ２Ｍデバイスは、記憶されているシステムアクセス情報を更新するために、基地局１０５−ｌから１つまたは複数のアクセス構成メッセージを受信する。Ｍ２Ｍデバイス１２０−ｃは、１４１０において記憶されたシステムアクセス情報を１４４５において受信されたシステムアクセス情報によって更新し、オーバーヘッドタイマーをリセットすることができる。Ｍ２Ｍデバイス１２０−ｃは、１４５０においてページングメッセージングを受信するために構成され得る。Ｍ２Ｍデバイス１２０−ｃは、１４１０において記憶されたページング情報に基づいて、ページングメッセージングを受信するために構成され得る。いくつかの態様によれば、Ｍ２Ｍデバイス１２０−ｃは、基地局１０５−ｌからページングメッセージングを受信するためにいくつかのハードウェア要素を構成し、たとえば、基地局１０５−ｌのＰＣＨを介してページング情報を監視し受信するためにハードウェア要素を構成する。１４５５において、Ｍ２Ｍデバイス１２０−ｃは、ページングチャネルが１４６０において監視されるページングモードへの、直接の移行を実行することができる。
【０１０６】
[0127]図１５は、固定式のＭ２Ｍデバイスにおいて、トラフィックセッションからページングモードへ移行することによって、ネットワーク再同期手順を回避するためのプロセス１５００を示す図である。プロセス１５００は、たとえば、ワイヤレス通信システム１００または２００、さらには、通信フロー１３００および１４００の態様を実施することができる。１５０５において、プロセス１５００は、ページングモードのＭ２Ｍデバイスとともに開始する。Ｍ２Ｍデバイスは、基地局に登録されてよく、基地局のＰＣＨを監視していてよい。Ｍ２Ｍデバイスは、ブロック１５１０において、ページング情報とシステムアクセス情報とを記憶する。ページング情報は、基地局のＰＣＨを介して受信され得る。システムアクセス情報は、基地局のＴＣＨと関連付けられるネットワークパラメータを示す情報を含み得る。１５１５において、トラフィックセッションが開始される。トラフィックセッションは、Ｍ２Ｍデバイスまたは基地局によって開始され得る。１５２０において、Ｍ２Ｍデバイスは、トラフィックセッションが完了したかどうかを決定する。完了していない場合、Ｍ２Ｍデバイスは、トラフィックセッションを続けるために１５１５に戻る。トラフィックセッションが完了している場合、プロセスは１５２５に移り、１５２５において、Ｍ２Ｍデバイスは、システムアクセス情報が期限切れになっているかどうかを決定する。いくつかの態様によれば、システムアクセス情報は、定められた時間期間の後に期限切れになり得る。
【０１０７】
[0128]一例では、オーバーヘッドタイマーがシステムアクセス情報と関連付けられ、情報が記憶されるときに開始されてよい。したがって、Ｍ２Ｍデバイスは、システムアクセス情報が期限切れになっているかどうかを決定するために、オーバーヘッドタイマーが１５２５において周期を完了しているかどうかを決定することができる。システムアクセス情報が期限切れになっている場合、プロセスは１５３５に移り、１５３５において、Ｍ２Ｍデバイスはシステムアクセス情報を検証し、必要であれば更新する。システムアクセス情報は、基地局から１つまたは複数のアクセス構成メッセージを受信することによって更新され得る。記憶されているシステムアクセス情報は、新たに受信されたシステムアクセス情報を反映するように更新され得る。システムアクセス情報が期限切れになっていない場合、プロセスは１５３０に移り、１５３０において、Ｍ２Ｍデバイスはページングモードへ直接移行し、これによってネットワーク再同期手順を回避する。Ｍ２Ｍデバイスは、１５１０において記憶されたページング情報に基づいて、ページングメッセージングを受信するために構成され得る。たとえば、Ｍ２Ｍデバイス（ハードウェア、ソフトウェア、ファームウェアなど）の要素は、ページング情報に基づいて、基地局からのＰＣＨを同期し復号するために構成され得る。
【０１０８】
[0129]図１６は、トラフィックモードからページングモードへ移行することによって、固定式のＭ２Ｍデバイスにおいてネットワーク再同期手順を回避するためのプロセス１６００を示す図である。プロセス１６００は、たとえば、ワイヤレス通信ネットワーク１００または２００、さらには、通信フロー１３００または１４００の態様を実施することができる。１６０５において、プロセス１６００は、ページングモードのＭ２Ｍデバイスとともに開始する。Ｍ２Ｍデバイスは、基地局に登録されてよく、ページング情報および／またはシステムアクセス情報のために基地局のＰＣＨを監視していてよい。Ｍ２Ｍデバイスは、１６１０において、ページング情報とシステムアクセス情報とを記憶する。ページング情報は、ＰＣＨと関連付けられる様々なネットワークパラメータを含み得るが、システムアクセス情報は、基地局のＴＣＨを通じて通信することと関連付けられる情報を含み得る。１６１５において、トラフィックセッションが開始される。トラフィックセッションは、Ｍ２Ｍデバイスまたは基地局によって開始され得る。１６２０において、Ｍ２Ｍデバイスは、トラフィックセッションが完了したかどうかを決定する。完了していない場合、プロセスは、トラフィックセッションを続けるために１６１５に戻る。
【０１０９】
[0130]トラフィックセッションが完了している場合、プロセスは１６２５に移り、１６２５において、Ｍ２Ｍデバイスは、システムアクセス情報が期限切れになっているかどうかを決定する。いくつかの態様によれば、システムアクセス情報の期限切れは、システムアクセス情報と関連付けられるオーバーヘッドタイマーに基づき得る。システムアクセス情報が期限切れになっている場合、プロセスは１６３５に移り、１６３５において、Ｍ２Ｍデバイスは、１つまたは複数のアクセス構成メッセージを受信することによって、システムアクセス情報を検証することができる。アクセス構成メッセージは、基地局と関連付けられる様々なネットワークパラメータを決定するために、Ｍ２Ｍデバイスによって（たとえば、参照テーブルを使用して）使用され得る、構成シーケンス番号を含み得る。１６４０において、Ｍ２Ｍデバイスは、アクセス構成メッセージ中の構成シーケンス番号が１６１０において記憶されたシステムアクセス情報と関連付けられる対応する構成シーケンス番号と一致するかどうかを決定する。構成シーケンス番号が一致する場合、それは、記憶されているシステムアクセス情報と関連付けられるネットワークパラメータが依然として有効である（たとえば、変化していない）ことを示し得る。したがって、プロセスは１６３０に移ってよく、１６３０において、Ｍ２Ｍデバイスは、ページングモードへ直接移行することによって、ネットワーク再同期手順を回避する。構成シーケンス番号が一致する（すなわち、記憶されているシステムアクセス情報が有効である）場合、Ｍ２Ｍデバイスは、１つまたは複数の後続のアクセス構成メッセージの受信を回避または不能化することができる。しかしながら、構成シーケンス番号が一致しない場合、プロセスは１６４５に移り、１６４５において、Ｍ２Ｍデバイスは、追加のアクセス構成メッセージを受信し復号する。Ｍ２Ｍデバイスは、１６３０へ移りページングモードへ移行する前に、記憶されたシステムアクセス情報を１６４５において更新するために、アクセス構成メッセージ中の情報を利用する。
【０１１０】
[0131]図１７は、様々な実施形態による、固定式のＭ２Ｍデバイスにおいてネットワーク再同期を回避するための、デバイス１７０５のブロック図１７００である。デバイス１７０５は、図１〜図２および／または図１３〜図１４のＭ２Ｍデバイス１２０の態様および／またはコンポーネントを実装することができ、さらには、フロー１３００および／もしくは１４００ならびに／またはプロセス１５００および／もしくは１６００の態様を実装することができる。一実施形態では、固定式のデバイス１７０５の機能は、図１９のＭ２Ｍデバイス１２０−ｄの１つまたは複数のコンポーネント（たとえば、プロセッサモジュール１９７０、Ｍ２Ｍページング情報モジュール１７１５−ｂ、Ｍ２Ｍモード移行モジュール１７２０−ｂなど）として実装され得る。デバイス１７０５は、受信機１７１０と、Ｍ２Ｍページング情報モジュール１７１５と、Ｍ２Ｍモード移行モジュール１７２０と、送信機１７２５とを含む。これらのモジュールは、互いに、直接または間接的に通信していてよい。
【０１１１】
[0132]実施形態では、デバイス１７０５は、固定式のデバイスであり、トラフィックセッションが完了すると、トラフィックセッションからページングモードへ直接移行することによって、ネットワーク再同期手順を回避するために構成される。トラフィックセッションの開始の前に、受信機１７１０は基地局１０５のＰＣＨを監視することができる。Ｍ２Ｍページング情報モジュール１７１５は、基地局１０５のＰＣＨを監視することと関連付けられるページング情報（たとえば、ページングチャネル周波数、ページングチャネルレート、ページングスロット周期など）を記憶することができる。デバイス１７０５は、トラフィックセッション上で（たとえば、受信機１７１０および／または送信機１７２５を介して）データと情報とを基地局１０５と通信することができる。トラフィックセッションの終了時に、Ｍ２Ｍページング情報モジュール１７１５は、ページング情報を移行モジュール１７２０に通信することができる。移行モジュール１７２０は、ページング情報を受信し、ページング情報に基づいて、トラフィックセッションからページングモードへの直接の移行のために、デバイス１７０５の関連するハードウェア要素（たとえば、受信機１７１０および／または送信機１７２５など）を構成することができる。デバイス１７０５は、トラフィックセッションからスリープ状態へ直接移行する際、パイロット信号検出ならびに同期信号および／または同期チャネルの復号のような、従来のネットワーク再同期手順を回避することができる。
【０１１２】
[0133]図１８は、様々な実施形態による、固定式のＭ２Ｍデバイスにおいてネットワーク再同期を回避するための、別の例示的なデバイス１８０５のブロック図１８００である。デバイス１８０５は、図１〜図２および図１３〜図１４のＭ２Ｍデバイス１２０の態様および／もしくはコンポーネント、ならびに／または、図１７のデバイス１７０５の態様、さらには、フロー１３００および／もしくは１４００ならびに／またはプロセス１５００および／もしくは１６００の態様を実装することができる。一実施形態では、固定式のデバイス１８０５の機能は、図１９のＭ２Ｍデバイス１２０−ｄの１つまたは複数のコンポーネント（たとえば、プロセッサモジュール１９７０、Ｍ２Ｍページング情報モジュール１７１５−ｂ、Ｍ２Ｍシステムアクセス情報モジュール１８３０−ａ、Ｍ２Ｍモード移行モジュール１７２０−ｂなど）として実装され得る。デバイス１８０５は、受信機１７１０−ａと、Ｍ２Ｍページング情報モジュール１７１５−ａと、Ｍ２Ｍモード移行モジュール１７２０−ａと、送信機１７２５−ａと、Ｍ２Ｍシステムアクセス情報モジュール１８３０とを含む。これらのモジュールは、互いに、直接または間接的に通信していてよい。
【０１１３】
[0134]Ｍ２Ｍページング情報モジュール１７１５−ａは、基地局１０５のＰＣＨを監視するためのページング情報を受信し記憶するために構成される。たとえば、Ｍ２Ｍページング情報モジュール１７１５−ａは、図１７に示されるＭ２Ｍページング情報モジュール１７１５の機能を実行することができる。Ｍ２Ｍシステムアクセス情報モジュール１８３０は、トラフィックセッションの開始の前に、システムアクセス情報を受信し記憶するために構成される。システムアクセス情報は、基地局１０５と通信することと関連付けられる様々なネットワークパラメータを含み得る。たとえば、システムアクセス情報は、アクセスチャネルを介してネットワークにアクセスするためのパラメータ（たとえば、プリアンブルサイズ、最大サイズなど）を含み得る。Ｍ２Ｍページング情報モジュール１７１５−ａは、ページング情報をＭ２Ｍモード移行モジュール１７２０−ａに通信することができる。いくつかの態様によれば、Ｍ２Ｍモード移行モジュール１７２０−ａは、ページング情報を受信し、トラフィックセッションの終了時に、トラフィックセッションからページングモードへの直接の移行のために、デバイス１８０５の関連するハードウェア要素（たとえば、受信機１７１０−ａ、送信機１７２５−ａなど）を構成することができる。
【０１１４】
[0135]他の態様によれば、Ｍ２Ｍシステムアクセス情報モジュール１８３０は、トラフィックセッションからページングモードへの直接の移行の前に、システムアクセス情報が有効であるか、または期限切れであるかを決定するために構成される。Ｍ２Ｍシステムアクセス情報モジュール１８３０は、記憶されているシステムアクセス情報と関連付けられるオーバーヘッドタイマーを含み得る。記憶されているシステムアクセス情報は、オーバーヘッドタイマーの少なくとも期限切れまで有効であることが知られていてよい。トラフィックセッションの終了時に、Ｍ２Ｍシステムアクセス情報モジュール１８３０は、記憶されているシステムアクセス情報が期限切れになっているかどうかを決定することができる。記憶されているシステムアクセス情報が期限切れになっている場合、Ｍ２Ｍシステムアクセス情報モジュール１８３０は、１つまたは複数のアクセス構成メッセージを受信し、記憶されているシステムアクセス情報の構成シーケンス番号が１つまたは複数のアクセス構成メッセージと関連付けられる構成シーケンス番号と一致するかどうかを確認することによって、記憶されているシステムアクセス情報を検証することができる。構成シーケンス番号が一致する（すなわち、記憶されているシステムアクセス情報が有効である）場合、Ｍ２Ｍシステムアクセス情報モジュール１８３０は、１つまたは複数の後続のアクセス構成メッセージの受信を回避または不能化する（たとえば、受信機１７１０−ａを不可能にするなど）ことができる。構成シーケンス番号が一致しない場合、Ｍ２Ｍシステムアクセス情報モジュール１８３０は、記憶されているシステムアクセス情報を更新するために、追加のアクセス構成メッセージを受信し復号する（たとえば、送信機１７２５−ａを有効にする）ことができる。
【０１１５】
[0136]図１９は、ネットワーク再同期手順を回避するために構成されるＭ２Ｍデバイス１２０−ｄのブロック図１９００である。Ｍ２Ｍデバイス１２０−ｄは、たとえば、図１〜図２および／もしくは図１３〜図１４のＭ２Ｍデバイス１２０の態様、ならびに／または、図１７および／もしくは図１８のデバイス１７０５および／もしくは１８０５の態様を示し得る。Ｍ２Ｍデバイス１２０−ｄはまた、フロー１３００および／もしくは１４００、ならびに／または、プロセス１５００および／もしくは１６００の態様を実施することができる。実施形態では、デバイス１７０５および／または１８０５の機能は、Ｍ２Ｍデバイス１２０−ｄの１つまたは複数のコンポーネント（たとえば、プロセッサモジュール１９７０、Ｍ２Ｍページング情報モジュール１７１５−ｂ、Ｍ２Ｍモード移行モジュール１７２０−ｂ、Ｍ２Ｍシステムアクセス情報モジュール１８３０−ａなど）として実装され得る。Ｍ２Ｍデバイス１２０−ｄは、様々な用途のためのセンサまたはモニタのような、様々な構成のいずれかを有し得る。Ｍ２Ｍデバイス１２０−ｄは、現場での動作を容易にするために、小型バッテリーのような内部電源（図示されず）を有し得る。
【０１１６】
[0137]Ｍ２Ｍデバイス１２０−ｄは、センサ１９１５と、（１つまたは複数の）アンテナ１９４５と、送受信機モジュール１９５０と、メモリ１９８０と、Ｍ２Ｍページング情報モジュール１７１５−ｂと、Ｍ２Ｍモード移行モジュール１７２０−ｂと、Ｍ２Ｍシステムアクセス情報モジュール１８３０−ａと、プロセッサモジュール１９７０とを含んでよく、その各々は、（たとえば、１つまたは複数のバスを介して）互いに直接または間接的に通信していてよい。センサ１９１５は、他のデバイス、環境条件などを監視または追跡し、収集されたデータを示す情報を提供することができる。送受信機モジュール１９５０は、上で説明されたように、１つまたは複数のネットワークと、アンテナ１９４５および／または１つもしくは複数の有線リンクもしくはワイヤレスリンクを介して、双方向に通信するために構成され得る。たとえば、送受信機モジュール１９５０は、図１の基地局１０５と双方向に通信するために構成され得る。
【０１１７】
[0138]メモリ１９８０は、ランダムアクセスメモリ（ＲＡＭ）と読取り専用メモリ（ＲＯＭ）とを含み得る。メモリ１９８０は、実行されると、プロセッサモジュール１９７０に本明細書で説明される様々な機能を実行させる（たとえば、ページング情報を記憶させる、トラフィックセッションの間に通信させる、ページングモードへと戻らせるなど）ために構成された命令を含む、コンピュータ可読のコンピュータ実行可能ソフトウェアコード１９８５を記憶し得る。代替的に、ソフトウェアコード１９８５は、プロセッサモジュール１９７０によって直接的に実行可能でないことがあるが、（たとえば、コンパイルされ実行されるとき）コンピュータに本明細書で説明される機能を実行させるために構成され得る。プロセッサモジュール１９７０は、インテリジェントハードウェアデバイス、たとえば、中央処理ユニット（ＣＰＵ）、マイクロコントローラ、特定用途向け集積回路（ＡＳＩＣ）などを含み得る。
【０１１８】
[0139]Ｍ２Ｍデバイス１２０−ｄは、固定式であってよく、トラフィックセッションが完了すると、トラフィックセッションからページングモードへ直接移行することによって、ネットワーク再同期手順を回避するために構成され得る。トラフィックセッションの開始の前に、Ｍ２Ｍページング情報モジュール１７１５−ｂは、基地局１０５の監視されるＰＣＨと関連付けられるページング情報を記憶することができる。トラフィックセッションが完了すると、Ｍ２Ｍモード移行モジュール１７２０−ｂは、Ｍ２Ｍページング情報モジュール１７１５−ｂによって記憶されているページング情報に基づいて、トラフィックセッションからページングモードへの直接の移行のために、Ｍ２Ｍデバイス１２０−ｄの関連するハードウェア要素（たとえば、送受信機モジュール１９５０など）を構成することができる。いくつかの実施形態では、Ｍ２Ｍモード移行モジュール１７２０−ｂは、Ｍ２Ｍデバイス１２０−ｄがトラフィックセッション中であるアクティブ状態と、ページングモードとの間の移行を制御するために構成される、ハードウェア、コード、命令などを含み得る。Ｍ２Ｍデバイス１２０−ｄは、ページングモードの間に、様々なモジュール（たとえば、センサ１９１５、送受信機モジュール１９５０など）を低電力（またはゼロ電力）状態にすることができる。したがって、ページングモードは、Ｍ２Ｍデバイス１２０−ｄのスリープ状態またはアイドル状態に対応し得る。ページングモードの間に、ページングの受信のために必要なコンポーネント（たとえば、送受信機１９５０など）は、（たとえば、ページングスロット周期などに従って）ページングメッセージングを受信するための短い時間期間、有効にされ得る。
【０１１９】
[0140]他の態様では、Ｍ２Ｍシステムアクセス情報モジュール１８３０−ａは、トラフィックセッションへ移行する前にシステムアクセス情報を記憶することができる。システムアクセス情報は、基地局と通信することと関連付けられる様々なネットワークパラメータを含み得る。オーバーヘッドタイマーはシステムアクセス情報と関連付けられてよく、システムアクセス情報が最新であるかどうかを示してよい。Ｍ２Ｍデバイス１２０−ｄは、トラフィックセッションの終了時に、オーバーヘッドタイマーに基づいて、システムアクセス情報が期限切れになっているかどうかを決定することができる。システムアクセス情報が期限切れになっている場合、Ｍ２Ｍデバイス１２０−ｄは、システムアクセス情報を検証し、必要であれば、基地局からアクセス構成メッセージを受信することによってシステムアクセス情報を更新することができる。システムアクセス情報が有効であると確認される（または更新される）と、Ｍ２Ｍデバイス１２０−ｄはスリープ状態に戻り得る。
【０１２０】
[0141]Ｍ２Ｍデバイス１２０−ｄはさらに、通信管理モジュール１９６０を含み得る。通信管理モジュール１９６０は、基地局１０５および／または他のＭ２Ｍデバイス１２０との通信を管理し得る。例として、通信管理モジュール１９６０、Ｍ２Ｍページング情報モジュール１７１５−ｂ、Ｍ２Ｍモード移行モジュール１７２０−ｂ、および／またはＭ２Ｍシステムアクセス情報モジュール１８３０−ａは、Ｍ２Ｍデバイス１２０−ｄの他のコンポーネントの一部またはすべてとバスを介して通信している、Ｍ２Ｍデバイス１２０−ｄのコンポーネントであり得る。代替的に、これらのモジュールの機能は、送受信機モジュール１９５０のコンポーネントとして、コンピュータプログラム製品として、および／またはプロセッサモジュール１９７０の１つまたは複数のコントローラ要素として実装され得る。
【０１２１】
[0142]デバイス１７０５および／もしくは１８０５、ならびに／またはＭ２Ｍデバイス１２０−ｄのコンポーネントは、個別にまたは集合的に、ハードウェア中の適用可能な機能の一部またはすべてを実行するように適合された１つまたは複数の特定用途向け集積回路（ＡＳＩＣ）によって実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。述べられたモジュールの各々は、デバイス１７０５および／もしくは１８０５ならびに／またはＭ２Ｍデバイス１２０−ｄの動作に関する１つまたは複数の機能を実行するための手段であり得る。
【０１２２】
[0143]図２０は、Ｍ２Ｍデバイスにおいてトラフィックセッションからページングモードへ移行するための方法２０００のフローチャートである。方法２０００は、図１〜図２および図１３〜図１４のＭ２Ｍデバイス１２０によって実行されてよく、フロー１３００または１４００ならびにプロセス１５００および１６００の態様を実施する。一実装形態では、Ｍ２Ｍデバイス１２０−ｄのプロセッサモジュール１９７０は、以下で説明される機能を実行するようにデバイス１２０−ｄの機能的要素を制御するように、コードの１つまたは複数のセットを実行することができる。ブロック２００５において、方法２０００が開始し、方法２０００において、Ｍ２Ｍデバイスは、ワイヤレス通信ネットワークの基地局とのトラフィックセッションの開始の前に、基地局と関連付けられるページング情報を記憶することができる。ページング情報は、基地局のＰＣＨを監視するための情報を含み得る。ブロック２０１０において、Ｍ２Ｍデバイスは、トラフィックセッションが完了すると、記憶されているページング情報に従って、基地局からページングメッセージングを受信するために構成される。したがって、方法は、Ｍ２Ｍデバイスが、従来のネットワーク再同期手順を回避し、スリープ状態またはページングモードへ直接移行することを可能にする。
【０１２３】
[0144]図２１は、Ｍ２Ｍデバイスがトラフィックセッションからページングモードへ移行するための方法２１００である。方法２１００は、図１〜図２、および図１３〜１４のＭ２Ｍデバイス１２０によって実行され得る。実施形態では、方法２１００は、フロー１３００または１４００と、プロセス１５００および１６００との態様を実施する。一実装形態では、Ｍ２Ｍデバイス１２０−ｄのプロセッサモジュール１９７０は、以下で説明される機能を実行するようにデバイス１２０−ｄの機能的要素を制御するように、コードの１つまたは複数のセットを実行することができる。ブロック２１０５において、方法２０００が開始し、方法２０００において、Ｍ２Ｍデバイスは、ワイヤレス通信ネットワークの基地局とのトラフィックセッションの開始の前に、ページング情報とシステムアクセス情報とを記憶することができる。ページング情報およびシステムアクセス情報は、基地局と関連付けられ得る。ページング情報は、基地局のＰＣＨを監視するための情報を含み得る。システムアクセス情報は、基地局と関連付けられる様々なネットワークパラメータ（たとえば、基地局との通信と関連付けられるネットワークオーバーヘッドパラメータ）を示す情報を含み得る。
【０１２４】
[0145]ブロック２１１０において、Ｍ２Ｍデバイスは、トラフィックセッションが完了すると、システムアクセス情報が期限切れになっているかどうかを決定する。いくつかの態様によれば、システムアクセス情報が記憶されるとき、オーバーヘッドタイマーが開始される。タイマーが周期を完了するとき、システムアクセス情報は、期限切れになっている（たとえば、更新を必要としている）と見なされ得る。システムアクセス情報が期限切れになっていない場合、プロセスはブロック２１１５に移り、ブロック２１１５において、Ｍ２Ｍデバイスは、記憶されているページング情報に基づいて、トラフィックセッションからページングモードへの直接の移行のために構成される。したがって、方法は、Ｍ２Ｍデバイスが、トラフィックセッションの終了時にきに従来のネットワーク再同期手順を回避することを可能にし得る。
【０１２５】
[0146]図２２は、Ｍ２Ｍデバイスがトラフィックセッションからページングモードへ移行するための方法２２００のフローチャートである。方法２２００は、図１〜図２、および図１３〜１４のＭ２Ｍデバイス１２０によって実行され得る。実施形態では、方法２２００は、フロー１３００または１４００と、プロセス１５００および１６００との態様を実施する。一実装形態では、Ｍ２Ｍデバイス１２０−ｄのプロセッサモジュール１９７０は、以下で説明される機能を実行するようにデバイス１２０−ｄの機能的要素を制御するように、コードの１つまたは複数のセットを実行することができる。ブロック２２０５において、方法２２００が開始し、方法２２００において、Ｍ２Ｍデバイスは、ワイヤレス通信ネットワークの基地局とのトラフィックセッションの開始の前に、ページング情報とシステムアクセス情報とを記憶することができる。ページング情報およびシステムアクセス情報は、基地局と関連付けられ得る。ページング情報は、基地局のＰＣＨを監視するための情報を含み得る。システムアクセス情報は、基地局と関連付けられる様々なネットワークパラメータ（たとえば、基地局との通信と関連付けられるネットワークオーバーヘッドパラメータ）を示す情報を含み得る。
【０１２６】
[0147]ブロック２２１０において、Ｍ２Ｍデバイスは、トラフィックセッションが完了すると、システムアクセス情報が期限切れになっているかどうかを決定する。いくつかの態様によれば、システムアクセス情報が記憶されるとき、オーバーヘッドタイマーが開始される。タイマーが周期を完了するとき、システムアクセス情報は、期限切れになっている（たとえば、検証と、必要であれば更新とを必要としている）と見なされ得る。システムアクセス情報が期限切れになっている場合、プロセスはブロック２２１５に移り、ブロック２２１５において、Ｍ２Ｍデバイスはシステムアクセス情報を検証し必要であれば更新するプロセスを、開始する。システムアクセス情報を検証および／または更新することは、１つまたは複数のアクセス構成メッセージにおいて受信される構成シーケンス番号に基づき得る。構成シーケンス番号は、基地局と関連付けられるネットワークパラメータを決定するためにＭ２Ｍデバイスによって利用され得る。いくつかの態様では、Ｍ２Ｍデバイスは、基地局と関連付けられるネットワークパラメータを決定するために、構成シーケンス番号を利用して参照テーブルにアクセスする。ブロック２２２０において、Ｍ２Ｍデバイスは、受信されたアクセス構成メッセージの構成シーケンス番号が、記憶されているシステムアクセス情報の対応する構成シーケンス番号と同じであるかどうかを決定する。ブロック２２２０において、Ｍ２Ｍデバイスは、アクセス構成メッセージの中で受信された構成シーケンス番号が、以前に受信された構成シーケンス番号と同じであるかどうかを決定することができる。構成シーケンス番号が一致する場合、システムアクセス情報は有効であると見なされてよく、プロセスはブロック２２２５に移り、ブロック２２２５において、Ｍ２Ｍデバイスは、記憶されているページング情報に従って、基地局からページングメッセージングを受信するために構成される。したがって、方法は、Ｍ２Ｍデバイスが、システムアクセス情報が変化していないときに、従来のネットワーク再同期手順を回避し、また、記憶されているシステムアクセス情報を更新することと関連付けられる不必要なオーバーヘッドメッセージングを受信するのを回避することを可能にする。したがって、Ｍ２Ｍデバイスは、ＰＣＨがより迅速に監視されるスリープ状態へと戻ることができ、さらに電力を節約することができる。
【０１２７】
[0148]添付の図面に関して上で述べられた発明を実施するための形態は、例示的な実施形態を説明しており、実装され得るまたは特許請求の範囲内に入る実施形態のみを表すものではない。この明細書全体にわたって使用される「例示的」という用語は、「例、事例、または例示として機能すること」を意味し、「好ましい」または「他の実施形態よりも有利である」ことを意味しない。発明を実施するための形態は、説明された技法の理解を与えるための具体的な詳細を含む。しかしながら、これらの技法は、これらの具体的な詳細を伴わずに実践され得る。場合によっては、説明された実施形態の概念を不明瞭にしないために、よく知られている構造およびデバイスがブロック図の形態で示される。
【０１２８】
[0149]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２９】
[0150]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、または本明細書で説明された機能を実行するように設計されたそれらの任意の組合せによって実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１３０】
[0151]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨の中にある。たとえば、ソフトウェアの性質により、上で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的な場所に実装されるように分散されることを含めて、様々な位置において物理的に配置され得る。また、特許請求の範囲を含めて、本明細書で使用される場合、「のうちの少なくとも１つ」で終わる項目のリスト内で使用される「または」は、たとえば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するように、選言的なリストを示す。
【０１３１】
[0152]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送または記憶するために使用され、汎用コンピュータもしくは専用コンピュータまたは汎用プロセッサもしくは専用プロセッサによってアクセスされ得る、任意の他の媒体を備え得る。また、任意の接続は、適切にコンピュータ可読媒体と称される。たとえば、ソフトウェアが、同軸ケーブル、光ファイバーケーブル、ツイストペア、デジタル加入者ライン（ＤＳＬ）、または赤外線、無線およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１３２】
[0153]本開示のこれまでの説明は、当業者が本開示を作成または使用することを可能にするように提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例に対する選好を暗示せず、または必要としない。
【０１３３】
したがって、本開示は、本明細書で説明される例および設計に限定されるべきでなく、本明細書で開示される原理および新規の特徴に合致する最も広い範囲を与えられるべきである。
【図１】
2016517667.tif 000003
【図２】
2016517667.tif 000004
【図３】
2016517667.tif 000005
【図４】
2016517667.tif 000006
【図５】
2016517667.tif 000007
【図６】
2016517667.tif 000008
【図７】
2016517667.tif 000009
【図８】
2016517667.tif 000010
【図９】
2016517667.tif 000011
【図１０】
2016517667.tif 000012
【図１１】
2016517667.tif 000013
【図１２】
2016517667.tif 000014
【図１３】
2016517667.tif 000015
【図１４】
2016517667.tif 000016
【図１５】
2016517667.tif 000017
【図１６】
2016517667.tif 000018
【図１７】
2016517667.tif 000019
【図１８】
2016517667.tif 000020
【図１９】
2016517667.tif 000021
【図２０】
2016517667.tif 000022
【図２１】
2016517667.tif 000023
【図２２】
2016517667.tif 000024
【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
固定式のマシンーツーマシン（Ｍ２Ｍ）デバイスによって実行されるワイヤレス通信の方法であって、
ワイヤレス通信ネットワークの基地局とのトラフィックセッションの開始の前に、前記基地局のページングチャネルのためのページング情報を記憶することと、ここにおいて、前記ページング情報は、ページングチャネルレート、ページングスロット周期、または高速ページングチャネルを復号するためのパラメータのうちの少なくとも１つを含む、
トラフィックチャネル上の前記トラフィックセッションにおける前記基地局と通信することと、および
前記トラフィックセッションの終了時に、前記記憶されているページング情報に従って前記ページングチャネル上の前記基地局からページングメッセージングを受信するために前記Ｍ２Ｍデバイスを構成することとを備える、上記方法。
【請求項２】
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
前記トラフィックセッションの終了時に、前記記憶されているシステムアクセス情報が有効なままであると決定することと、および
前記記憶されているシステムアクセス情報が有効なままであると前記決定したことに基づいて、スリープ状態へ直接移行することとをさらに備える、請求項１に記載の方法。
【請求項３】
前記スリープ状態へ直接移行することが、
前記記憶されているシステムアクセス情報が有効なままであるとの前記決定に基づいて、前記複数のアクセス構成メッセージの１つまたは複数の受信を不可能にすることを備える、請求項２に記載の方法。
【請求項４】
前記記憶されているシステムアクセス情報が有効なままであると前記決定することが、前記記憶されているシステムアクセス情報と関連付けられるオーバーヘッドタイマーに基づいている、請求項３に記載の方法。
【請求項５】
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
前記トラフィックセッションの終了時に、前記記憶されているシステムアクセス情報が期限切れになっていると決定することと、および
スリープ状態へ移行する前に、前記記憶されているシステムアクセス情報を検証することとをさらに備える、請求項１に記載の方法。
【請求項６】
前記記憶されているシステムアクセス情報を検証することが、
前記複数のアクセス構成メッセージの１つを受信することと、および
前記記憶されているシステムアクセス情報と関連付けられる構成シーケンス番号を、前記複数のアクセス構成メッセージの前記受信された１つと関連付けられる構成シーケンス番号と比較することとを備える、請求項５に記載の方法。
【請求項７】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にすることをさらに備える、請求項６に記載の方法。
【請求項８】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にすることをさらに備える、請求項６に記載の方法。
【請求項９】
前記複数のアクセス構成メッセージが、チャネルリストメッセージ、近隣リストメッセージ、アクセスパラメータメッセージ、またはシステムパラメータメッセージの１つまたは複数を備える、請求項５に記載の方法。
【請求項１０】
前記基地局からページングメッセージングを受信するために前記Ｍ２Ｍデバイスを前記構成することが、
パイロット取得または同期信号の復号の１つまたは複数を実行することなく、前記基地局からページングメッセージングを受信するために前記Ｍ２Ｍデバイスを構成することを備える、請求項１に記載の方法。
【請求項１１】
前記記憶されているページング情報がページングチャネルレートを備え、
ここにおいて、前記方法がさらに、前記ページングチャネルレートを利用して、前記基地局によって送信されたページングシグナリングを復号することを備える、請求項１に記載の方法。
【請求項１２】
前記記憶されているページング情報がページングスロット周期を備え、および、ここにおいて、前記方法がさらに、
前記ページングスロット周期を利用して、前記基地局によって送信されたページングシグナリングを復号することを備える、請求項１に記載の方法。
【請求項１３】
前記記憶されているページング情報が高速ページングチャネルを復号するためのパラメータを備え、および、ここにおいて、前記復号することが、
前記記憶されているページング情報を利用して、前記高速ページングチャネルを通じて、前記基地局によって送信されたページングシグナリングを復号することを備える、請求項１に記載の方法。
【請求項１４】
前記トラフィックセッションの間に、前記基地局との同期のためのタイミング情報を受信することと、ここにおいて、さらに前記タイミング情報に少なくとも一部基づいて前記基地局によって送信されたページングメッセージングを受信するために前記Ｍ２Ｍデバイスを構成すること、
を備える、請求項１に記載の方法。
【請求項１５】
固定式のマシンーツーマシン（Ｍ２Ｍ）デバイスによるネットワーク再同期手順を回避するように構成されるワイヤレス通信システムであって、
ワイヤレス通信ネットワークの基地局とのトラフィックセッションの開始の前に、前記基地局のページングチャネルのためのページング情報を、記憶するための手段と、ここにおいて、前記ページング情報は、ページングチャネルレート、ページングスロット周期、または高速ページングチャネルを復号するためのパラメータのうちの少なくとも１つを含む、
トラフィックチャネル上の前記トラフィックセッションにおける前記基地局と通信するための手段と、および
前記トラフィックセッションの終了時に、前記記憶されているページング情報に従って前記ページングチャネル上の前記基地局からページングメッセージングを受信するために前記Ｍ２Ｍデバイスを構成するための手段とを備える、上記ワイヤレス通信システム。
【請求項１６】
前記トラフィックセッションの開始の前に、前記基地局と関連付けられるシステムアクセス情報を受信するための手段と、前記システムアクセス情報は、複数のアクセス構成メッセージの中で前記基地局によって送信される、
前記受信されたシステムアクセス情報を記憶するための手段と、
前記トラフィックセッションの終了時に、前記記憶されているシステムアクセス情報が有効なままであると決定するための手段と、および
前記記憶されているシステムアクセス情報が有効なままであると前記決定したことに基づいてスリープ状態へ直接移行するための手段と、
をさらに備える、請求項１５に記載のワイヤレス通信システム。
【請求項１７】
前記スリープ状態へ直接移行するための前記手段がさらに、
前記記憶されているシステムアクセス情報が有効なままであるという前記決定に基づいて、前記複数のアクセス構成メッセージの１つまたは複数の受信を不可能にするための手段を備える、請求項１６に記載のワイヤレス通信システム。
【請求項１８】
前記記憶されているシステムアクセス情報が有効なままであると前記決定することが、前記記憶されているシステムアクセス情報と関連付けられるオーバーヘッドタイマーに基づいている、請求項１６に記載のワイヤレス通信システム。
【請求項１９】
前記トラフィックセッションの開始の前に、前記基地局と関連付けられるシステムアクセス情報を受信するための手段と、前記システムアクセス情報は、複数のアクセス構成メッセージの中で前記基地局によって送信される、
前記受信されたシステムアクセス情報を記憶するための手段と、
前記トラフィックセッションの終了時に、前記記憶されているシステムアクセス情報が期限切れになっていると決定するための手段と、および
スリープ状態へ移行する前に、前記記憶されているシステムアクセス情報を検証するための手段とをさらに備える、請求項１５に記載のワイヤレス通信システム。
【請求項２０】
前記記憶されているシステムアクセス情報を検証するための前記手段が、
複数のアクセス構成メッセージの１つを受信するための手段と、および
前記記憶されているシステムアクセス情報と関連付けられる構成シーケンス番号を、前記複数のアクセス構成メッセージの前記受信された１つと関連付けられる構成シーケンス番号と比較するための手段とを備える、請求項１５に記載のワイヤレス通信システム。
【請求項２１】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするための手段をさらに備える、請求項２０に記載のワイヤレス通信システム。
【請求項２２】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするための手段をさらに備える、請求項２０に記載のワイヤレス通信システム。
【請求項２３】
前記複数のアクセス構成メッセージが、チャネルリストメッセージ、近隣リストメッセージ、アクセスパラメータメッセージ、またはシステムパラメータメッセージの１つまたは複数を備える、請求項１９に記載のワイヤレス通信システム。
【請求項２４】
前記基地局からページングメッセージングを受信するために前記Ｍ２Ｍデバイスを構成するための前記手段はさらに、
パイロット取得または同期信号の復号の１つまたは複数を実行することなく、前記基地局からページングメッセージングを受信するために前記Ｍ２Ｍデバイスを構成するための手段を備える、請求項１５に記載のワイヤレス通信システム。
【請求項２５】
前記記憶されているページング情報がページングチャネルレートを備え、および
前記システムがさらに、前記ページングチャネルレートを利用して、前記基地局によって送信されたページングシグナリングを復号するための手段を備える、請求項１５に記載のワイヤレス通信システム。
【請求項２６】
前記記憶されているページング情報がページングスロット周期を備え、および
前記ページングスロット周期を利用して、前記基地局によって送信されたページングシグナリングを復号するための手段をさらに備える、請求項１５に記載のワイヤレス通信システム。
【請求項２７】
前記記憶されているページング情報が高速ページングチャネルを復号するためのパラメータを備え、および
前記記憶されているページング情報を利用して、前記高速ページングチャネルを通じて、前記基地局によって送信されたページングシグナリングを復号するための手段、をさらに備える、請求項１５に記載のワイヤレス通信システム。
【請求項２８】
前記トラフィックセッションの間に、前記基地局との同期のためのタイミング情報を受信するための手段と、ここにおいて、
前記タイミング情報に少なくとも一部基づいて前記基地局によって送信されたページングメッセージングを受信するように前記Ｍ２Ｍデバイスを構成するための手段とをさらに備える、請求項１５に記載のワイヤレス通信システム。
【請求項２９】
固定式のマシンーツーマシン（Ｍ２Ｍ）デバイスによるワイヤレス通信のためのコンピュータプログラム製品であって、
ワイヤレス通信ネットワークの基地局とのトラフィックセッションの開始の前に、前記基地局のページングチャネルのためのページング情報を記憶するためのコードと、ここにおいて、前記ページング情報は、ページングチャネルレート、ページングスロット周期、または高速ページングチャネルを復号するためのパラメータのうちの少なくとも１つを含む、
トラフィックチャネル上の前記トラフィックセッションにおける前記基地局と通信するためのコードと、および
前記トラフィックセッションの終了時に、前記記憶されているページング情報に従って前記ページングチャネル上の前記基地局からページングメッセージングを受信するために前記Ｍ２Ｍデバイスを構成するためのコードと
を備える、非一時的コンピュータ可読媒体を備える、上記コンピュータプログラム製品。
【請求項３０】
前記非一時的コンピュータ可読媒体がさらに、
前記トラフィックセッションの開始の前に、前記基地局と関連付けられるシステムアクセス情報を受信するためのコードと、前記システムアクセス情報は、複数のアクセス構成メッセージの中で前記基地局によって送信される、
前記受信されたシステムアクセス情報を記憶するためのコードと、
前記トラフィックセッションの終了時に、前記記憶されているシステムアクセス情報が有効なままであると決定するためのコードと、および
前記記憶されているシステムアクセス情報が有効なままであると前記決定したことに基づいて、スリープ状態へ直接移行するためのコードとを備える、
請求項２９に記載のコンピュータプログラム製品。
【請求項３１】
前記非一時的コンピュータ可読媒体がさらに、
前記記憶されているシステムアクセス情報が有効なままであるという前記決定に基づいて、前記複数のアクセス構成メッセージの１つまたは複数の受信を不可能にするためのコードを備える、請求項３０に記載のコンピュータプログラム製品。
【請求項３２】
前記記憶されているシステムアクセス情報が有効なままであると決定することが、前記記憶されているシステムアクセス情報と関連付けられるオーバーヘッドタイマーに基づく、請求項３０に記載のコンピュータプログラム製品。
【請求項３３】
前記非一時的コンピュータ可読媒体がさらに、
前記トラフィックセッションの開始の前に、前記基地局と関連付けられるシステムアクセス情報を受信するためのコードと、前記システムアクセス情報は、複数のアクセス構成メッセージの中で前記基地局によって送信される、
前記受信されたシステムアクセス情報を記憶するためのコードと、
前記トラフィックセッションの終了時に、前記記憶されているシステムアクセス情報が期限切れになっていると決定するためのコードと、および
スリープ状態へ移行する前に、前記記憶されているシステムアクセス情報を検証するためのコードとを備える、請求項２９に記載のコンピュータプログラム製品。
【請求項３４】
前記非一時的コンピュータ可読媒体がさらに、
前記複数のアクセス構成メッセージの１つを受信するためのコードと、および
前記記憶されているシステムアクセス情報と関連付けられる構成シーケンス番号を、前記複数のアクセス構成メッセージの前記受信された１つと関連付けられる構成シーケンス番号と比較するためのコードとを備える、請求項３３に記載のコンピュータプログラム製品。
【請求項３５】
前記非一時的コンピュータ可読媒体がさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするためのコードを備える、請求項３４に記載のコンピュータプログラム製品。
【請求項３６】
前記非一時的コンピュータ可読媒体がさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするためのコードを備える、請求項３４に記載のコンピュータプログラム製品。
【請求項３７】
前記複数のアクセス構成メッセージが、チャネルリストメッセージ、近隣リストメッセージ、アクセスパラメータメッセージ、またはシステムパラメータメッセージの１つまたは複数を備える、請求項３３に記載のコンピュータプログラム製品。
【請求項３８】
前記非一時的コンピュータ可読媒体がさらに、
パイロット取得または同期信号の復号の１つまたは複数を実行することなく、前記基地局からページングメッセージングを受信するために前記Ｍ２Ｍデバイスを構成するためのコードを備える、請求項２９に記載のコンピュータプログラム製品。
【請求項３９】
前記記憶されているページング情報がページングチャネルレートを備え、および、ここにおいて、前記非一時的コンピュータ可読媒体がさらに、
前記ページングチャネルレートを利用して前記基地局によって送信されたページングシグナリングを復号するためのコードを備える、請求項２９に記載のコンピュータプログラム製品。
【請求項４０】
前記記憶されているページング情報がページングスロット周期を備え、および、ここにおいて、前記非一時的コンピュータ可読媒体がさらに、
前記ページングスロット周期を利用して前記基地局によって送信されたページングシグナリングを復号するためのコードを備える、請求項２９に記載のコンピュータプログラム製品。
【請求項４１】
前記記憶されているページング情報が高速ページングチャネルを復号するためのパラメータを備え、および、ここにおいて、前記非一時的コンピュータ可読媒体がさらに、
前記記憶されているページング情報を利用して前記高速ページングチャネルを通じて、前記基地局によって送信されたページングシグナリングを復号するためのコードを備える、請求項２９に記載のコンピュータプログラム製品。
【請求項４２】
前記非一時的コンピュータ可読媒体がさらに、
前記トラフィックセッションの間に、前記基地局との同期のためのタイミング情報を受信するためのコードと、ここにおいて、
前記タイミング情報に少なくとも一部基づいて前記基地局によって送信されたページングメッセージングを受信するように前記Ｍ２Ｍデバイスを構成するためのコードとを備える、請求項２９に記載のコンピュータプログラム製品。
【請求項４３】
ネットワーク再同期を回避するように構成される固定式のマシンーツーマシン（Ｍ２Ｍ）デバイス、該デバイスは、
ワイヤレス通信ネットワークの基地局とのトラフィックセッションの開始の前に、前記基地局のページングチャネルのためのページング情報を記憶し、ここにおいて、前記ページング情報は、ページングチャネルレート、ページングスロット周期、または高速ページングチャネルを復号するためのパラメータのうちの少なくとも１つを含む、
トラフィックチャネル上の前記トラフィックセッションにおける前記基地局と通信し、および
前記トラフィックセッションの終了時に、前記記憶されているページング情報に従って前記ページングチャネル上の前記基地局からページングメッセージングを受信するために前記Ｍ２Ｍデバイスを構成する、
ように構成される少なくとも１つのコントローラを備える。
【請求項４４】
前記少なくとも１つのコントローラがさらに、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
前記トラフィックセッションの終了時に、前記記憶されているシステムアクセス情報が有効なままであると決定し、および
前記記憶されているシステムアクセス情報が有効なままであると前記決定したことに基づいて、スリープ状態へ直接移行する、
ように構成される、請求項４３に記載の固定式のＭ２Ｍデバイス。
【請求項４５】
前記少なくとも１つのコントローラがさらに、
前記記憶されているシステムアクセス情報が有効なままであるとの前記決定に基づいて、前記複数のアクセス構成メッセージの１つまたは複数の受信を不可能にするように構成される、請求項４４に記載の固定式のＭ２Ｍデバイス。
【請求項４６】
前記記憶されているシステムアクセス情報が有効なままであると前記決定することが、前記記憶されているシステムアクセス情報と関連付けられるオーバーヘッドタイマーに基づいている、請求項４４に記載の固定式のＭ２Ｍデバイス。
【請求項４７】
前記少なくとも１つのコントローラがさらに、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
前記トラフィックセッションの終了時に、前記記憶されているシステムアクセス情報が期限切れになっていると決定し、および
スリープ状態へ移行する前に、前記記憶されているシステムアクセス情報を検証する、ように構成される、請求項４３に記載の固定式のＭ２Ｍデバイス。
【請求項４８】
前記少なくとも１つのコントローラがさらに、
前記複数のアクセス構成メッセージの１つを受信し、および
前記記憶されているシステムアクセス情報と関連付けられる構成シーケンス番号を、前記複数のアクセス構成メッセージの前記受信された１つと関連付けられる構成シーケンス番号と比較する、
ように構成される、請求項４７に記載の固定式のＭ２Ｍデバイス。
【請求項４９】
前記少なくとも１つのコントローラがさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするように構成される、請求項４８に記載の固定式のＭ２Ｍデバイス。
【請求項５０】
前記少なくとも１つのコントローラがさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするために構成される、請求項４８に記載の固定式のＭ２Ｍデバイス。
【請求項５１】
前記複数のアクセス構成メッセージが、チャネルリストメッセージ、近隣リストメッセージ、アクセスパラメータメッセージまたはシステムパラメータメッセージの１つまたは複数を備える、請求項４７に記載の固定式のＭ２Ｍデバイス。
【請求項５２】
前記少なくとも１つのコントローラがさらに、
パイロット取得または同期信号の復号の１つまたは複数を実行することなく前記基地局からページングメッセージングを受信するために前記Ｍ２Ｍデバイスを構成するように、
構成される、請求項４７に記載の固定式のＭ２Ｍデバイス。
【請求項５３】
前記記憶されているページング情報がページングチャネルレートを備え、および、ここにおいて、前記少なくとも１つのコントローラがさらに、
前記ページングチャネルレートを利用して前記基地局によって送信されたページングシグナリングを復号する、
ように構成される、請求項４７に記載の固定式のＭ２Ｍデバイス。
【請求項５４】
前記記憶されているページング情報がページングスロット周期を備え、および、ここにおいて、前記少なくとも１つのコントローラがさらに、
前記ページングスロット周期を利用して前記基地局によって送信されたページングシグナリングを復号する、
ように構成される、請求項４７に記載の固定式のＭ２Ｍデバイス。
【請求項５５】
前記記憶されているページング情報が高速ページングチャネルを復号するためのパラメータを備え、および、ここにおいて、前記少なくとも１つのコントローラがさらに、
前記記憶されているページング情報を利用して前記高速ページングチャネルを通じて、前記基地局によって送信されたページングシグナリングを復号するように構成される、
請求項４７に記載の固定式のＭ２Ｍデバイス。
【請求項５６】
前記少なくとも１つのコントローラがさらに、
前記トラフィックセッションの間に、前記基地局との同期のためのタイミング情報を受信するように構成され、
ここにおいて前記コントローラが、
前記タイミング情報に少なくとも一部基づいて前記基地局によって送信されたページングメッセージングを受信するために前記Ｍ２Ｍデバイスを構成するように構成される、
請求項４７に記載の固定式のＭ２Ｍデバイス。
【手続補正２】
【補正対象書類名】明細書
【補正対象項目名】０１３３
【補正方法】変更
【補正の内容】
【０１３３】
したがって、本開示は、本明細書で説明される例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
固定式のマシンーツマシン（Ｍ２Ｍ）デバイスによって実行されるワイヤレス通信の方法であって、
ワイヤレス通信ネットワークの基地局とのトラフィックセッションの開始の前に、前記基地局と関連付けられるページング情報を記憶することと、
前記トラフィックセッションの終了時に、前記記憶されているページング情報に従って前記基地局からページングメッセージングを受信するために前記Ｍ２Ｍデバイスを構成することとを備える、上記方法。
［Ｃ２］
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
前記トラフィックセッションの終了時に、前記記憶されているシステムアクセス情報が有効なままであると決定することと、
前記記憶されているシステムアクセス情報が有効なままであると前記決定したことに基づいて、スリープ状態へ直接移行することとをさらに備える、Ｃ１に記載の方法。
［Ｃ３］
前記スリープ状態へ直接移行することが、
前記記憶されているシステムアクセス情報が有効なままであるとの前記決定に基づいて、前記複数のアクセス構成メッセージの１つまたは複数の受信を不可能にすることを備える、Ｃ２に記載の方法。
［Ｃ４］
前記記憶されているシステムアクセス情報が有効なままであると前記決定することが、前記記憶されているシステムアクセス情報と関連付けられるオーバーヘッドタイマーに基づいている、Ｃ３に記載の方法。
［Ｃ５］
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
前記トラフィックセッションの終了時に、前記記憶されているシステムアクセス情報が期限切れになっていると決定することと、
スリープ状態へ移行する前に、前記記憶されているシステムアクセス情報を検証することとをさらに備える、Ｃ１に記載の方法。
［Ｃ６］
前記記憶されているシステムアクセス情報を検証することが、
前記複数のアクセス構成メッセージの１つを受信することと、
前記記憶されているシステムアクセス情報と関連付けられる構成シーケンス番号を、前記複数のアクセス構成メッセージの前記受信された１つと関連付けられる構成シーケンス番号と比較することとを備える、Ｃ５に記載の方法。
［Ｃ７］
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にすることをさらに備える、Ｃ６に記載の方法。
［Ｃ８］
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にすることをさらに備える、Ｃ６に記載の方法。
［Ｃ９］
前記複数のアクセス構成メッセージが、チャネルリストメッセージ、近隣リストメッセージ、アクセスパラメータメッセージ、又はシステムパラメータメッセージまたはの１つまたは複数を備える、Ｃ５に記載の方法。
［Ｃ１０］
前記基地局からページングメッセージングを受信するために前記Ｍ２Ｍデバイスを前記構成することが、
パイロット取得または同期信号の復号の１つまたは複数を実行することなく、前記基地局からページングメッセージングを受信するために前記Ｍ２Ｍデバイスを構成することを備える、Ｃ１に記載の方法。
［Ｃ１１］
前記記憶されているページング情報がページングチャネルレートを備え、
ここにおいて、前記方法がさらに、前記ページングチャネルレートを利用して、前記基地局によって送信されたページングシグナリングを復号することをさらに備える、Ｃ１に記載の方法。
［Ｃ１２］
前記記憶されているページング情報がページングスロット周期を備え、および
ここにおいて、前記方法がさらに、
前記ページングスロット周期を利用して、前記基地局によって送信されたページングシグナリングを復号することをさらに備える、Ｃ１に記載の方法。
［Ｃ１３］
前記記憶されているページング情報が高速ページングチャネルを復号するためのパラメータを備え、および、ここにおいて、前記復号することが、
前記記憶されているページング情報を利用して、前記高速ページングチャネル上で前記基地局によって送信されたページングシグナリングを復号することを備える、Ｃ１に記載の方法。
［Ｃ１４］
前記トラフィックセッションの間に、前記基地局との同期のためのタイミング情報を受信することと、ここにおいて、さらに前記タイミング情報に少なくとも一部基づいて前記基地局によって送信されたページングメッセージングを受信するために前記Ｍ２Ｍデバイスを構成すること、
を備える、Ｃ１に記載の方法。
［Ｃ１５］
固定式のマシンーツーマシン（Ｍ２Ｍ）デバイスによるネットワーク再同期手順を回避するように構成されるワイヤレス通信システムであって、
ワイヤレス通信ネットワークの基地局とのトラフィックセッションの開始の前に、前記基地局と関連付けられるページング情報を、記憶するための手段と、および
前記トラフィックセッションの終了時に、前記記憶されているページング情報に従って前記基地局からページングメッセージングを受信するために前記Ｍ２Ｍデバイスを構成するための手段とを備える、ワイヤレス通信システム。
［Ｃ１６］
前記トラフィックセッションの開始の前に、前記基地局と関連付けられるシステムアクセス情報を受信するための手段と、前記システムアクセス情報は、複数のアクセス構成メッセージの中で前記基地局によって送信される、
前記受信されたシステムアクセス情報を記憶するための手段と、
前記トラフィックセッションの終了時に、前記記憶されているシステムアクセス情報が有効なままであると決定するための手段と、
前記記憶されているシステムアクセス情報が有効なままであると前記決定したことに基づいてスリープ状態へ直接移行するための手段と、
をさらに備える、Ｃ１５に記載のワイヤレス通信システム。
［Ｃ１７］
前記スリープ状態へ直接移行するための前記手段がさらに、
前記記憶されているシステムアクセス情報が有効なままであるという前記決定に基づいて、前記複数のアクセス構成メッセージの１つまたは複数の受信を不可能にするための手段を備える、Ｃ１６に記載のワイヤレス通信システム。
［Ｃ１８］
前記記憶されているシステムアクセス情報が有効なままであると前記決定することが、前記記憶されているシステムアクセス情報と関連付けられるオーバーヘッドタイマーに基づいている、Ｃ１６に記載のワイヤレス通信システム。
［Ｃ１９］
前記トラフィックセッションの開始の前に、前記基地局と関連付けられるシステムアクセス情報を受信するための手段と、前記システムアクセス情報は、複数のアクセス構成メッセージの中で前記基地局によって送信される、
前記受信されたシステムアクセス情報を記憶するための手段と、
前記トラフィックセッションの終了時に、前記記憶されているシステムアクセス情報が期限切れになっていると決定するための手段と、
スリープ状態へ移行する前に、前記記憶されているシステムアクセス情報を検証するための手段とをさらに備える、Ｃ１５に記載のワイヤレス通信システム。
［Ｃ２０］
前記記憶されているシステムアクセス情報を検証するための前記手段が、
前記複数のアクセス構成メッセージの１つを受信するための手段と、
前記記憶されているシステムアクセス情報と関連付けられる構成シーケンス番号を、前記複数のアクセス構成メッセージの前記受信された１つと関連付けられる構成シーケンス番号と比較するための手段とを備える、Ｃ１５に記載のワイヤレス通信システム。
［Ｃ２１］
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするための手段をさらに備える、Ｃ２０に記載のワイヤレス通信システム。
［Ｃ２２］
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするための手段をさらに備える、Ｃ２０に記載のワイヤレス通信システム。
［Ｃ２３］
前記複数のアクセス構成メッセージが、チャネルリストメッセージ、近隣リストメッセージ、アクセスパラメータメッセージ、またはシステムパラメータメッセージの１つまたは複数を備える、Ｃ１９に記載のワイヤレス通信システム。
［Ｃ２４］
前記基地局からページングメッセージングを受信するために前記Ｍ２Ｍデバイスを構成するための前記手段はさらに、
パイロット取得または同期信号の復号の１つまたは複数を実行することなく、前記基地局からページングメッセージングを受信するために前記Ｍ２Ｍデバイスを構成するための手段をさらに備える、Ｃ１５に記載のワイヤレス通信システム。
［Ｃ２５］
前記記憶されているページング情報がページングチャネルレートを備え、
前記ページングチャネルレートを利用して、前記基地局によって送信されたページングシグナリングを復号するための手段をさらに備える、Ｃ１５に記載のワイヤレス通信システム。
［Ｃ２６］
前記記憶されているページング情報がページングスロット周期を備え、
前記ページングスロット周期を利用して、前記基地局によって送信されたページングシグナリングを復号するための手段をさらに備える、Ｃ１５に記載のワイヤレス通信システム。
［Ｃ２７］
前記記憶されているページング情報が高速ページングチャネルを復号するためのパラメータを備え、
前記記憶されているページング情報を利用して、前記高速ページングチャネルを通じて、前記基地局によって送信されたページングシグナリングを復号するための手段、をさらに備える、Ｃ１５に記載のワイヤレス通信システム。
［Ｃ２８］
前記トラフィックセッションの間に、前記基地局との同期のためのタイミング情報を受信するための手段と、
前記タイミング情報に少なくとも一部基づいて前記基地局によって送信されたページングメッセージングを受信するように前記Ｍ２Ｍデバイスを構成するための手段とをさらに備える、Ｃ１５に記載のワイヤレス通信システム。
［Ｃ２９］
固定式のマシンーツーマシン（Ｍ２Ｍ）デバイスによるワイヤレス通信のためのコンピュータプログラム製品であって、
ワイヤレス通信ネットワークの基地局とのトラフィックセッションの開始の前に、前記基地局と関連付けられるページング情報を記憶するためのコードと、
前記トラフィックセッションの終了時に、前記記憶されているページング情報に従って前記基地局からページングメッセージングを受信するために前記Ｍ２Ｍデバイスを構成するためのコードと
を備える、非一時的コンピュータ可読媒体を備える、コンピュータプログラム製品。
［Ｃ３０］
前記非一時的コンピュータ可読媒体がさらに、
前記トラフィックセッションの開始の前に、前記基地局と関連付けられるシステムアクセス情報を受信するためのコードと、前記システムアクセス情報は、複数のアクセス構成メッセージの中で前記基地局によって送信される、
前記受信されたシステムアクセス情報を記憶するためのコードと、
前記トラフィックセッションの終了時に、前記記憶されているシステムアクセス情報が有効なままであると決定するためのコードと、
前記記憶されているシステムアクセス情報が有効なままであると前記決定したことに基づいて、スリープ状態へ直接移行するためのコードとを備える、
Ｃ２９に記載のコンピュータプログラム製品。
［Ｃ３１］
前記非一時的コンピュータ可読媒体がさらに、
前記記憶されているシステムアクセス情報が有効なままであるという前記決定に基づいて、前記複数のアクセス構成メッセージの１つまたは複数の受信を不可能にするためのコードを備える、Ｃ３０に記載のコンピュータプログラム製品。
［Ｃ３２］
前記記憶されているシステムアクセス情報が有効なままであると決定することが、前記記憶されているシステムアクセス情報と関連付けられるオーバーヘッドタイマーに基づく、Ｃ３０に記載のコンピュータプログラム製品。
［Ｃ３３］
前記非一時的コンピュータ可読媒体がさらに、
前記トラフィックセッションの開始の前に、前記基地局と関連付けられるシステムアクセス情報を受信するためのコードと、前記システムアクセス情報は、複数のアクセス構成メッセージの中で前記基地局によって送信され、前記受信されたシステムアクセス情報を記憶するためのコードと、
前記トラフィックセッションの終了時に、前記記憶されているシステムアクセス情報が期限切れになっていると決定するためのコードと、
スリープ状態へ移行する前に、前記記憶されているシステムアクセス情報を検証するためのコードとを備える、Ｃ２９に記載のコンピュータプログラム製品。
［Ｃ３４］
前記非一時的コンピュータ可読媒体がさらに、
前記複数のアクセス構成メッセージの１つを受信するためのコードと、
前記記憶されているシステムアクセス情報と関連付けられる構成シーケンス番号を、前記複数のアクセス構成メッセージの前記受信された１つと関連付けられる構成シーケンス番号と比較するためのコードとを備える、Ｃ３３に記載のコンピュータプログラム製品。
［Ｃ３５］
前記非一時的コンピュータ可読媒体がさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするためのコードを備える、Ｃ３４に記載のコンピュータプログラム製品。
［Ｃ３６］
前記非一時的コンピュータ可読媒体がさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするためのコードを備える、Ｃ３４に記載のコンピュータプログラム製品。
［Ｃ３７］
前記複数のアクセス構成メッセージが、チャネルリストメッセージ、近隣リストメッセージ、アクセスパラメータメッセージ、またはシステムパラメータメッセージの１つまたは複数を備える、Ｃ３３に記載のコンピュータプログラム製品。
［Ｃ３８］
前記非一時的コンピュータ可読媒体がさらに、
パイロット取得または同期信号の復号の１つまたは複数を実行することなく、前記基地局からページングメッセージングを受信するために前記Ｍ２Ｍデバイスを構成するためのコードを備える、Ｃ２９に記載のコンピュータプログラム製品。
［Ｃ３９］
前記記憶されているページング情報がページングチャネルレートを備え、および、ここにおいて前記非一時的コンピュータ可読媒体がさらに、
前記ページングチャネルレートを利用して前記基地局によって送信されたページングシグナリングを復号するためのコードを備える、Ｃ２９に記載のコンピュータプログラム製品。
［Ｃ４０］
前記記憶されているページング情報がページングスロット周期を備え、および、ここにおいて前記非一時的コンピュータ可読媒体がさらに、
前記ページングスロット周期を利用して前記基地局によって送信されたページングシグナリングを復号するためのコードを備える、Ｃ２９に記載のコンピュータプログラム製品。
［Ｃ４１］
前記記憶されているページング情報が高速ページングチャネルを復号するためのパラメータを備え、およびここにおいて前記非一時的コンピュータ可読媒体がさらに、
前記記憶されているページング情報を利用して前記高速ページングチャネル上で前記基地局によって送信されたページングシグナリングを復号するためのコードを備える、Ｃ２９に記載のコンピュータプログラム製品。
［Ｃ４２］
前記非一時的コンピュータ可読媒体がさらに、
前記トラフィックセッションの間に、前記基地局との同期のためのタイミング情報を受信するためのコードと、
前記タイミング情報に少なくとも一部基づいて前記基地局によって送信されたページングメッセージングを受信するように前記Ｍ２Ｍデバイスを構成するためのコードとを備える、Ｃ２９に記載のコンピュータプログラム製品。
［Ｃ４３］
ネットワーク再同期を回避するように構成される固定式のマシンーツーマシン（Ｍ２Ｍ）デバイス、該デバイスは、
ワイヤレス通信ネットワークの基地局とのトラフィックセッションの開始の前に、前記基地局と関連付けられるページング情報を記憶し、
前記トラフィックセッションの終了時に、前記記憶されているページング情報に従って前記基地局からページングメッセージングを受信するために前記Ｍ２Ｍデバイスを構成する、
ように構成される少なくとも１つのコントローラを備える。
［Ｃ４４］
前記少なくとも１つのコントローラがさらに、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
前記トラフィックセッションの終了時に、前記記憶されているシステムアクセス情報が有効なままであると決定し、
前記記憶されているシステムアクセス情報が有効なままであると前記決定したことに基づいて、スリープ状態へ直接移行する、
ように構成される、Ｃ４３に記載の固定式のＭ２Ｍデバイス。
［Ｃ４５］
前記少なくとも１つのコントローラがさらに、
前記記憶されているシステムアクセス情報が有効なままであるとの前記決定に基づいて、前記複数のアクセス構成メッセージの１つまたは複数の受信を不可能にするように構成される、Ｃ４４に記載の固定式のＭ２Ｍデバイス。
［Ｃ４６］
前記記憶されているシステムアクセス情報が有効なままであると前記決定することが、前記記憶されているシステムアクセス情報と関連付けられるオーバーヘッドタイマーに基づいている、Ｃ４４に記載の固定式のＭ２Ｍデバイス。
［Ｃ４７］
前記少なくとも１つのコントローラがさらに、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
前記トラフィックセッションの終了時に、前記記憶されているシステムアクセス情報が期限切れになっていると決定し、および
スリープ状態へ移行する前に、前記記憶されているシステムアクセス情報を検証する、ように構成される、Ｃ４３に記載の固定式のＭ２Ｍデバイス。
［Ｃ４８］
前記少なくとも１つのコントローラがさらに、
前記複数のアクセス構成メッセージの１つを受信し、
前記記憶されているシステムアクセス情報と関連付けられる構成シーケンス番号を、前記複数のアクセス構成メッセージの前記受信された１つと関連付けられる構成シーケンス番号と比較する、
ように構成される、Ｃ４７に記載の固定式のＭ２Ｍデバイス。
［Ｃ４９］
前記少なくとも１つのコントローラがさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするように構成される、Ｃ４８に記載の固定式のＭ２Ｍデバイス。
［Ｃ５０］
前記少なくとも１つのコントローラがさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするために構成される、Ｃ４８に記載の固定式のＭ２Ｍデバイス。    
［Ｃ５１］
前記複数のアクセス構成メッセージが、チャネルリストメッセージ、近隣リストメッセージ、、アクセスパラメータメッセージまたはシステムパラメータメッセージの１つまたは複数を備える、Ｃ４７に記載の固定式のＭ２Ｍデバイス。
［Ｃ５２］
前記少なくとも１つのコントローラがさらに、
パイロット取得または同期信号の復号の１つまたは複数を実行することなく前記基地局からページングメッセージングを受信するために前記Ｍ２Ｍデバイスを構成するように、
構成される、Ｃ４７に記載の固定式のＭ２Ｍデバイス。
［Ｃ５３］
前記記憶されているページング情報がページングチャネルレートを備え、およびここにおいて前記少なくとも１つのコントローラがさらに、
前記ページングチャネルレートを利用して前記基地局によって送信されたページングシグナリングを復号する、
ように構成される、Ｃ４７に記載の固定式のＭ２Ｍデバイス。
［Ｃ５４］
前記記憶されているページング情報がページングスロット周期を備え、およびここにおいて前記少なくとも１つのコントローラがさらに、
前記ページングスロット周期を利用して前記基地局によって送信されたページングシグナリングを復号する、
ように構成される、Ｃ４７に記載の固定式のＭ２Ｍデバイス。
［Ｃ５５］
前記記憶されているページング情報が高速ページングチャネルを復号するためのパラメータを備え、およびここにおいて前記少なくとも１つのコントローラがさらに、
前記記憶されているページング情報を利用して前記高速ページングチャネル上を前記基地局によって送信されたページングシグナリングを復号するように構成される、
Ｃ４７に記載の固定式のＭ２Ｍデバイス。
［Ｃ５６］
前記少なくとも１つのコントローラがさらに、
前記トラフィックセッションの間に、前記基地局との同期のためのタイミング情報を受信するように構成され、
ここにおいて前記コントローラが、
前記タイミング情報に少なくとも一部基づいて前記基地局によって送信されたページングメッセージングを受信するために前記Ｍ２Ｍデバイスを構成するように構成される、
Ｃ４７に記載の固定式のＭ２Ｍデバイス。
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
固定式のマシンーツーマシン（Ｍ２Ｍ）デバイスによって実行されるワイヤレス通信の方法であって、
ワイヤレス通信ネットワークの基地局とのトラフィックセッションの開始の前に、前記基地局のページングチャネルのためのページング情報を記憶することと、ここにおいて、前記ページング情報は、ページングスロット周期を含む、
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
トラフィックチャネル上の前記トラフィックセッションにおける前記基地局と通信することと、
前記トラフィックセッションの終了時に、前記記憶されているシステムアクセス情報が有効なままであると決定することと、
前記記憶されているシステムアクセス情報が有効なままであると前記決定したことに基づいてスリープ状態へ直接移行することと、および
前記トラフィックセッションの終了時に、前記記憶されているページング情報に従って前記ページングチャネル上の前記基地局からページングメッセージングを受信するために前記Ｍ２Ｍデバイスを構成することとを備える、上記方法。
【請求項２】
前記スリープ状態へ直接移行することが、
前記記憶されているシステムアクセス情報が有効なままであるとの前記決定に基づいて、前記複数のアクセス構成メッセージの１つまたは複数の受信を不可能にすることを備える、請求項１に記載の方法。
【請求項３】
前記記憶されているシステムアクセス情報が有効なままであると前記決定することが、前記記憶されているシステムアクセス情報と関連付けられるオーバーヘッドタイマーに基づいている、請求項２に記載の方法。
【請求項４】
前記トラフィックセッションの終了時に、前記記憶されているシステムアクセス情報が期限切れになっていると決定することと、および
スリープ状態へ移行する前に、前記記憶されているシステムアクセス情報を検証することとをさらに備える、請求項１に記載の方法。
【請求項５】
前記記憶されているシステムアクセス情報を検証することが、
前記複数のアクセス構成メッセージの１つを受信することと、および
前記記憶されているシステムアクセス情報と関連付けられる構成シーケンス番号を、前記複数のアクセス構成メッセージの前記受信された１つと関連付けられる構成シーケンス番号と比較することとを備える、請求項４に記載の方法。
【請求項６】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にすることをさらに備える、請求項５に記載の方法。
【請求項７】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にすることをさらに備える、請求項５に記載の方法。
【請求項８】
前記複数のアクセス構成メッセージが、チャネルリストメッセージ、近隣リストメッセージ、アクセスパラメータメッセージ、またはシステムパラメータメッセージの１つまたは複数を備える、請求項４に記載の方法。
【請求項９】
前記基地局からページングメッセージングを受信するために前記Ｍ２Ｍデバイスを前記構成することが、
パイロット取得または同期信号の復号の１つまたは複数を実行することなく、前記基地局からページングメッセージングを受信するために前記Ｍ２Ｍデバイスを構成することを備える、請求項１に記載の方法。
【請求項１０】
前記記憶されているページング情報がページングスロット周期を備え、および、ここにおいて、前記方法がさらに、
前記ページングスロット周期を利用して、前記基地局によって送信されたページングシグナリングを復号することを備える、請求項１に記載の方法。
【請求項１１】
前記トラフィックセッションの間に、前記基地局との同期のためのタイミング情報を受信することと、ここにおいて、さらに前記タイミング情報に少なくとも一部基づいて前記基地局によって送信されたページングメッセージングを受信するために前記Ｍ２Ｍデバイスを構成すること、
を備える、請求項１に記載の方法。
【請求項１２】
固定式のマシンーツーマシン（Ｍ２Ｍ）デバイスによるネットワーク再同期手順を回避するように構成されるワイヤレス通信システムであって、
ワイヤレス通信ネットワークの基地局とのトラフィックセッションの開始の前に、前記基地局のページングチャネルのためのページング情報を、記憶するための手段と、ここにおいて、前記ページング情報は、ページングスロット周期を含む、
前記トラフィックセッションの開始の前に、前記基地局と関連付けられるシステムアクセス情報を受信するための手段と、前記システムアクセス情報は、複数のアクセス構成メッセージの中で前記基地局によって送信される、
前記受信されたシステムアクセス情報を記憶するための手段と、
トラフィックチャネル上の前記トラフィックセッションにおける前記基地局と通信するための手段と、
前記トラフィックセッションの終了時に、前記記憶されているシステムアクセス情報が有効なままであると決定するための手段と、
前記記憶されているシステムアクセス情報が有効なままであると前記決定したことに基づいてスリープ状態へ直接移行するための手段と、および
前記トラフィックセッションの終了時に、前記記憶されているページング情報に従って前記ページングチャネル上の前記基地局からページングメッセージングを受信するために前記Ｍ２Ｍデバイスを構成するための手段とを備える、上記ワイヤレス通信システム。
【請求項１３】
前記スリープ状態へ直接移行するための前記手段がさらに、
前記記憶されているシステムアクセス情報が有効なままであるという前記決定に基づいて、前記複数のアクセス構成メッセージの１つまたは複数の受信を不可能にするための手段を備える、請求項１２に記載のワイヤレス通信システム。
【請求項１４】
前記記憶されているシステムアクセス情報が有効なままであると前記決定することが、前記記憶されているシステムアクセス情報と関連付けられるオーバーヘッドタイマーに基づいている、請求項１２に記載のワイヤレス通信システム。
【請求項１５】
前記トラフィックセッションの終了時に、前記記憶されているシステムアクセス情報が期限切れになっていると決定するための手段と、および
スリープ状態へ移行する前に、前記記憶されているシステムアクセス情報を検証するための手段とをさらに備える、請求項１２に記載のワイヤレス通信システム。
【請求項１６】
前記記憶されているシステムアクセス情報を検証するための前記手段が、
複数のアクセス構成メッセージの１つを受信するための手段と、および
前記記憶されているシステムアクセス情報と関連付けられる構成シーケンス番号を、前記複数のアクセス構成メッセージの前記受信された１つと関連付けられる構成シーケンス番号と比較するための手段とを備える、請求項１２に記載のワイヤレス通信システム。
【請求項１７】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするための手段をさらに備える、請求項１６に記載のワイヤレス通信システム。
【請求項１８】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするための手段をさらに備える、請求項１６に記載のワイヤレス通信システム。
【請求項１９】
前記複数のアクセス構成メッセージが、チャネルリストメッセージ、近隣リストメッセージ、アクセスパラメータメッセージ、またはシステムパラメータメッセージの１つまたは複数を備える、請求項１２に記載のワイヤレス通信システム。
【請求項２０】
前記基地局からページングメッセージングを受信するために前記Ｍ２Ｍデバイスを構成するための前記手段はさらに、
パイロット取得または同期信号の復号の１つまたは複数を実行することなく、前記基地局からページングメッセージングを受信するために前記Ｍ２Ｍデバイスを構成するための手段を備える、請求項１２に記載のワイヤレス通信システム。
【請求項２１】
前記記憶されているページング情報がページングスロット周期を備え、および
前記ページングスロット周期を利用して、前記基地局によって送信されたページングシグナリングを復号するための手段をさらに備える、請求項１２に記載のワイヤレス通信システム。
【請求項２２】
前記トラフィックセッションの間に、前記基地局との同期のためのタイミング情報を受信するための手段と、ここにおいて、
前記基地局によって送信されたページングメッセージングを受信するように前記Ｍ２Ｍデバイスを構成するための手段は、前記タイミング情報に少なくとも一部基づく、
をさらに備える、請求項１２に記載のワイヤレス通信システム。
【請求項２３】
固定式のマシンーツーマシン（Ｍ２Ｍ）デバイスによるワイヤレス通信のためのコンピュータ実行可能コードを記憶するコンピュータ可読媒体であって、
ワイヤレス通信ネットワークの基地局とのトラフィックセッションの開始の前に、前記基地局のページングチャネルのためのページング情報を記憶するためのコードと、ここにおいて、前記ページング情報は、ページングスロット周期を含む、
前記トラフィックセッションの開始の前に、前記基地局と関連付けられるシステムアクセス情報を受信するためのコードと、前記システムアクセス情報は、複数のアクセス構成メッセージの中で前記基地局によって送信される、
前記受信されたシステムアクセス情報を記憶するためのコードと、
トラフィックチャネル上の前記トラフィックセッションにおける前記基地局と通信するためのコードと、
前記トラフィックセッションの終了時に、前記記憶されているシステムアクセス情報が有効なままであると決定するためのコードと、
前記記憶されているシステムアクセス情報が有効なままであると前記決定したことに基づいてスリープ状態へ直接移行するためのコードと、および
前記トラフィックセッションの終了時に、前記記憶されているページング情報に従って前記ページングチャネル上の前記基地局からページングメッセージングを受信するために前記Ｍ２Ｍデバイスを構成するためのコードと
を備える、上記コンピュータ可読媒体。
【請求項２４】
前記記憶されているシステムアクセス情報が有効なままであるという前記決定に基づいて、前記複数のアクセス構成メッセージの１つまたは複数の受信を不可能にするためのコードをさらに備える、請求項２３に記載のコンピュータ可読媒体。
【請求項２５】
前記記憶されているシステムアクセス情報が有効なままであると決定することが、前記記憶されているシステムアクセス情報と関連付けられるオーバーヘッドタイマーに基づく、請求項２３に記載のコンピュータ可読媒体。
【請求項２６】
前記トラフィックセッションの終了時に、前記記憶されているシステムアクセス情報が期限切れになっていると決定するためのコードと、および
スリープ状態へ移行する前に、前記記憶されているシステムアクセス情報を検証するためのコードとをさらに備える、請求項２３に記載のコンピュータ可読媒体。
【請求項２７】
前記複数のアクセス構成メッセージの１つを受信するためのコードと、および
前記記憶されているシステムアクセス情報と関連付けられる構成シーケンス番号を、前記複数のアクセス構成メッセージの前記受信された１つと関連付けられる構成シーケンス番号と比較するためのコードとをさらに備える、請求項２６に記載のコンピュータ可読媒体。
【請求項２８】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするためのコードをさらに備える、請求項２７に記載のコンピュータ可読媒体。
【請求項２９】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするためのコードをさらに備える、請求項２７に記載のコンピュータ可読媒体。
【請求項３０】
前記複数のアクセス構成メッセージが、チャネルリストメッセージ、近隣リストメッセージ、アクセスパラメータメッセージ、またはシステムパラメータメッセージの１つまたは複数を備える、請求項２６に記載のコンピュータ可読媒体。
【請求項３１】
パイロット取得または同期信号の復号の１つまたは複数を実行することなく、前記基地局からページングメッセージングを受信するために前記Ｍ２Ｍデバイスを構成するためのコードをさらに備える、請求項２３に記載のコンピュータ可読媒体。
【請求項３２】
前記記憶されているページング情報がページングスロット周期を備え、および、ここにおいて、前記非一時的コンピュータ可読媒体がさらに、
前記ページングスロット周期を利用して前記基地局によって送信されたページングシグナリングを復号するためのコードを備える、請求項２３に記載のコンピュータ可読媒体。
【請求項３３】
前記トラフィックセッションの間に、前記基地局との同期のためのタイミング情報を受信するためのコードと、ここにおいて、
前記基地局によって送信されたページングメッセージングを受信するように前記Ｍ２Ｍデバイスを構成するためのコードは、前記タイミング情報に少なくとも一部基づく、
をさらに備える、請求項２３に記載のコンピュータ可読媒体。
【請求項３４】
ネットワーク再同期を回避するように構成される固定式のマシンーツーマシン（Ｍ２Ｍ）デバイス、該デバイスは、
ワイヤレス通信ネットワークの基地局とのトラフィックセッションの開始の前に、前記基地局のページングチャネルのためのページング情報を記憶し、ここにおいて、前記ページング情報は、ページングスロット周期を含む、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
トラフィックチャネル上の前記トラフィックセッションにおける前記基地局と通信し、
前記トラフィックセッションの終了時に、前記記憶されているシステムアクセス情報が有効なままであると決定し、
前記記憶されているシステムアクセス情報が有効なままであると前記決定したことに基づいてスリープ状態へ直接移行し、および
前記トラフィックセッションの終了時に、前記記憶されているページング情報に従って前記ページングチャネル上の前記基地局からページングメッセージングを受信するために前記Ｍ２Ｍデバイスを構成する、
ように構成される少なくとも１つのコントローラを備える。
【請求項３５】
前記少なくとも１つのコントローラがさらに、
前記記憶されているシステムアクセス情報が有効なままであるとの前記決定に基づいて、前記複数のアクセス構成メッセージの１つまたは複数の受信を不可能にするように構成される、請求項３４に記載の固定式のＭ２Ｍデバイス。
【請求項３６】
前記記憶されているシステムアクセス情報が有効なままであると前記決定することが、前記記憶されているシステムアクセス情報と関連付けられるオーバーヘッドタイマーに基づいている、請求項３４に記載の固定式のＭ２Ｍデバイス。
【請求項３７】
前記少なくとも１つのコントローラがさらに、
前記トラフィックセッションの終了時に、前記記憶されているシステムアクセス情報が期限切れになっていると決定し、および
スリープ状態へ移行する前に、前記記憶されているシステムアクセス情報を検証する、ように構成される、請求項３４に記載の固定式のＭ２Ｍデバイス。
【請求項３８】
前記少なくとも１つのコントローラがさらに、
前記複数のアクセス構成メッセージの１つを受信し、および
前記記憶されているシステムアクセス情報と関連付けられる構成シーケンス番号を、前記複数のアクセス構成メッセージの前記受信された１つと関連付けられる構成シーケンス番号と比較する、
ように構成される、請求項３７に記載の固定式のＭ２Ｍデバイス。
【請求項３９】
前記少なくとも１つのコントローラがさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするように構成される、請求項３８に記載の固定式のＭ２Ｍデバイス。
【請求項４０】
前記少なくとも１つのコントローラがさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするために構成される、請求項３８に記載の固定式のＭ２Ｍデバイス。
【請求項４１】
前記複数のアクセス構成メッセージが、チャネルリストメッセージ、近隣リストメッセージ、アクセスパラメータメッセージまたはシステムパラメータメッセージの１つまたは複数を備える、請求項３７に記載の固定式のＭ２Ｍデバイス。
【請求項４２】
前記少なくとも１つのコントローラがさらに、
パイロット取得または同期信号の復号の１つまたは複数を実行することなく前記基地局からページングメッセージングを受信するために前記Ｍ２Ｍデバイスを構成するように、
構成される、請求項３７に記載の固定式のＭ２Ｍデバイス。
【請求項４３】
前記記憶されているページング情報がページングスロット周期を備え、および、ここにおいて、前記少なくとも１つのコントローラがさらに、
前記ページングスロット周期を利用して前記基地局によって送信されたページングシグナリングを復号する、
ように構成される、請求項３７に記載の固定式のＭ２Ｍデバイス。
【請求項４４】
前記少なくとも１つのコントローラがさらに、
前記トラフィックセッションの間に、前記基地局との同期のためのタイミング情報を受信するように構成され、
ここにおいて前記コントローラが、
前記タイミング情報に少なくとも一部基づいて前記基地局によって送信されたページングメッセージングを受信するために前記Ｍ２Ｍデバイスを構成するように構成される、
請求項３７に記載の固定式のＭ２Ｍデバイス。
【国際調査報告】
2016517667.tif 000025
2016517667.tif 000026
2016517667.tif 000027
2016517667.tif 000028